(57)【要約】      （修正有）【課題】サイズ、コスト及び性能を考慮したダイバーシティ受信モジュールを提供する。【解決手段】ダイバーシティ受信器構成は、入力及び出力間にある複数の経路の一以上を選択的にアクティブにするように構成された制御器と、各一つが当該複数の経路の対応する一つに沿って設けられて当該増幅器において受信した信号を増幅するように構成された複数の増幅器を含む。さらに、可変利得増幅器Ａ、位相シフト部品Ｂ、インピーダンス整合部品Ｃ、増幅器後段フィルタＤ、スイッチングネットワーク及びフレキシブルな帯域引き回しを含む。【選択図】図５１
2020065282.tif 000002
【特許請求の範囲】
【請求項１】
無線周波数（ＲＦ）受信システムであって、
受信システムの入力と前記受信システムの出力との間にある複数の経路の一以上を選択的にアクティブにするように構成された制御器と、
複数の増幅器と、
前記ＲＦ受信システムのために実装された第１の特徴部、第２の特徴部、第３の特徴部、第４の特徴部、第５の特徴部及び第６の特徴部の２つ以上と
を含み、
前記複数の増幅器の各一つは、前記複数の経路の対応する一つに沿って設けられ、前記増幅器において受信した信号を増幅するように構成され、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器（ＶＧＡ）として実装され、前記複数のＶＧＡの各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上のＲＦ信号を受信し、前記一以上のＲＦ信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済みＲＦ信号を受信し、前記一以上の増幅済みＲＦ信号のそれぞれを、複数の出力マルチプレクサ出力の選択された一つへと出力するように構成された出力マルチプレクサと
を含むＲＦ受信システム。
【請求項２】
前記ＲＦ受信システムは、前記第１の特徴部及び前記第２の特徴部を含む請求項１のＲＦ受信システム。
【請求項３】
前記ＲＦ受信システムは、前記第１の特徴部及び前記第３の特徴部を含む請求項１のＲＦ受信システム。
【請求項４】
前記ＲＦ受信システムは、前記第１の特徴部及び前記第４の特徴部を含む請求項１のＲＦ受信システム。
【請求項５】
前記ＲＦ受信システムは、前記第２の特徴部及び前記第３の特徴部を含む請求項１のＲＦ受信システム。
【請求項６】
前記ＲＦ受信システムは、前記第２の特徴部及び前記第４の特徴部を含む請求項１のＲＦ受信システム。
【請求項７】
前記ＲＦ受信システムは、前記第３の特徴部及び前記第４の特徴部を含む請求項１のＲＦ受信システム。
【請求項８】
前記ＲＦ受信システムは、前記第１の特徴部、前記第２の特徴部及び前記第３の特徴部を含む請求項１のＲＦ受信システム。
【請求項９】
前記ＲＦ受信システムは、前記第１の特徴部、前記第２の特徴部及び前記第４の特徴部を含む請求項１のＲＦ受信システム。
【請求項１０】
前記ＲＦ受信システムは、前記第１の特徴部、前記第３の特徴部及び前記第４の特徴部を含む請求項１のＲＦ受信システム。
【請求項１１】
前記ＲＦ受信システムは、前記第２の特徴部、前記第３の特徴部及び前記第４の特徴部を含む請求項１のＲＦ受信システム。
【請求項１２】
前記ＲＦ受信システムは、前記第１の特徴部、前記第２の特徴部、前記第３の特徴部及び前記第４の特徴部を含む請求項１のＲＦ受信システム。
【請求項１３】
前記ＲＦ受信システムは、前記第１の特徴部、前記第２の特徴部及び前記第５の特徴部を含む請求項１のＲＦ受信システム。
【請求項１４】
前記ＲＦ受信システムは、前記第１の特徴部、前記第３の特徴部及び前記第５の特徴部を含む請求項１のＲＦ受信システム。
【請求項１５】
前記ＲＦ受信システムは、前記第１の特徴部、前記第４の特徴部及び前記第５の特徴部を含む請求項１のＲＦ受信システム。
【請求項１６】
前記ＲＦ受信システムは、前記第２の特徴部、前記第３の特徴部及び前記第５の特徴部を含む請求項１のＲＦ受信システム。
【請求項１７】
前記ＲＦ受信システムは、前記第２の特徴部、前記第４の特徴部及び前記第５の特徴部を含む請求項１のＲＦ受信システム。
【請求項１８】
前記ＲＦ受信システムは、前記第３の特徴部、前記第４の特徴部及び前記第５の特徴部を含む請求項１のＲＦ受信システム。
【請求項１９】
前記ＲＦ受信システムは、前記第１の特徴部、前記第２の特徴部、前記第３の特徴部及び前記第５の特徴部を含む請求項１のＲＦ受信システム。
【請求項２０】
前記ＲＦ受信システムは、前記第１の特徴部、前記第２の特徴部、前記第４の特徴部及び前記第５の特徴部を含む請求項１のＲＦ受信システム。
【請求項２１】
前記ＲＦ受信システムは、前記第１の特徴部、前記第３の特徴部、前記第４の特徴部及び前記第５の特徴部を含む請求項１のＲＦ受信システム。
【請求項２２】
前記ＲＦ受信システムは、前記第２の特徴部、前記第３の特徴部、前記第４の特徴部及び前記第５の特徴部を含む請求項１のＲＦ受信システム。
【請求項２３】
前記ＲＦ受信システムは、前記第１の特徴部、前記第２の特徴部、前記第３の特徴部、前記第４の特徴部及び前記第５の特徴部を含む請求項１のＲＦ受信システム。
【請求項２４】
前記ＲＦ受信システムは、前記第１の特徴部、前記第２の特徴部及び前記第６の特徴部を含む請求項１のＲＦ受信システム。
【請求項２５】
前記ＲＦ受信システムは、前記第１の特徴部、前記第３の特徴部及び前記第６の特徴部を含む請求項１のＲＦ受信システム。
【請求項２６】
前記ＲＦ受信システムは、前記第１の特徴部、前記第４の特徴部及び前記第６の特徴部を含む請求項１のＲＦ受信システム。
【請求項２７】
前記ＲＦ受信システムは、前記第２の特徴部、前記第３の特徴部及び前記第６の特徴部を含む請求項１のＲＦ受信システム。
【請求項２８】
前記ＲＦ受信システムは、前記第２の特徴部、前記第４の特徴部及び前記第６の特徴部を含む請求項１のＲＦ受信システム。
【請求項２９】
前記ＲＦ受信システムは、前記第３の特徴部、前記第４の特徴部及び前記第６の特徴部を含む請求項１のＲＦ受信システム。
【請求項３０】
前記ＲＦ受信システムは、前記第１の特徴部、前記第２の特徴部、前記第３の特徴部及び前記第６の特徴部を含む請求項１のＲＦ受信システム。
【請求項３１】
前記ＲＦ受信システムは、前記第１の特徴部、前記第２の特徴部、前記第４の特徴部及び前記第６の特徴部を含む請求項１のＲＦ受信システム。
【請求項３２】
前記ＲＦ受信システムは、前記第１の特徴部、前記第３の特徴部、前記第４の特徴部及び前記第６の特徴部を含む請求項１のＲＦ受信システム。
【請求項３３】
前記ＲＦ受信システムは、前記第２の特徴部、前記第３の特徴部、前記第４の特徴部及び前記第６の特徴部を含む請求項１のＲＦ受信システム。
【請求項３４】
前記ＲＦ受信システムは、前記第１の特徴部、前記第２の特徴部、前記第３の特徴部、前記第４の特徴部及び前記第６の特徴部を含む請求項１のＲＦ受信システム。
【請求項３５】
前記ＲＦ受信システムは、前記第１の特徴部、前記第２の特徴部、前記第５の特徴部及び前記第６の特徴部を含む請求項１のＲＦ受信システム。
【請求項３６】
前記ＲＦ受信システムは、前記第１の特徴部、前記第３の特徴部、前記第５の特徴部及び前記第６の特徴部を含む請求項１のＲＦ受信システム。
【請求項３７】
前記ＲＦ受信システムは、前記第１の特徴部、前記第４の特徴部、前記第５の特徴部及び前記第６の特徴部を含む請求項１のＲＦ受信システム。
【請求項３８】
前記ＲＦ受信システムは、前記第２の特徴部、前記第３の特徴部、前記第５の特徴部及び前記第６の特徴部を含む請求項１のＲＦ受信システム。
【請求項３９】
前記ＲＦ受信システムは、前記第２の特徴部、前記第４の特徴部、前記第５の特徴部及び前記第６の特徴部を含む請求項１のＲＦ受信システム。
【請求項４０】
前記ＲＦ受信システムは、前記第３の特徴部、前記第４の特徴部、前記第５の特徴部及び前記第６の特徴部を含む請求項１のＲＦ受信システム。
【請求項４１】
前記ＲＦ受信システムは、前記第１の特徴部、前記第２の特徴部、前記第３の特徴部、前記第５の特徴部及び前記第６の特徴部を含む請求項１のＲＦ受信システム。
【請求項４２】
前記ＲＦ受信システムは、前記第１の特徴部、前記第２の特徴部、前記第４の特徴部、前記第５の特徴部及び前記第６の特徴部を含む請求項１のＲＦ受信システム。
【請求項４３】
前記ＲＦ受信システムは、前記第１の特徴部、前記第３の特徴部、前記第４の特徴部、前記第５の特徴部及び前記第６の特徴部を含む請求項１のＲＦ受信システム。
【請求項４４】
前記ＲＦ受信システムは、前記第２の特徴部、前記第３の特徴部、前記第４の特徴部、前記第５の特徴部及び前記第６の特徴部を含む請求項１のＲＦ受信システム。
【請求項４５】
前記ＲＦ受信システムは、前記第１の特徴部、前記第２の特徴部、前記第３の特徴部、前記第４の特徴部、前記第５の特徴部及び前記第６の特徴部を含む請求項１のＲＦ受信システム。
【請求項４６】
前記ＲＦ受信システムは、前記第１の特徴部及び前記第５の特徴部を含む請求項１のＲＦ受信システム。
【請求項４７】
前記ＲＦ受信システムは、前記第２の特徴部及び第５の特徴部を含む請求項１のＲＦ受信システム。
【請求項４８】
前記ＲＦ受信システムは、前記第３の特徴部及び第５の特徴部を含む請求項１のＲＦ受信システム。
【請求項４９】
前記ＲＦ受信システムは、前記第４の特徴部及び前記第５の特徴部を含む請求項１のＲＦ受信システム。
【請求項５０】
前記ＲＦ受信システムは、前記第１の特徴部及び第６の特徴部を含む請求項１のＲＦ受信システム。
【請求項５１】
前記ＲＦ受信システムは、前記第２の特徴部及び前記第６の特徴部を含む請求項１のＲＦ受信システム。
【請求項５２】
前記ＲＦ受信システムは、前記第３の特徴部及び第６の特徴部を含む請求項１のＲＦ受信システム。
【請求項５３】
前記ＲＦ受信システムは、前記第４の特徴部及び前記第６の特徴部を含む請求項１のＲＦ受信システム。
【請求項５４】
前記ＲＦ受信システムは、前記第５の特徴部及び前記第６の特徴部を含む請求項１のＲＦ受信システム。
【請求項５５】
前記ＲＦ受信システムは、前記第１の特徴部、前記第５の特徴部及び前記第６の特徴部を含む請求項１のＲＦ受信システム。
【請求項５６】
前記ＲＦ受信システムは、前記第２の特徴部、前記第５の特徴部及び前記第６の特徴部を含む請求項１のＲＦ受信システム。
【請求項５７】
前記ＲＦ受信システムは、前記第３の特徴部、前記第５の特徴部及び前記第６の特徴部を含む請求項１のＲＦ受信システム。
【請求項５８】
前記ＲＦ受信システムは、前記第４の特徴部、前記第５の特徴部及び前記第６の特徴部を含む請求項１のＲＦ受信システム。
【請求項５９】
無線周波数（ＲＦ）モジュールであって、
複数の部品を受容するように構成されたパッケージング基板と、
前記パッケージング基板に実装された受信システムと
を含み、
前記受信システムは、前記受信システムの入力と前記受信システムの出力との間にある複数の経路の一以上を選択的にアクティブにするように構成された制御器を含み、
前記受信システムはさらに複数の増幅器を含み、
前記複数の増幅器の各一つは、前記複数の経路の対応する一つに沿って設けられ、前記増幅器において受信した信号を増幅するように構成され、
前記受信システムはさらに、前記ＲＦ受信システムのために実装された第１の特徴部、第２の特徴部、第３の特徴部、第４の特徴部、第５の特徴部及び第６の特徴部の２つ以上を含み、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器（ＶＧＡ）として実装され、前記複数のＶＧＡの各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上のＲＦ信号を受信し、前記一以上のＲＦ信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済みＲＦ信号を受信し、前記一以上の増幅済みＲＦ信号のそれぞれを、複数の出力マルチプレクサ出力の選択された一つへと出力するように構成された出力マルチプレクサと
を含むＲＦモジュール。
【請求項６０】
前記ＲＦモジュールはダイバーシティ受信器フロントエンドモジュール（ＦＥＭ）である請求項５９のＲＦモジュール。
【請求項６１】
無線装置であって、
一以上の無線周波数（ＲＦ）信号を受信するように構成された第１アンテナと、
前記第１アンテナと通信する第１フロントエンドモジュール（ＦＥＭ）であって複数の部品を受容するように構成されたパッケージング基板を含み、前記パッケージング基板に実装された受信システムをさらに含む第１ＦＥＭと、
前記一以上のＲＦ信号の処理済みバージョンを前記受信システムから受信し、前記一以上のＲＦ信号の前記処理済みバージョンに基づいてデータビットを生成するように構成された送受信器と
を含み、
前記受信システムは、前記受信システムの入力と前記受信システムの出力との間にある複数の経路の一以上を選択的にアクティブにするように構成された制御器を含み、
前記受信システムはさらに複数の増幅器を含み、
前記複数の増幅器の各一つは、前記複数の経路に対応する一つに沿って設けられ、前記増幅器において受信した信号を増幅するように構成され、
前記受信システムはさらに、前記ＲＦ受信システムのために実装された第１の特徴部、第２の特徴部、第３の特徴部、第４の特徴部、第５の特徴部及び第６の特徴部の２つ以上を含み、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器（ＶＧＡ）として実装され、前記複数のＶＧＡの各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上のＲＦ信号を受信し、前記一以上のＲＦ信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済みＲＦ信号を受信し、前記一以上の増幅済みＲＦ信号のそれぞれを、複数の出力マルチプレクサ出力の選択された一つへと出力するように構成された出力マルチプレクサと
を含む無線装置。
【請求項６２】
前記無線装置はセルラー電話である請求項６１の無線装置。
【発明の詳細な説明】
【技術分野】
【０００１】
本開示は一般に、一以上のダイバーシティ受信アンテナを有する無線通信システムに関する。
【０００２】
関連出願の相互参照
本願は、２０１５年６月１日に出願された「可変利得増幅器を備えたダイバーシティフロントエンドシステム」との名称の米国出願第１４／７２７，７３９号の一部継続出願であり、これは、２０１４年１０月３１日に出願された「ダイバーシティ受信器フロントエンドシステム」との名称の米国仮出願第６２／０７３，０４３号の優先権及び出願日の利益を主張する。これらの開示は、参照により全体がここに明示的に組み入れられる。
【０００３】
本願は、２０１５年６月９日に出願された「位相シフト部品を備えたダイバーシティ受信器フロントエンドシステム」との名称の米国出願第１４／７３４，７５９号の一部継続出願であり、これは、２０１４年１０月３１日に出願された「ダイバーシティ受信器フロントエンドシステム」との名称の米国仮出願第６２／０７３，０４３号、２０１４年１０月３１日に出願された「ＬＮＡ後段位相整合を使用したキャリアアグリゲーション」との名称の米国仮出願第６２／０７３，０４０号、及び２０１４年１０月３１日に出願された「キャリアアグリゲーション動作のためのＬＮＡ前段帯域外インピーダンス整合」との名称の米国仮出願第６２／０７３，０３９号それぞれの優先権及び出願日の利益を主張する。これらの開示は、参照により全体がここに明示的に組み入れられる。
【０００４】
本願は、２０１５年６月９日に出願された「インピーダンス整合部品を備えたダイバーシティ受信器フロントエンドシステム」との名称の米国出願第１４／７３４，７７５号の一部継続出願であり、これは、２０１４年１０月３１日に出願された「ダイバーシティ受信器フロントエンドシステム」との名称の米国仮出願第６２／０７３，０４３号、２０１４年１０月３１日に出願された「ＬＮＡ後段位相整合を使用したキャリアアグリゲーション」との名称の米国仮出願第６２／０７３，０４０号、及び２０１４年１０月３１日に出願された「キャリアアグリゲーション動作のためのＬＮＡ前段帯域外インピーダンス整合」との名称の米国仮出願第６２／０７３，０３９号それぞれの優先権及び出願日の利益を主張する。これらの開示は、参照により全体がここに明示的に組み入れられる。
【０００５】
本願は、２０１５年６月１０日に出願された「増幅器後段フィルタを備えたダイバーシティ受信器フロントエンドシステム」との名称の米国出願第１４／７３５，４８２号の一部継続出願であり、これは、２０１４年１０月３１日に出願された「ダイバーシティ受信器フロントエンドシステム」との名称の米国仮出願第６２／０７３，０４３号、及び２０１４年１１月１０日に出願された「キャリアアグリゲーションをサポートするＬＮＡ前段及び後段のフィルタを有するダイバーシティ受信器アーキテクチャ」との名称の米国仮出願第６２／０７７，８９４号それぞれの優先権及び出願日の利益を主張する。これらの開示は、参照により全体がここに明示的に組み入れられる。
【０００６】
本願は、２０１５年６月９日に出願された「スイッチングネットワークを備えたダイバーシティ受信器フロントエンドシステム」との名称の米国出願第１４／７３４，７４６号の一部継続出願であり、これは、２０１４年１０月３１日に出願された「ダイバーシティ受信器フロントエンドシステム」との名称の米国仮出願第６２／０７３，０４３号、及び２０１４年１０月３１日に出願された「キャリアアグリゲーションのための適応性多重帯域ＬＮＡ」との名称の米国仮出願第６２／０７３，０４１号それぞれの優先権及び出願日の利益を主張する。これらの開示は、参照により全体がここに明示的に組み入れられる。
【０００７】
本願は、２０１５年８月２６日に出願された「フレキシブルな引き回しを備えたダイバーシティ受信器フロントエンドシステム」との名称の米国出願第１４／８３６，５７５号の一部継続出願であり、これは、２０１４年１０月３１日に出願された「ダイバーシティ受信器フロントエンドシステム」との名称の米国仮出願第６２／０７３，０４３号、及び２０１４年１０月３１日に出願された「フレキシブル多重帯域多重アンテナ受信器モジュール」との名称の米国仮出願第６２／０７３，０４２号それぞれの優先権及び出願日の利益を主張する。これらの開示は、参照により全体がここに明示的に組み入れられる。
【背景技術】
【０００８】
無線通信のアプリケーションにおいて、サイズ、コスト及び性能は、所与の製品にとって重要となり得る因子の例である。例えば、性能を向上させるには、ダイバーシティ受信アンテナ及び関連回路のような無線部品が一般的となっている。
【０００９】
多くの無線周波数（ＲＦ）アプリケーションにおいて、ダイバーシティ受信アンテナは、一次アンテナから物理的に遠くに設けられる。双方のアンテナが一度に使用される場合に送受信器は、双方のアンテナからの信号を、データスループットを増加させるべく処理することができる。
【先行技術文献】
【特許文献】
【００１０】
【特許文献１】韓国公開特許第１０−２００４−０１０００５６号公報
【特許文献２】韓国公開特許第１０−２００５−００２３６４１号公報
【特許文献３】米国特許出願公開第２０１０−０２０２３２４号明細書
【特許文献４】米国特許出願公開第２０１０−０１１８９２３号明細書
【発明の概要】
【００１１】
いくつかの実施形態によれば、本開示は無線周波数（ＲＦ）受信システムに関し、これは、当該受信システムの入力と当該受信システムの出力との間にある複数の経路の一以上を選択的にアクティブにするように構成された制御器を含む。ＲＦ受信システムはさらに複数の増幅器を含み、当該複数の増幅器の各一つは、複数の経路の対応する一つに沿って設けられ、当該増幅器において受信した信号を増幅するように構成される。ＲＦ受信システムはさらに、当該ＲＦ受信システムのために実装された第１の特徴部、第２の特徴部、第３の特徴部、第４の特徴部、第５の特徴部及び第６の特徴部を含む。
【００１２】
第１の特徴部は複数の帯域通過フィルタを含み、当該複数の帯域通過フィルタの各一つは、複数の経路の対応する一つに沿って設けられ、当該帯域通過フィルタにおいて受信した信号を各周波数帯域へとフィルタリングするように構成される。複数の増幅器の少なくともいくつかは、複数の可変利得増幅器（ＶＧＡ）として実装され、当該複数のＶＧＡの各一つは、対応する信号を、当該制御器から受信した増幅器制御信号が制御する利得を用いて増幅するように構成される。
【００１３】
第２の特徴部は複数の位相シフト部品を含み、当該複数の位相シフト部品の各一つは、複数の経路の対応する一つに沿って設けられ、当該位相シフト部品を通過する信号を位相シフトするように構成される。
【００１４】
第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一方を低減するように構成される。
【００１５】
第４の特徴部は複数の増幅器後段帯域通過フィルタを含み、当該複数の増幅器後段帯域通過フィルタの各一つは、当該複数の増幅器の対応する一つの出力において複数の経路の対応する一つに沿って設けられ、信号を各周波数帯域へとフィルタリングするように構成される。
【００１６】
第５の特徴部は、一以上の単極／単投スイッチを有するスイッチングネットワークを含み、当該スイッチの各一つは、複数の経路の２つを結合する。スイッチングネットワークは、制御器が帯域選択信号に基づいて制御するように構成される。
【００１７】
第６の特徴部は、一以上の入力マルチプレクサ入力において一以上のＲＦ信号を受信し、当該一以上のＲＦ信号のそれぞれを、複数の経路の一以上それぞれに沿って伝播させるべく複数の入力マルチプレクサ出力の一以上へと出力するように構成された入力マルチプレクサと、一以上の対応出力マルチプレクサ入力において当該複数の経路の一以上それぞれに沿って伝播する一以上の増幅されたＲＦ信号を受信し、当該一以上の増幅されたＲＦ信号のそれぞれを、複数の出力マルチプレクサ出力の選択された一つへと出力するように構成された出力マルチプレクサとを含む。
【００１８】
いくつかの実施形態において、ＲＦ受信システムは、第１の特徴部及び第２の特徴部を含み得る。
【００１９】
いくつかの実施形態において、ＲＦ受信システムは、第１の特徴部及び第３の特徴部を含み得る。
【００２０】
いくつかの実施形態において、ＲＦ受信システムは、第１の特徴部及び第４の特徴部を含み得る。
【００２１】
いくつかの実施形態において、ＲＦ受信システムは、第２の特徴部及び第３の特徴部を含み得る。
【００２２】
いくつかの実施形態において、ＲＦ受信システムは、第２の特徴部及び第４の特徴部を含み得る。
【００２３】
いくつかの実施形態において、ＲＦ受信システムは、第３の特徴部及び第４の特徴部を含み得る。
【００２４】
いくつかの実施形態において、ＲＦ受信システムは、第１の特徴部、第２の特徴部及び第３の特徴部を含み得る。
【００２５】
いくつかの実施形態において、ＲＦ受信システムは、第１の特徴部、第２の特徴部及び第４の特徴部を含み得る。
【００２６】
いくつかの実施形態において、ＲＦ受信システムは、第１の特徴部、第３の特徴部及び第４の特徴部を含み得る。
【００２７】
いくつかの実施形態において、ＲＦ受信システムは、第２の特徴部、第３の特徴部及び第４の特徴部を含み得る。
【００２８】
いくつかの実施形態において、ＲＦ受信システムは、第１の特徴部、第２の特徴部、第３の特徴部及び第４の特徴部を含み得る。
【００２９】
いくつかの実施形態において、ＲＦ受信システムは、第１の特徴部、第２の特徴部及び第５の特徴部を含み得る。
【００３０】
いくつかの実施形態において、ＲＦ受信システムは、第１の特徴部、第３の特徴部及び第５の特徴部を含み得る。
【００３１】
いくつかの実施形態において、ＲＦ受信システムは、第１の特徴部、第４の特徴部及び第５の特徴部を含み得る。
【００３２】
いくつかの実施形態において、ＲＦ受信システムは、第２の特徴部、第３の特徴部及び第５の特徴部を含み得る。
【００３３】
いくつかの実施形態において、ＲＦ受信システムは、第２の特徴部、第４の特徴部及び第５の特徴部を含み得る。
【００３４】
いくつかの実施形態において、ＲＦ受信システムは、第３の特徴部、第４の特徴部及び第５の特徴部を含み得る。
【００３５】
いくつかの実施形態において、ＲＦ受信システムは、第１の特徴部、第２の特徴部、第３の特徴部及び第５の特徴部を含み得る。
【００３６】
いくつかの実施形態において、ＲＦ受信システムは、第１の特徴部、第２の特徴部、第４の特徴部及び第５の特徴部を含み得る。
【００３７】
いくつかの実施形態において、ＲＦ受信システムは、第１の特徴部、第３の特徴部、第４の特徴部及び第５の特徴部を含み得る。
【００３８】
いくつかの実施形態において、ＲＦ受信システムは、第２の特徴部、第３の特徴部、第４の特徴部及び第５の特徴部を含み得る。
【００３９】
いくつかの実施形態において、ＲＦ受信システムは、第１の特徴部、第２の特徴部、第３の特徴部、第４の特徴部及び第５の特徴部を含み得る。
【００４０】
いくつかの実施形態において、ＲＦ受信システムは、第１の特徴部、第２の特徴部及び第６の特徴部を含み得る。
【００４１】
いくつかの実施形態において、ＲＦ受信システムは、第１の特徴部、第３の特徴部及び第６の特徴部を含み得る。
【００４２】
いくつかの実施形態において、ＲＦ受信システムは、第１の特徴部、第４の特徴部及び第６の特徴部を含み得る。
【００４３】
いくつかの実施形態において、ＲＦ受信システムは、第２の特徴部、第３の特徴部及び第６の特徴部を含み得る。
【００４４】
いくつかの実施形態において、ＲＦ受信システムは、第２の特徴部、第４の特徴部及び第６の特徴部を含み得る。
【００４５】
いくつかの実施形態において、ＲＦ受信システムは、第３の特徴部、第４の特徴部及び第６の特徴部を含み得る。
【００４６】
いくつかの実施形態において、ＲＦ受信システムは、第１の特徴部、第２の特徴部、第３の特徴部及び第６の特徴部を含み得る。
【００４７】
いくつかの実施形態において、ＲＦ受信システムは、第１の特徴部、第２の特徴部、第４の特徴部及び第６の特徴部を含み得る。
【００４８】
いくつかの実施形態において、ＲＦ受信システムは、第１の特徴部、第３の特徴部、第４の特徴部及び第６の特徴部を含み得る。
【００４９】
いくつかの実施形態において、ＲＦ受信システムは、第２の特徴部、第３の特徴部、第４の特徴部及び第６の特徴部を含み得る。
【００５０】
いくつかの実施形態において、ＲＦ受信システムは、第１の特徴部、第２の特徴部、第３の特徴部、第４の特徴部及び第６の特徴部を含み得る。
【００５１】
いくつかの実施形態において、ＲＦ受信システムは、第１の特徴部、第２の特徴部、第５の特徴部及び第６の特徴部を含み得る。
【００５２】
いくつかの実施形態において、ＲＦ受信システムは、第１の特徴部、第３の特徴部、第５の特徴部及び第６の特徴部を含み得る。
【００５３】
いくつかの実施形態において、ＲＦ受信システムは、第１の特徴部、第４の特徴部、第５の特徴部及び第６の特徴部を含み得る。
【００５４】
いくつかの実施形態において、ＲＦ受信システムは、第２の特徴部、第３の特徴部、第５の特徴部及び第６の特徴部を含み得る。
【００５５】
いくつかの実施形態において、ＲＦ受信システムは、第２の特徴部、第４の特徴部、第５の特徴部及び第６の特徴部を含み得る。
【００５６】
いくつかの実施形態において、ＲＦ受信システムは、第３の特徴部、第４の特徴部、第５の特徴部及び第６の特徴部を含み得る。
【００５７】
いくつかの実施形態において、ＲＦ受信システムは、第１の特徴部、第２の特徴部、第３の特徴部、第５の特徴部及び第６の特徴部を含み得る。
【００５８】
いくつかの実施形態において、ＲＦ受信システムは、第１の特徴部、第２の特徴部、第４の特徴部、第５の特徴部及び第６の特徴部を含み得る。
【００５９】
いくつかの実施形態において、ＲＦ受信システムは、第１の特徴部、第３の特徴部、第４の特徴部、第５の特徴部及び第６の特徴部を含み得る。
【００６０】
いくつかの実施形態において、ＲＦ受信システムは、第２の特徴部、第３の特徴部、第４の特徴部、第５の特徴部及び第６の特徴部を含み得る。
【００６１】
いくつかの実施形態において、ＲＦ受信システムは、第１の特徴部、第２の特徴部、第３の特徴部、第４の特徴部、第５の特徴部及び第６の特徴部を含み得る。
【００６２】
いくつかの実施形態において、ＲＦ受信システムは、第１の特徴部及び第５の特徴部を含み得る。
【００６３】
いくつかの実施形態において、ＲＦ受信システムは、第２の特徴部及び第５の特徴部を含み得る。
【００６４】
いくつかの実施形態において、ＲＦ受信システムは、第３の特徴部及び第５の特徴部を含み得る。
【００６５】
いくつかの実施形態において、ＲＦ受信システムは、第４の特徴部及び第５の特徴部を含み得る。
【００６６】
いくつかの実施形態において、ＲＦ受信システムは、第１の特徴部及び第６の特徴部を含み得る。
【００６７】
いくつかの実施形態において、ＲＦ受信システムは、第２の特徴部及び第６の特徴部を含み得る。
【００６８】
いくつかの実施形態において、ＲＦ受信システムは、第３の特徴部及び第６の特徴部を含み得る。
【００６９】
いくつかの実施形態において、ＲＦ受信システムは、第４の特徴部及び第６の特徴部を含み得る。
【００７０】
いくつかの実施形態において、ＲＦ受信システムは、第５の特徴部及び第６の特徴部を含み得る。
【００７１】
いくつかの実施形態において、ＲＦ受信システムは、第１の特徴部、第５の特徴部及び第６の特徴部を含み得る。
【００７２】
いくつかの実施形態において、ＲＦ受信システムは、第２の特徴部、第５の特徴部及び第６の特徴部を含み得る。
【００７３】
いくつかの実施形態において、ＲＦ受信システムは、第３の特徴部、第５の特徴部及び第６の特徴部を含み得る。
【００７４】
いくつかの実施形態において、ＲＦ受信システムは、第４の特徴部、第５の特徴部及び第６の特徴部を含み得る。
【００７５】
所定数の実装において、本開示は、複数の部品を受容するように構成されたパッケージング基板と、当該パッケージング基板に実装された受信システムとを含む無線周波数（ＲＦ）モジュールに関する。受信システムは、当該受信システムの入力と当該受信システムの出力との間にある複数の経路の一以上を選択的にアクティブにするように構成された制御器と、複数の増幅器とを含み、当該複数の増幅器の各一つが、当該複数の経路の対応する一つに沿って設けられ、当該増幅器において受信した信号を増幅するように構成される。受信システムはさらに、ＲＦ受信システムのために実装された第１の特徴部、第２の特徴部、第３の特徴部、第４の特徴部、第５の特徴部及び第６の特徴部の２以上を含む。
【００７６】
第１の特徴部は複数の帯域通過フィルタを含み、当該複数の帯域通過フィルタの各一つは、複数の経路の対応する一つに沿って設けられ、当該帯域通過フィルタにおいて受信した信号を各周波数帯域へとフィルタリングするように構成される。複数の増幅器の少なくともいくつかは、複数の可変利得増幅器（ＶＧＡ）として実装され、当該複数のＶＧＡの各一つは、対応する信号を、当該制御器から受信した増幅器制御信号により制御される利得によって増幅するように構成される。
【００７７】
第２の特徴部は複数の位相シフト部品を含み、当該複数の位相シフト部品の各一つは、複数の経路の対応する一つに沿って設けられ、当該位相シフト部品を通過する信号を位相シフトするように構成される。
【００７８】
第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一方を低減するように構成される。
【００７９】
第４の特徴部は複数の増幅器後段帯域通過フィルタを含み、当該複数の増幅器後段帯域通過フィルタの各一つは、当該複数の増幅器の対応する一つの出力において複数の経路の対応する一つに沿って設けられ、信号を各周波数帯域へとフィルタリングするように構成される。
【００８０】
第５の特徴部は、一以上の単極／単投スイッチを有するスイッチングネットワークを含み、当該スイッチの各一つは、複数の経路の２つを結合する。スイッチングネットワークは、制御器が帯域選択信号に基づいて制御するように構成される。
【００８１】
第６の特徴部は、一以上の入力マルチプレクサ入力において一以上のＲＦ信号を受信し、当該一以上のＲＦ信号のそれぞれを、複数の経路の一以上それぞれに沿って伝播させるべく複数の入力マルチプレクサ出力の一以上へと出力するように構成された入力マルチプレクサと、一以上の対応出力マルチプレクサ入力において当該複数の経路の一以上それぞれに沿って伝播する一以上の増幅されたＲＦ信号を受信し、当該一以上の増幅されたＲＦ信号のそれぞれを、複数の出力マルチプレクサ出力の選択された一つへと出力するように構成された出力マルチプレクサとを含む。
【００８２】
いくつかの実施形態において、ＲＦモジュールは、ダイバーシティ受信器フロントエンドモジュール（ＦＥＭ）を含み得る。
【００８３】
いくつかの教示において、本開示は、一以上の無線周波数（ＲＦ）信号を受信するように構成された第１アンテナと、当該第１アンテナと通信する第１フロントエンドモジュール（ＦＥＭ）とを含む無線装置に関する。第１ＦＥＭは、複数の部品を受容するように構成されたパッケージング基板を含む。第１ＦＥＭはさらに、パッケージング基板に実装された受信システムを含む。受信システムは、当該受信システムの入力と当該受信システムの出力との間にある複数の経路の一以上を選択的にアクティブにするように構成された制御器と、複数の増幅器とを含み、当該複数の増幅器の各一つが、当該複数の経路の対応する一つに沿って設けられ、当該増幅器において受信した信号を増幅するように構成される。受信システムはさらに、ＲＦ受信システムのために実装された第１の特徴部、第２の特徴部、第３の特徴部、第４の特徴部、第５の特徴部及び第６の特徴部の２以上を含む。無線装置はさらに、一以上のＲＦ信号の処理済みバージョンを受信システムから受信して当該一以上のＲＦ信号の処理済みバージョンに基づいてデータビットを生成するように構成された送受信器を含む。
【００８４】
第１の特徴部は複数の帯域通過フィルタを含み、当該複数の帯域通過フィルタの各一つは、複数の経路の対応する一つに沿って設けられ、当該帯域通過フィルタにおいて受信した信号を各周波数帯域へとフィルタリングするように構成される。複数の増幅器の少なくともいくつかは、複数の可変利得増幅器（ＶＧＡ）として実装され、当該複数のＶＧＡの各一つは、対応する信号を、当該制御器から受信した増幅器制御信号により制御される利得によって増幅するように構成される。
【００８５】
第２の特徴部は複数の位相シフト部品を含み、当該複数の位相シフト部品の各一つは、複数の経路の対応する一つに沿って設けられ、当該位相シフト部品を通過する信号を位相シフトするように構成される。
【００８６】
第３の特徴部は複数のインピーダンス整合部品を含み、当該複数のインピーダンス整合部品の各一つは、複数の経路の対応する一つに沿って設けられ、当該複数の経路の当該一つの帯域外雑音指数又は帯域外利得の少なくとも一方を低減するように構成される。
【００８７】
第４の特徴部は複数の増幅器後段帯域通過フィルタを含み、当該複数の増幅器後段帯域通過フィルタの各一つは、当該複数の増幅器の対応する一つの出力において複数の経路の対応する一つに沿って設けられ、信号を各周波数帯域へとフィルタリングするように構成される。
【００８８】
第５の特徴部は、一以上の単極／単投スイッチを有するスイッチングネットワークを含み、当該スイッチの各一つは、複数の経路の２つを結合する。スイッチングネットワークは、制御器が帯域選択信号に基づいて制御するように構成される。
【００８９】
第６の特徴部は、一以上の入力マルチプレクサ入力において一以上のＲＦ信号を受信し、当該一以上のＲＦ信号のそれぞれを、複数の経路の一以上それぞれに沿って伝播させるべく複数の入力マルチプレクサ出力の一以上へと出力するように構成された入力マルチプレクサと、一以上の対応出力マルチプレクサ入力において当該複数の経路の一以上それぞれに沿って伝播する一以上の増幅されたＲＦ信号を受信し、当該一以上の増幅されたＲＦ信号のそれぞれを、複数の出力マルチプレクサ出力の選択された一つへと出力するように構成された出力マルチプレクサとを含む。
【００９０】
いくつかの実施形態において、無線装置は、セルラー電話であり得る。
【００９１】
本開示をまとめる目的で、本発明の所定の態様、利点、及び新規な特徴がここに記載されてきた。理解すべきことだが、かかる利点のすべてが必ずしも、本発明の任意の特定実施形態によって達成できるわけではない。すなわち、本発明は、ここに教示される一つの利点又は複数の利点の群を、ここに教示され又は示唆され得る他の利点を達成する必要なしに、達成又は最適化する態様で具体化し又は実行することができる。
【図面の簡単な説明】
【００９２】
【図１】一次アンテナ及びダイバーシティアンテナに結合された通信モジュールを有する無線装置を示す。
【図２】ＤＲｘフロントエンドモジュール（ＦＥＭ）を含むダイバーシティ受信器（ＤＲｘ）構成を示す。
【図３】いくつかの実施形態において、ダイバーシティ受信器（ＤＲｘ）構成が、多重周波数帯域に対応する多重経路を備えたＤＲｘモジュールを含み得ることを示す。
【図４】いくつかの実施形態において、ダイバーシティ受信器構成が、ダイバーシティ受信器（ＤＲｘ）モジュールよりも少ない増幅器を備えたダイバーシティＲＦモジュールを含み得ることを示す。
【図５】いくつかの実施形態において、ダイバーシティ受信器構成が、オフモジュールフィルタに結合されたＤＲｘモジュールを含み得ることを示す。
【図６】いくつかの実施形態において、可変利得増幅器の利得がバイパス可能となり得ることを示す。
【図７】いくつかの実施形態において、可変利得増幅器の利得がステップ可変又は連続可変であり得ることを示す。
【図８】いくつかの実施形態において、ダイバーシティ受信器構成が、チューニング可能整合回路を備えたＤＲｘモジュールを含み得ることを示す。
【図９】いくつかの実施形態において、ダイバーシティ受信器構成が多重アンテナを含み得ることを示す。
【図１０】ＲＦ信号を処理する方法のフローチャート表現の一実施形態を示す。
【図１１】いくつかの実施形態において、ダイバーシティ受信器構成が、一以上の位相整合部品を備えたＤＲｘモジュールを含み得ることを示す。
【図１２】いくつかの実施形態において、ダイバーシティ受信器構成が、一以上の位相整合部品及び二段増幅器を備えたＤＲｘモジュールを含み得ることを示す。
【図１３】いくつかの実施形態において、ダイバーシティ受信器構成が、一以上の位相整合部品と一の結合器後段増幅器を備えたＤＲｘモジュールを含み得ることを示す。
【図１４】いくつかの実施形態において、ダイバーシティ受信器構成が、チューニング可能位相シフト部品を備えたＤＲｘモジュールを含み得ることを示す。
【図１５】いくつかの実施形態において、ダイバーシティ受信器構成が、一以上のインピーダンス整合部品を備えたＤＲｘモジュールを含み得ることを示す。
【図１６】いくつかの実施形態において、ダイバーシティ受信器構成が、チューニング可能インピーダンス整合部品を備えたＤＲｘモジュールを含み得ることを示す。
【図１７】いくつかの実施形態において、ダイバーシティ受信器構成が、チューニング可能インピーダンス整合部品が入力及び出力に設けられたＤＲｘモジュールを含み得ることを示す。
【図１８】いくつかの実施形態において、ダイバーシティ受信器構成が、多重チューニング可能部品を備えたＤＲｘモジュールを含み得ることを示す。
【図１９】ＲＦ信号を処理する方法のフローチャート表現の一実施形態を示す。
【図２０】いくつかの実施形態において、ダイバーシティ受信器構成が、複数の増幅器の出力に設けられた複数の帯域通過フィルタを有するダイバーシティ受信器（ＤＲｘ）モジュールを含み得ることを示す。
【図２１】いくつかの実施形態において、ダイバーシティ受信器構成が、ダイバーシティ受信器（ＤＲｘ）モジュールよりも少ない増幅器を備えたダイバーシティＲＦモジュールを含み得ることを示す。
【図２２】いくつかの実施形態において、ダイバーシティ受信器構成が、オフモジュールフィルタに結合されたＤＲｘモジュールを含み得ることを示す。
【図２３】いくつかの実施形態において、ダイバーシティ受信器構成が、チューニング可能整合回路を備えたＤＲｘモジュールを含み得ることを示す。
【図２４】いくつかの実施形態において、ダイバーシティ受信器構成が、単極／単投スイッチを備えたＤＲｘモジュールを含み得ることを示す。
【図２５】いくつかの実施形態において、ダイバーシティ受信器構成が、チューニング可能位相シフト部品を備えたＤＲｘモジュールを含み得ることを示す。
【図２６】ＲＦ信号を処理する方法のフローチャート表現の一実施形態を示す。
【図２７】いくつかの実施形態において、ダイバーシティ受信器構成が、チューニング可能整合回路を備えたＤＲｘモジュールを含み得ることを示す。
【図２８】いくつかの実施形態において、ダイバーシティ受信器構成が多重送信ラインを含み得ることを示す。
【図２９】動的引き回しを目的として使用することができる出力マルチプレクサの一実施形態を示す。
【図３０】動的引き回しを目的として使用することができる出力マルチプレクサの他実施形態を示す。
【図３１】いくつかの実施形態において、ダイバーシティ受信器構成が多重アンテナを含み得ることを示す。
【図３２】動的引き回しを目的として使用することができる入力マルチプレクサの一実施形態を示す。
【図３３】動的引き回しを目的として使用することができる入力マルチプレクサの他実施形態を示す。
【図３４】動的入力引き回し及び／又は出力引き回しを備えたＤＲｘモジュールの様々な実装を示す。
【図３５】動的入力引き回し及び／又は出力引き回しを備えたＤＲｘモジュールの様々な実装を示す。
【図３６】動的入力引き回し及び／又は出力引き回しを備えたＤＲｘモジュールの様々な実装を示す。
【図３７】動的入力引き回し及び／又は出力引き回しを備えたＤＲｘモジュールの様々な実装を示す。
【図３８】動的入力引き回し及び／又は出力引き回しを備えたＤＲｘモジュールの様々な実装を示す。
【図３９】動的入力引き回し及び／又は出力引き回しを備えたＤＲｘモジュールの様々な実装を示す。
【図４０】ＲＦ信号を処理する方法のフローチャート表現の一実施形態を示す。
【図４１】図４１Ａ及び４１Ｂは、いくつかの実施形態において、ダイバーシティ受信器構成が、ここに記載される例Ａの一以上の特徴と、ここに記載される例Ｂの一以上の特徴とを含み得ることを示す。
【図４２】図４２Ａ及び４２Ｂは、いくつかの実施形態において、ダイバーシティ受信器構成が、ここに記載される例Ａの一以上の特徴と、ここに記載される例Ｃの一以上の特徴とを含み得ることを示す。
【図４３】図４３Ａ及び４３Ｂは、いくつかの実施形態において、ダイバーシティ受信器構成が、ここに記載される例Ａの一以上の特徴と、ここに記載される例Ｄの一以上の特徴とを含み得ることを示す。
【図４４】図４４Ａ及び４４Ｂは、いくつかの実施形態において、ダイバーシティ受信器構成が、ここに記載される例Ｂの一以上の特徴と、ここに記載される例Ｃの一以上の特徴とを含み得ることを示す。
【図４５】図４５Ａ及び４５Ｂは、いくつかの実施形態において、ダイバーシティ受信器構成が、ここに記載される例Ｂの一以上の特徴と、ここに記載される例Ｄの一以上の特徴とを含み得ることを示す。
【図４６】図４６Ａ及び４６Ｂは、いくつかの実施形態において、ダイバーシティ受信器構成が、ここに記載される例Ｃの一以上の特徴と、ここに記載される例Ｄの一以上の特徴とを含み得ることを示す。
【図４７】図４７Ａ及び４７Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴とを含み得ることを示す。
【図４８】図４８Ａ及び４８Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴とを含み得ることを示す。
【図４９】図４９Ａ及び４９Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴とを含み得ることを示す。
【図５０】図５０Ａ及び５０Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴とを含み得ることを示す。
【図５１】図５１Ａ及び５１Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴とを含み得ることを示す。
【図５２】図５２Ａ及び５２Ｂは、いくつかの実施形態において、ダイバーシティ受信器構成が、ここに記載される例Ａの一以上の特徴と、ここに記載される例Ｂの一以上の特徴と、ここに記載される例Ｅの一以上の特徴とを含み得ることを示す。
【図５３】図５３Ａ及び５３Ｂは、いくつかの実施形態において、ダイバーシティ受信器構成が、ここに記載される例Ａの一以上の特徴と、ここに記載される例Ｃの一以上の特徴と、ここに記載される例Ｅの一以上の特徴とを含み得ることを示す。
【図５４】図５４Ａ及び５４Ｂは、いくつかの実施形態において、ダイバーシティ受信器構成が、ここに記載される例Ａの一以上の特徴と、ここに記載される例Ｄの一以上の特徴と、ここに記載される例Ｅの一以上の特徴とを含み得ることを示す。
【図５５】図５５Ａ及び５５Ｂは、いくつかの実施形態において、ダイバーシティ受信器構成が、ここに記載される例Ｂの一以上の特徴と、ここに記載される例Ｃの一以上の特徴と、ここに記載される例Ｅの一以上の特徴とを含み得ることを示す。
【図５６】図５６Ａ及び５６Ｂは、いくつかの実施形態において、ダイバーシティ受信器構成が、ここに記載される例Ｂの一以上の特徴と、ここに記載される例Ｄの一以上の特徴と、ここに記載される例Ｅの一以上の特徴とを含み得ることを示す。
【図５７】図５７Ａ及び５７Ｂは、いくつかの実施形態において、ダイバーシティ受信器構成が、ここに記載される例Ｃの一以上の特徴と、ここに記載される例Ｄの一以上の特徴と、ここに記載される例Ｅの一以上の特徴とを含み得ることを示す。
【図５８】図５８Ａ及び５８Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴とを含み得ることを示す。
【図５９】図５９Ａ及び５９Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴とを含み得ることを示す。
【図６０】図６０Ａ及び６０Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴とを含み得ることを示す。
【図６１】図６１Ａ及び６１Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。
【図６２】図６２Ａ及び６２Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。
【図６３】いくつかの実施形態において、ダイバーシティ受信器構成が、ここに記載される例Ａの一以上の特徴と、ここに記載される例Ｂの一以上の特徴と、ここに記載される例Ｆの一以上の特徴とを含み得ることを示す。
【図６４】いくつかの実施形態において、ダイバーシティ受信器構成が、ここに記載される例Ａの一以上の特徴と、ここに記載される例Ｃの一以上の特徴と、ここに記載される例Ｆの一以上の特徴とを含み得ることを示す。
【図６５】いくつかの実施形態において、ダイバーシティ受信器構成が、ここに記載される例Ａの一以上の特徴と、ここに記載される例Ｄの一以上の特徴と、ここに記載される例Ｆの一以上の特徴とを含み得ることを示す。
【図６６】いくつかの実施形態において、ダイバーシティ受信器構成が、ここに記載される例Ｂの一以上の特徴と、ここに記載される例Ｃの一以上の特徴と、ここに記載される例Ｆの一以上の特徴とを含み得ることを示す。
【図６７】いくつかの実施形態において、ダイバーシティ受信器構成が、ここに記載される例Ｂの一以上の特徴と、ここに記載される例Ｄの一以上の特徴と、ここに記載される例Ｆの一以上の特徴とを含み得ることを示す。
【図６８】いくつかの実施形態において、ダイバーシティ受信器構成が、ここに記載される例Ｃの一以上の特徴と、ここに記載される例Ｄの一以上の特徴と、ここに記載される例Ｆの一以上の特徴とを含み得ることを示す。
【図６９】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｆの一以上の特徴とを含み得ることを示す。
【図７０】いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｆの一以上の特徴とを含み得ることを示す。
【図７１】いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｆの一以上の特徴とを含み得ることを示す。
【図７２】いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。
【図７３】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。
【図７４】いくつかの実施形態において、ダイバーシティ受信器構成が、ここに記載される例Ａの一以上の特徴と、ここに記載される例Ｂの一以上の特徴と、ここに記載される例Ｅの一以上の特徴と、ここに記載される例Ｆの一以上の特徴とを含み得ることを示す。
【図７５】いくつかの実施形態において、ダイバーシティ受信器構成が、ここに記載される例Ａの一以上の特徴と、ここに記載される例Ｃの一以上の特徴と、ここに記載される例Ｅの一以上の特徴と、ここに記載される例Ｆの一以上の特徴とを含み得ることを示す。
【図７６】いくつかの実施形態において、ダイバーシティ受信器構成が、ここに記載される例Ａの一以上の特徴と、ここに記載される例Ｄの一以上の特徴と、ここに記載される例Ｅの一以上の特徴と、ここに記載される例Ｆの一以上の特徴とを含み得ることを示す。
【図７７】いくつかの実施形態において、ダイバーシティ受信器構成が、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。
【図７８】いくつかの実施形態において、ダイバーシティ受信器構成が、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。
【図７９】いくつかの実施形態において、ダイバーシティ受信器構成が、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図８０】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。
【図８１】いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。
【図８２】いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図８３】いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図８４】いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。
【図８５】図８５Ａ及び８５Ｂは、いくつかの実施形態において、ダイバーシティ受信器構成が、ここに記載される例Ａの一以上の特徴と、ここに記載される例Ｅの一以上の特徴とを含み得ることを示す。
【図８６】図８６Ａ及び８６Ｂは、いくつかの実施形態において、ダイバーシティ受信器構成が、ここに記載される例Ｂの一以上の特徴と、ここに記載される例Ｅの一以上の特徴とを含み得ることを示す。
【図８７】図８７Ａ及び８７Ｂは、いくつかの実施形態において、ダイバーシティ受信器構成が、ここに記載される例Ｃの一以上の特徴と、ここに記載される例Ｅの一以上の特徴とを含み得ることを示す。
【図８８】図８８Ａ及び８８Ｂは、いくつかの実施形態において、ダイバーシティ受信器構成が、ここに記載される例Ｄの一以上の特徴と、ここに記載される例Ｅの一以上の特徴とを含み得ることを示す。
【図８９】いくつかの実施形態において、ダイバーシティ受信器構成が、ここに記載される例Ａの一以上の特徴と、ここに記載される例Ｆの一以上の特徴とを含み得ることを示す。
【図９０】いくつかの実施形態において、ダイバーシティ受信器構成が、ここに記載される例Ｂの一以上の特徴と、ここに記載される例Ｆの一以上の特徴とを含み得ることを示す。
【図９１】いくつかの実施形態において、ダイバーシティ受信器構成が、ここに記載される例Ｃの一以上の特徴と、ここに記載される例Ｆの一以上の特徴とを含み得ることを示す。
【図９２】いくつかの実施形態において、ダイバーシティ受信器構成が、ここに記載される例Ｄの一以上の特徴と、ここに記載される例Ｆの一以上の特徴とを含み得ることを示す。
【図９３】いくつかの実施形態において、ダイバーシティ受信器構成が、ここに記載される例Ｅの一以上の特徴と、ここに記載される例Ｆの一以上の特徴とを含み得ることを示す。
【図９４】いくつかの実施形態において、ダイバーシティ受信器構成が、ここに記載される例Ａの一以上の特徴と、ここに記載される例Ｅの一以上の特徴と、ここに記載される例Ｆの一以上の特徴とを含み得ることを示す。
【図９５】いくつかの実施形態において、ダイバーシティ受信器構成が、ここに記載される例Ｂの一以上の特徴と、ここに記載される例Ｅの一以上の特徴と、ここに記載される例Ｆの一以上の特徴とを含み得ることを示す。
【図９６】いくつかの実施形態において、ダイバーシティ受信器構成が、ここに記載される例Ｃの一以上の特徴と、ここに記載される例Ｅの一以上の特徴と、ここに記載される例Ｆの一以上の特徴とを含み得ることを示す。
【図９７】いくつかの実施形態において、ダイバーシティ受信器構成が、ここに記載される例Ｄの一以上の特徴と、ここに記載される例Ｅの一以上の特徴と、ここに記載される例Ｆの一以上の特徴とを含み得ることを示す。
【図９８】いくつかの実施形態において、ここに記載される一以上の特徴を有するダイバーシティ受信器構成が、ダイバーシティ受信（ＤＲｘ）モジュールのようなモジュールに実装され得ることを示す。
【図９９】ここに記載される一以上の特徴を有するダイバーシティ受信器アーキテクチャを示す。
【図１００】ここに記載される一以上の特徴を有する無線装置を示す。
【発明を実施するための形態】
【００９３】
ここに与えられる見出しは、たとえあったとしても、便宜のみのためであって、必ずしも請求項に係る発明の範囲又は意味に影響するわけではない。
【００９４】
導入
【００９５】
図１は、一次アンテナ１３０及びダイバーシティアンテナ１４０に結合された通信モジュール１１０を有する無線装置１００を示す。通信モジュール１１０（及びその構成部品）は、制御器１２０により制御することができる。通信モジュール１１０は、アナログ無線周波数（ＲＦ）信号及びデジタルデータ信号間の変換をするように構成される送受信器１１２を含む。それを目的として、送受信器１１２は、デジタル／アナログ変換器、アナログ／デジタル変換器、ベース帯域アナログ信号を搬送周波数に変調若しくは搬送周波数から復調する局所発振器、デジタルサンプル及びデータビット（例えば音声又は他のタイプのデータ）間の変換をするベース帯域プロセッサ、又は他の部品を含み得る。
【００９６】
通信モジュール１１０はさらに、一次アンテナ１３０及び送受信器１１２間に結合されたＲＦモジュール１１４を含む。ＲＦモジュール１１４は、ケーブル損失に起因する減衰を低減するべく一次アンテナ１３０に物理的に近いので、ＲＦモジュール１１４は、フロントエンドモジュール（ＦＥＭ）と称することができる。ＲＦモジュール１１４は、送受信器１１２の一次アンテナ１３０から受信したアナログ信号、又は送受信器１１２から受信して一次アンテナ１３０を介して送信するアナログ信号に処理を行うことができる。それを目的として、ＲＦモジュール１１４は、フィルタ、電力増幅器、帯域選択スイッチ、整合回路及び他の部品を含み得る。同様に、通信モジュール１１０は、同様の処理を行う送受信器１１２とダイバーシティアンテナ１４０との間に結合されたダイバーシティＲＦモジュール１１６を含む。
【００９７】
信号が無線装置に送信されると当該信号は、一次アンテナ１３０及びダイバーシティアンテナ１４０の双方において受信され得る。一次アンテナ１３０及びダイバーシティアンテナ１４０は物理的に離間しているので、一次アンテナ１３０及びダイバーシティアンテナ１４０において受信される信号は異なる特性を備える。例えば、一実施形態において、一次アンテナ１３０及びダイバーシティアンテナ１４０は、異なる減衰、雑音、周波数応答又は位相シフトを備えた信号を受信し得る。送受信器１１２は、異なる特性を備えた双方の信号を使用して、当該信号に対応するデータビットを決定することができる。いくつかの実装において、送受信器１１２は、当該特性に基づいて一次アンテナ１３０及びダイバーシティアンテナ１４０間から、信号対雑音比が最高のアンテナを選択するというように、選択される。いくつかの実装において、送受信器１１２は、一次アンテナ１３０からの信号とダイバーシティアンテナ１４０からの信号とを結合して当該結合信号の信号対雑音比を増加させる。いくつかの実装において、送受信器１１２は、多重入力／多重出力（ＭＩＭＯ）通信を行うべく信号を処理する。
【００９８】
ダイバーシティアンテナ１４０は一次アンテナ１３０から物理的に離間しているので、ダイバーシティアンテナ１４０は、ケーブル又はプリント回路基板（ＰＣＢ）トレースのような送信ライン１３５を介して通信モジュール１１０に結合される。いくつかの実装において、送信ライン１３５は損失性であり、ダイバーシティアンテナ１４０において受信した信号を減衰させ、その後、当該信号は通信モジュール１１０に到達する。すなわち、いくつかの実装において、以下に記載するように、ダイバーシティアンテナ１４０において受信した信号に利得が適用される。利得（又は他の、フィルタリングのようなアナログ処理）は、ダイバーシティ受信器モジュールによって適用することができる。かかるダイバーシティ受信器モジュールは、ダイバーシティアンテナ１４０の物理的近くに設けられるので、ダイバーシティ受信器フロントエンドモジュールと称することができる。
【００９９】
図２は、ＤＲｘフロントエンドモジュール（ＦＥＭ）２１０を含むダイバーシティ受信器（ＤＲｘ）構成２００を示す。ＤＲｘ構成２００は、ダイバーシティ信号を受信して当該ダイバーシティ信号をＤＲｘＦＥＭ２１０に与えるべく構成されたダイバーシティアンテナ１４０を含む。ＤＲｘＦＥＭ２１０は、ダイバーシティアンテナ１４０から受信したダイバーシティ信号の処理を行うべく構成される。例えば、ＤＲｘＦＥＭ２１０は、ダイバーシティ信号を、例えば制御器１２０が指示する一以上のアクティブ周波数帯域へとフィルタリングするように構成することができる。他例では、ＤＲｘＦＥＭ２１０は、ダイバーシティ信号を増幅するように構成することができる。それを目的として、ＤＲｘＦＥＭ２１０は、フィルタ、低雑音増幅器、帯域選択スイッチ、整合回路及び他の部品を含み得る。
【０１００】
ＤＲｘＦＥＭ２１０は、処理されたダイバーシティ信号を、送信ライン１３５を介して、ダイバーシティＲＦ（Ｄ−ＲＦ）モジュール１１６のような下流側モジュールへと送信する。下流側モジュールは、さらに処理されたダイバーシティ信号を送受信器１１２に供給する。ダイバーシティＲＦモジュール１１６（及び、いくつかの実装においては送受信器）は、制御器１２０によって制御される。いくつかの実装において、制御器１２０は、送受信器１１２内に実装することができる。
【０１０１】
図３は、いくつかの実施形態において、ダイバーシティ受信器（ＤＲｘ）構成３００が、多重周波数帯域に対応する多重経路を備えたＤＲｘモジュール３１０を含み得ることを示す。ＤＲｘ構成３００は、ダイバーシティ信号を受信するように構成されたダイバーシティアンテナ１４０を含む。いくつかの実装において、ダイバーシティ信号は、単一周波数帯域に変調されたデータを含む単一帯域信号とすることができる。いくつかの実装において、ダイバーシティ信号は、多重周波数帯域に変調されたデータを含む多重帯域信号（帯域間キャリアアグリゲーション信号とも称する）とすることができる。
【０１０２】
ＤＲｘモジュール３１０は、ダイバーシティアンテナ１４０からのダイバーシティ信号を受信する入力と、処理されたダイバーシティ信号を送受信器３３０に（送信ライン１３５及びダイバーシティＲＦモジュール３２０を介して）与える出力とを有する。ＤＲｘモジュール３１０の入力は、第１マルチプレクサ（ＭＵＸ）３１１の入力に供給される。第１マルチプレクサ３１１は複数のマルチプレクサ出力を含む。各マルチプレクサ出力は、ＤＲｘモジュール３１０の入力及び出力間の経路に対応する。各経路は、各周波数帯域に対応し得る。ＤＲｘモジュール３１０の出力は、第２マルチプレクサ３１２の出力によって与えられる。第２マルチプレクサ３１２は複数のマルチプレクサ入力を含む。各マルチプレクサ入力は、ＤＲｘモジュール３１０の入力及び出力間の経路の一つに対応する。
【０１０３】
周波数帯域は、ＵＭＴＳ（ユニバーサル移動体通信システム）周波数帯域のようなセルラー周波数帯域とすることができる。例えば、第１周波数帯域を１９３０メガヘルツ（ＭＨＺ）〜１９９０ＭＨｚのＵＭＴＳダウンリンク又は「Ｒｘ」帯域２とし、第２周波数帯域を８６９ＭＨｚ〜８９４ＭＨｚのＵＭＴＳダウンリンク又は「Ｒｘ」帯域５とすることができる。表１において以下に記載のもの又は他の非ＵＭＴＳ周波数帯域のような、他のダウンリンク周波数帯域も使用され得る。
【０１０４】
いくつかの実装において、ＤＲｘモジュール３１０はＤＲｘ制御器３０２を含む。ＤＲｘ制御器３０２は、制御器１２０（通信制御器とも称する）から信号を受信し、当該受信した信号に基づいて入力及び出力間の複数の経路の一以上を選択的にアクティブにする。いくつかの実装において、ＤＲｘモジュール３１０は、ＤＲｘ制御器３０２を含まずに制御器１２０が、複数の経路の一以上を直接、選択的にアクティブにする。
【０１０５】
ここで述べたように、いくつかの実装において、ダイバーシティ信号は単一帯域信号である。すなわち、いくつかの実装において、第１マルチプレクサ３１１は、単一帯域信号の周波数帯域に対応する複数の経路の一つへと、ＤＲｘ制御器３０２から受信した信号に基づいてダイバーシティ信号を引き回す単極／多投（ＳＰＭＴ）スイッチである。ＤＲｘ制御器３０２は、ＤＲｘ制御器３０２が通信制御器１２０から受信した帯域選択信号に基づいて信号を生成することができる。同様に、いくつかの実装において、第２マルチプレクサ３１２は、ＤＲｘ制御器３０２から受信した信号に基づいて、単一帯域信号の周波数帯域に対応する複数の経路の一つからの信号を引き回すＳＰＭＴスイッチである。
【０１０６】
ここで述べたように、いくつかの実装において、ダイバーシティ信号は多重帯域信号である。すなわち、いくつかの実装において、第１マルチプレクサ３１１は、ＤＲｘ制御器３０２から受信した分割器制御信号に基づいて、多重帯域信号の２以上周波数帯域に対応する複数の経路の２以上にダイバーシティ信号を引き回す帯域分割器である。信号分割器の機能は、ＳＰＭＴスイッチ、ダイプレクサフィルタ、又はこれらの何らかの組み合わせとして実装することができる。同様に、いくつかの実装において、第２マルチプレクサ３１２は、多重帯域信号の２以上の周波数帯域に対応する複数の経路の２以上からの信号を、ＤＲｘ制御器３０２から受信した結合器制御信号に基づいて結合する信号結合器である。信号結合器の機能は、ＳＰＭＴスイッチ、ダイプレクサフィルタ、又はこれらの何らかの組み合わせとして実装することができる。ＤＲｘ制御器３０２は、ＤＲｘ制御器３０２が通信制御器１２０から受信した帯域選択信号に基づいて分割器制御信号及び結合器制御信号を生成することができる。
【０１０７】
すなわち、いくつかの実装において、ＤＲｘ制御器３０２は、ＤＲｘ制御器３０２が（例えば通信制御器１２０から）受信した帯域選択信号に基づいて複数の経路の一以上を選択的にアクティブにするように構成される。いくつかの実装において、ＤＲｘ制御器３０２は、信号分割器に分割器制御信号を送信しかつ信号結合器に結合器制御信号を送信することによって複数の経路の一以上を選択的にアクティブにするように構成される。
【０１０８】
ＤＲｘモジュール３１０は複数の帯域通過フィルタ３１３ａ〜３１３ｄを含む。帯域通過フィルタ３１３ａ〜３１３ｄの各一つは、複数の経路の対応する一つに沿って設けられ、帯域通過フィルタにおいて受信した信号を、当該複数の経路の当該一つの対応周波数帯域へとフィルタリングするように構成される。いくつかの実装において、帯域通過フィルタ３１３ａ〜３１３ｄはさらに、帯域通過フィルタにおいて受信した信号を、当該複数の経路の当該一つの対応周波数帯域のダウンリンク周波数サブ帯域へとフィルタリングするように構成される。ＤＲｘモジュール３１０は複数の増幅器３１４ａ〜３１４ｄを含む。増幅器３１４ａ〜３１４ｄの各一つは、複数の経路の対応する一つに沿って設けられ、当該増幅器において受信した信号を増幅するように構成される。
【０１０９】
いくつかの実装において、増幅器３１４ａ〜３１４ｄは、当該増幅器が設けられた経路の対応周波数帯域内の信号を増幅するように構成された狭帯域増幅器である。いくつかの実装において、増幅器３１４ａ〜３１４ｄは、ＤＲｘ制御器３０２によって制御可能である。例えば、いくつかの実装において、増幅器３１４ａ〜３１４ｄはそれぞれ、イネーブル／ディセーブル入力を含み、当該イネーブル／ディセーブル入力において受信した増幅器イネーブル信号に基づいてイネーブル（又はディセーブル）にされる。増幅器イネーブル信号は、ＤＲｘ制御器３０２によって送信することができる。すなわち、いくつかの実装において、ＤＲｘ制御器３０２は、複数の経路の一以上に沿ってそれぞれが設けられた増幅器３１４ａ〜３１４ｄの一以上に増幅器イネーブル信号を送信することにより、当該複数の経路の一以上を選択的にアクティブにするように構成される。かかる実装においては、ＤＲｘ制御器３０２による制御というよりもむしろ、第１マルチプレクサ３１１を、ダイバーシティ信号を複数の経路のそれぞれに引き回す信号分割器とし、第２マルチプレクサ３１２を、当該複数の経路のそれぞれからの信号を結合する信号結合器とすることができる。しかしながら、ＤＲｘ制御器３０２が第１マルチプレクサ３１１及び第２マルチプレクサ３１２を制御する実装において、ＤＲＸ制御器３０２はまた、例えば電池を節約するべく特定の増幅器３１４ａ〜３１４ｄをイネーブル（又はディセーブル）にすることもできる。
【０１１０】
いくつかの実装において、増幅器３１４ａ〜３１４ｄは可変利得増幅器（ＶＧＡ）である。すなわち、いくつかの実装において、ＤＲｘモジュール３１０は複数の可変利得増幅器（ＶＧＡ）を含み、ＶＧＡの各一つは、複数の経路の対応する一つに沿って設けられ、当該ＶＧＡにおいて受信した信号を、ＤＲｘ制御器３０２から受信した増幅器制御信号が制御する利得によって増幅するように構成される。
【０１１１】
ＶＧＡの利得は、バイパス可能、ステップ可変、連続可変とすることができる。いくつかの実装において、ＶＧＡの少なくとも一つは、固定利得増幅器と、増幅器制御信号によって制御可能なバイパススイッチとを含む。バイパススイッチは（第１位置において）、固定利得増幅器の入力と当該固定利得増幅器の出力との間のラインを閉とすることにより、信号が当該固定利得増幅器をバイパスするのを許容することができる。バイパススイッチは（第２位置において）入力及び出力間のラインを開とすることにより、信号が固定利得増幅器を通過するようにできる。いくつかの実装において、固定利得増幅器は、バイパススイッチが第１位置にある場合はディセーブルにされ、そうでない場合はバイパスモードに適合するように再構成される。
【０１１２】
いくつかの実装において、ＶＧＡの少なくとも一つは、当該ＶＧＡにおいて受信した信号を、増幅器制御信号によって指示された複数の設定量の一つの利得によって増幅するように構成されたステップ可変利得増幅器を含む。いくつかの実装において、ＶＧＡの少なくとも一つは、当該ＶＧＡにおいて受信した信号を増幅器制御信号に比例する利得によって増幅するように構成された連続可変利得増幅器を含む。
【０１１３】
いくつかの実装において、増幅器３１４ａ〜３１４ｄは可変電流増幅器（ＶＣＡ）である。ＶＣＡにより引き出される電流は、バイパス可能、ステップ可変、連続可変とすることができる。いくつかの実装において、ＶＣＡの少なくとも一つは、固定電流増幅器と、増幅器制御信号によって制御可能なバイパススイッチとを含む。バイパススイッチは（第１位置において）、固定電流増幅器の入力と当該固定電流増幅器の出力との間のラインを閉とすることにより、信号が当該固定電流増幅器をバイパスするのを許容することができる。バイパススイッチは（第２位置において）入力及び出力間のラインを開とすることにより、信号が固定電流増幅器を通過するようにできる。いくつかの実装において、固定電流増幅器は、バイパススイッチが第１位置にある場合にディセーブルにされ、そうでない場合はバイパスモードに適合するように再構成される。
【０１１４】
いくつかの実装において、ＶＣＡの少なくとも一つは、当該ＶＣＡにおいて受信した信号を、増幅器制御信号が指示する複数の設定量の一つの電流を引き出すことによって増幅するように構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するように構成された連続可変電流増幅器を含む。
【０１１５】
いくつかの実装において、増幅器３１４ａ〜３１４ｄは、固定利得、固定電流増幅器である。いくつかの実装において、増幅器３１４ａ〜３１４ｄは、固定利得、可変電流増幅器である。いくつかの実装において、増幅器３１４ａ〜３１４ｄは、可変利得、固定電流増幅器である。いくつかの実装において、増幅器３１４ａ〜３１４ｄは、可変利得、可変電流増幅器である。
【０１１６】
いくつかの実装において、ＤＲｘ制御器３０２は、入力において受信した入力信号の、サービス品質メトリックに基づいて増幅器制御信号（複数可）を生成する。いくつかの実装において、ＤＲｘ制御器３０２は、通信制御器１２０から受信した信号に基づいて増幅器制御信号（複数可）を生成する。増幅器制御信号はさらに、受信した信号のサービス品質（ＱｏＳ）メトリックに基づき得る。受信した信号のＱｏＳメトリックは、少なくとも部分的には、ダイバーシティアンテナ１４０において受信したダイバーシティ信号（例えば入力において受信した入力信号）に基づき得る。受信した信号のＱｏＳメトリックはさらに、一次アンテナにおいて受信した信号に基づき得る。いくつかの実装において、ＤＲｘ制御器３０２は、通信制御器１２０から信号を受信することなく、ダイバーシティ信号のＱｏＳメトリックに基づいて増幅器制御信号（複数可）を生成する。
【０１１７】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【０１１８】
ここで述べたように、ＤＲｘモジュール３１０は、ダイバーシティアンテナ１４０からのダイバーシティ信号を受信する入力と、処理されたダイバーシティ信号を送受信器３３０に（送信ライン１３５及びダイバーシティＲＦモジュール３２０を介して）与える出力とを有する。ダイバーシティＲＦモジュール３２０は、処理されたダイバーシティ信号を、送信ライン１３５を介して受信してさらなる処理を行う。特に、処理されたダイバーシティ信号は、ダイバーシティＲＦマルチプレクサ３２１によって一以上の経路へと分割され又は引き回される。当該経路において、分割され又は引き回された信号は、対応する帯域通過フィルタ３２３ａ〜３２３ｄによるフィルタリングを受け、対応する増幅器３２４ａ〜３２４ｄによって増幅される。増幅器３２４ａ〜３２４ｄそれぞれの出力は、送受信器３３０に与えられる。
【０１１９】
ダイバーシティＲＦマルチプレクサ３２１は、経路の一以上を選択的にアクティブにするべく制御器１２０によって（直接的に又はオンチップダイバーシティＲＦ制御器を介してのいずれかにより）制御することができる。同様に、増幅器３２４ａ〜３２４ｄも制御器１２０によって制御され得る。例えば、いくつかの実装において、増幅器３２４ａ〜３２４ｄのそれぞれは、イネーブル／ディセーブル入力を含み、増幅器イネーブル信号に基づいてイネーブル（又はディセーブル）にされる。いくつかの実装において、増幅器３２４ａ〜３２４ｄは、制御器１２０（又は制御器１２０が制御するオンチップダイバーシティＲＦ制御器）から受信した増幅器制御信号が制御する利得により、ＶＧＡにおいて受信した信号を増幅する可変利得増幅器（ＶＧＡ）である。いくつかの実装において、増幅器３２４ａ〜３２４ｄは可変電流増幅器（ＶＣＡ）である。
【０１２０】
すでにダイバーシティＲＦモジュール３２０を含んだ受信器チェーンにＤＲｘモジュール３１０を追加することにより、ＤＲｘ構成３００における帯域通過フィルタの数は２倍となる。すなわち、いくつかの実装において、帯域通過フィルタ３２３ａ〜３２３ｄは、ダイバーシティＲＦモジュール３２０には含まれない。むしろ、ＤＲｘモジュール３１０の帯域通過フィルタ３１３ａ〜３１３ｄが、帯域外ブロッカーの強度を低減するべく使用される。さらに、ダイバーシティＲＦモジュール３２０の自動利得制御（ＡＧＣ）テーブルをシフトして、ダイバーシティＲＦモジュール３２０の増幅器３２４ａ〜３２４ｄが与える利得量を、ＤＲｘモジュール３１０の増幅器３１４ａ〜３１４ｄが与える利得量だけ低減することができる。
【０１２１】
例えば、ＤＲｘモジュール利得が１５ｄＢでありかつ受信器感度が−１００ｄＢｍの場合、ダイバーシティＲＦモジュール３２０は−８５ｄＢｍの感度となる。ダイバーシティＲＦモジュール３２０の閉ループＡＧＣがアクティブになると、その利得は自動的に１５ｄＢだけ降下する。しかしながら、信号部品及び帯域外ブロッカーの双方が受信されて１５ｄＢだけ増幅される。すなわち、ダイバーシティＲＦモジュール３２０の１５ｄＢ利得降下には、その線形性の１５ｄＢ上昇も付随し得る。特に、ダイバーシティＲＦモジュール３２０の増幅器３２４ａ〜３２４ｄは、当該増幅器の線形性が、利得低減（又は電流増加）に伴い増加するように設計され得る。
【０１２２】
いくつかの実装において、制御器１２０は、ＤＲｘモジュール３１０の増幅器３１４ａ〜３１４ｄとダイバーシティＲＦモジュール３２０の増幅器３２４ａ〜３２４ｄとの利得（及び／又は電流）を制御する。ここでの例においてのように、制御器１２０は、ＤＲｘモジュール３１０の増幅器３１４ａ〜３１４ｄが与える一定量の利得が増加することに応答して、ダイバーシティＲＦモジュール３２０の増幅器３２４ａ〜３２４ｄが与える一定量の利得を低減することができる。すなわち、いくつかの実装において、制御器１２０は、（ダイバーシティＲＦモジュール３２０の増幅器３２４ａ〜３２４ｄのための）下流側増幅器制御信号を（ＤＲｘモジュール３１０の増幅器３１４ａ〜３１４ｄのための）増幅器制御信号に基づいて生成し、送信ライン１３５を介して（ＤＲｘモジュール３１０の）出力に結合された一以上の下流側増幅器３２４ａ〜３２４ｄの利得を制御するように構成される。いくつかの実装において、制御器１２０はまた、無線装置の、フロントエンドモジュール（ＦＥＭ）における増幅器のような他の部品の利得も増幅器制御信号に基づいて制御する。
【０１２３】
ここで述べたように、いくつかの実装において、帯域通過フィルタ３２３ａ〜３２３ｄは含まれない。すなわち、いくつかの実装において、下流側増幅器３２４ａ〜３２４ｄの少なくとも一つは、下流側帯域通過フィルタを通過することなく、送信ライン１３５を介して（ＤＲｘモジュール３１０の）出力に結合される。
【０１２４】
図４は、いくつかの実施形態において、ダイバーシティ受信器構成４００が、ダイバーシティ受信器（ＤＲｘ）モジュール３１０よりも少ない増幅器を備えたダイバーシティＲＦモジュール４２０を含み得ることを示す。ダイバーシティ受信器構成４００は、図３を参照してここに記載されるダイバーシティアンテナ１４０及びＤＲｘモジュール３１０を含む。ＤＲｘモジュール３１０の出力が、送信ライン１３５を介してダイバーシティＲＦモジュール４２０へと通過する。ダイバーシティＲＦモジュール４２０は、図４のダイバーシティＲＦモジュール４２０がＤＲｘモジュール３１０よりも少ない増幅器を含む点で図３のダイバーシティＲＦモジュール３２０とは異なる。
【０１２５】
ここに言及されるように、いくつかの実装において、ダイバーシティＲＦモジュール４２０は帯域通過フィルタを含まない。すなわち、いくつかの実装において、ダイバーシティＲＦモジュール４２０の一以上の増幅器４２４は帯域固有とする必要がない。特に、ダイバーシティＲＦモジュール４２０は一以上の経路を含み得る。各経路は、ＤＲｘモジュール３１０の経路に一対一でマッピングされない増幅器４２４を含む。かかる経路（又は対応する増幅器）のマッピングは、制御器１２０に記憶することができる。
【０１２６】
したがって、ＤＲｘモジュール３１０が、それぞれが一周波数帯域に対応する一定数の経路を含む一方、ダイバーシティＲＦモジュール４２０は、単一周波数帯域に対応しない一以上の経路を含み得る。
【０１２７】
（図４に示される）いくつかの実装において、ダイバーシティＲＦモジュール４２０は、送信ライン１３５から受信した信号を増幅して増幅済み信号をマルチプレクサ４２１へと出力する単一の広帯域又はチューニング可能増幅器４２４を含む。マルチプレクサ４２１は、それぞれが各周波数帯域に対応する複数のマルチプレクサ出力を含む。いくつかの実装において、ダイバーシティＲＦモジュール４２０はいずれの増幅器も含まない。
【０１２８】
いくつかの実装において、ダイバーシティ信号は単一帯域信号である。すなわち、いくつかの実装において、マルチプレクサ４２１は、制御器１２０から受信した信号に基づいてダイバーシティ信号を、複数の出力の、単一帯域信号の周波数帯域に対応する一つへと引き回すＳＰＭＴスイッチである。いくつかの実装において、ダイバーシティ信号は多重帯域信号である。すなわち、いくつかの実装において、マルチプレクサ４２１は、制御器１２０から受信した分割器制御信号に基づいてダイバーシティ信号を、複数の出力の、多重帯域信号の２以上の周波数帯域に対応する２以上へと引き回す信号分割器である。いくつかの実装において、ダイバーシティＲＦモジュール４２０は、単一モジュールとして送受信器３３０と組み合わせることができる。
【０１２９】
いくつかの実装において、ダイバーシティＲＦモジュール４２０は、それぞれが一組の周波数帯域に対応する多重増幅器を含む。送信ライン１３５からの信号は、第１経路に沿って高周波増幅器に高周波を出力しかつ第２経路に沿って低周波増幅器に低周波を出力する帯域分割器へと供給することができる。各増幅器の出力は、当該信号を送受信器３３０の対応入力へと引き回すべく構成されたマルチプレクサ４２１へと与えることができる。
【０１３０】
図５は、いくつかの実施形態において、ダイバーシティ受信器構成５００が、オフモジュールフィルタ５１３に結合されたＤＲｘモジュール５１０を含み得ることを示す。ＤＲｘモジュール５１０は、複数の部品を受容するように構成されたパッケージング基板５０１と、パッケージング基板５０１に実装された受信システムとを含み得る。ＤＲｘモジュール５１０は、ＤＲｘモジュール５１０から出るように引き回されて任意の所望帯域のためのフィルタをサポートするシステムインテグレータ、設計者又は製造者にとって利用可能とされた一以上の信号経路を含み得る。
【０１３１】
ＤＲｘモジュール５１０は、ＤＲｘモジュール５１０の入力及び出力間に一定数の経路を含む。ＤＲｘモジュール５１０は、ＤＲｘ制御器５０２が制御するバイパススイッチ５１９によってアクティブにされる入力及び出力間のバイパス経路を含む。図５が単一のバイパススイッチ５１９を例示するにもかかわらず、いくつかの実装において、バイパススイッチ５１９は、多重スイッチ（例えば、入力の物理的近くに設けられた第１スイッチ、及び出力の物理的近くに設けられた第２スイッチ）を含み得る。図５に示されるように、バイパス経路は、フィルタ又は増幅器を含まない。
【０１３２】
ＤＲｘモジュール５１０は、第１マルチプレクサ５１１及び第２マルチプレクサ５１２を含む一定数のマルチプレクサ経路を含む。マルチプレクサ経路は一定数のオンモジュール経路を含む。これは、第１マルチプレクサ５１１、パッケージング基板５０１に実装された帯域通過フィルタ３１３ａ〜３１３ｄ、パッケージング基板５０１に実装された増幅器３１４ａ〜３１４ｄ、及び第２マルチプレクサ５１２を含む。マルチプレクサ経路は一以上のオフモジュール経路を含む。これは、第１マルチプレクサ５１１、パッケージング基板５０１の外に実装された帯域通過フィルタ５１３、増幅器５１４、及び第２マルチプレクサ５１２を含む。増幅器５１４は、パッケージング基板５０１に実装された広帯域増幅器とすることができ、又はパッケージング基板５０１の外に実装することもできる。ここに記載されるように、増幅器３１４ａ〜３１４ｄ、５１４は、可変利得増幅器及び／又は可変電流増幅器とすることができる。
【０１３３】
ＤＲｘ制御器５０２は、入力及び出力間の複数の経路の一以上を選択的にアクティブにするように構成される。いくつかの実装において、ＤＲｘ制御器５０２は、ＤＲｘ制御器５０２が（例えば通信制御器から）受信した帯域選択信号に基づいて複数の経路の一以上を選択的にアクティブにするように構成される。ＤＲｘ制御器５０２は、例えば、バイパススイッチ５１９の開閉により、増幅器３１４ａ〜３１４ｄ、５１４のイネーブル又はディセーブルにより、マルチプレクサ５１１、５１２の制御により、又は他のメカニズムを介して当該経路を選択的にアクティブにすることができる。例えば、ＤＲｘ制御器５０２は、（例えば、フィルタ３１３ａ〜３１３ｄ、５１３と増幅器３１４ａ〜３１４ｄ、５１４との間の）経路沿いのスイッチを開閉すること、又は増幅器３１４ａ〜３１４ｄ、５１４の利得を実質的にゼロに設定することができる。
【０１３４】
例Ａ：可変利得増幅器
【０１３５】
ここに記載されるように、受信した信号を処理する増幅器は可変利得増幅器（ＶＧＡ）とすることができる。すなわち、いくつかの実装において、ＤＲｘモジュールは複数の可変利得増幅器（ＶＧＡ）を含み、ＶＧＡの各一つは、複数の経路の対応する一つに沿って設けられ、当該ＶＧＡにおいて受信した信号を、ＤＲｘ制御器から受信した増幅器制御信号が制御する利得によって増幅するように構成される。
【０１３６】
いくつかの実施形態において、ＶＧＡの利得は、バイパス可能、ステップ可変、連続可変とすることができる。図６は、いくつかの実施形態において、可変利得増幅器Ａ３５０がバイパス可能であり得ることを示す。可変利得増幅器Ａ３５０は、固定利得増幅器Ａ３５１と、ＤＲｘ制御器Ａ３０２が生成する増幅器制御信号によって制御可能なバイパススイッチＡ３５２とを含む。バイパススイッチＡ３５２は（第１位置において）固定利得増幅器Ａ３５１の入力から当該固定利得増幅器の出力へのラインを閉にして固定利得増幅器Ａ３５１をバイパスする信号を許容することができる。バイパススイッチＡ３５２は（第２位置において）固定利得増幅器Ａ３５１の入力と固定利得増幅器Ａ３５１の出力との間のラインを開にして固定利得増幅器Ａ３５１に信号を通過させることができる。いくつかの実装において、固定利得増幅器は、バイパススイッチが第１位置にある場合はディセーブルにされ、そうでない場合はバイパスモードに適合するように再構成される。図３の例を参照すると、いくつかの実装において、ＶＧＡ３１４ａ〜３１４ｄの少なくとも一つは、固定利得増幅器と、増幅器制御信号によって制御可能なバイパススイッチとを含む。
【０１３７】
図７は、いくつかの実施形態において、可変利得増幅器Ａ３６０の利得がステップ可変又は連続可変であり得ることを示す。いくつかの実装において、可変利得増幅器Ａ３６０はステップ可変であり、ＤＲｘ制御器Ａ３０２が生成したデジタル増幅器制御信号に応答して当該デジタル信号が指示する複数の設定量の一つの利得により、可変利得増幅器Ａ３６０の入力において受信した信号を増幅する。いくつかの実装において、可変利得増幅器Ａ３６０は連続可変であり、ＤＲｘ制御器Ａ３０２が生成したアナログ増幅器制御信号に応答して当該アナログ信号の特性（例えば電圧又はデューティーサイクル）に比例する利得により、可変利得増幅器Ａ３６０の入力において受信した信号を増幅する。図３の例を参照すると、いくつかの実装において、ＶＧＡ３１４ａ〜３１４ｄの少なくとも一つは、当該ＶＧＡにおいて受信した信号を、増幅器制御信号によって指示された複数の設定量の一つの利得によって増幅するように構成されたステップ可変利得増幅器を含む。いくつかの実装において、図３のＶＧＡ３１４ａ〜３１４ｄの少なくとも一つは、当該ＶＧＡにおいて受信した信号を増幅器制御信号に比例する利得によって増幅するように構成された連続可変利得増幅器を含む。
【０１３８】
いくつかの実装において、図３の増幅器３１４ａ〜３１４ｄは、可変電流増幅器（ＶＣＡ）とすることができる。ＶＣＡにより引き出される電流は、バイパス可能、ステップ可変、連続可変とすることができる。いくつかの実装において、ＶＣＡの少なくとも一つは、固定電流増幅器と、増幅器制御信号によって制御可能なバイパススイッチとを含む。バイパススイッチは（第１位置において）、固定電流増幅器の入力と当該固定電流増幅器の出力との間のラインを閉とすることにより、信号が当該固定電流増幅器をバイパスするのを許容することができる。バイパススイッチは（第２位置において）入力及び出力間のラインを開とすることにより、信号が固定電流増幅器を通過するようにできる。いくつかの実装において、固定電流増幅器は、バイパススイッチが第１位置にある場合にディセーブルにされ、そうでない場合はバイパスモードに適合するように再構成される。
【０１３９】
いくつかの実装において、ＶＣＡの少なくとも一つは、当該ＶＣＡにおいて受信した信号を、増幅器制御信号が指示する複数の設定量の一つの電流を引き出すことによって増幅するように構成されたステップ可変電流増幅器を含む。いくつかの実装において、ＶＣＡの少なくとも一つは、当該ＶＣＡにおいて受信した信号を、増幅器制御信号に比例する電流を引き出すことによって増幅するように構成された連続可変電流増幅器を含む。
【０１４０】
いくつかの実装において、図３の増幅器３１４ａ〜３１４ｄは、固定利得、固定電流増幅器である。いくつかの実装において、増幅器３１４ａ〜３１４ｄは、固定利得、可変電流増幅器である。いくつかの実装において、増幅器３１４ａ〜３１４ｄは、可変利得、固定電流増幅器である。いくつかの実装において、増幅器３１４ａ〜３１４ｄは、可変利得、可変電流増幅器である。
【０１４１】
いくつかの実装において、ＤＲｘ制御器３０２は、第１マルチプレクサの入力３１１において受信した入力信号のサービス品質メトリックに基づいて増幅器制御信号（複数可）を生成する。いくつかの実装において、ＤＲｘ制御器３０２は、通信制御器１２０から受信した信号に基づいて増幅器制御信号（複数可）を生成する。増幅器制御信号はさらに、受信した信号のサービス品質（ＱｏＳ）メトリックに基づき得る。受信した信号のＱｏＳメトリックは、少なくとも部分的には、ダイバーシティアンテナ１４０において受信したダイバーシティ信号（例えば入力において受信した入力信号）に基づき得る。受信した信号のＱｏＳメトリックはさらに、一次アンテナにおいて受信した信号に基づき得る。いくつかの実装において、ＤＲｘ制御器３０２は、通信制御器１２０から信号を受信することなく、ダイバーシティ信号のＱｏＳメトリックに基づいて増幅器制御信号（複数可）を生成する。
【０１４２】
いくつかの実装において、ＱｏＳメトリックは信号強度を含む。他例では、ＱｏＳメトリックは、ビット誤り率、データスループット、送信遅延、又は任意の他のＱｏＳメトリックを含み得る。
【０１４３】
ここで述べたように、図３のＤＲｘモジュール３１０は、ダイバーシティアンテナ１４０からのダイバーシティ信号を受信する入力と、処理されたダイバーシティ信号を送受信器３３０に（送信ライン１３５及びダイバーシティＲＦモジュール３２０を介して）与える出力とを有する。ダイバーシティＲＦモジュール３２０は、処理されたダイバーシティ信号を、送信ライン１３５を介して受信してさらなる処理を行う。特に、処理されたダイバーシティ信号は、ダイバーシティＲＦマルチプレクサ３２１によって一以上の経路へと分割され又は引き回される。当該経路において、分割され又は引き回された信号は、対応する帯域通過フィルタ３２３ａ〜３２３ｄによるフィルタリングを受け、対応する増幅器３２４ａ〜３２４ｄによって増幅される。増幅器３２４ａ〜３２４ｄそれぞれの出力は、送受信器３３０に与えられる。
【０１４４】
ダイバーシティＲＦマルチプレクサ３２１は、経路の一以上を選択的にアクティブにするべく制御器１２０によって（直接的に又はオンチップダイバーシティＲＦ制御器を介してのいずれかにより）制御することができる。同様に、増幅器３２４ａ〜３２４ｄも制御器１２０によって制御され得る。例えば、いくつかの実装において、増幅器３２４ａ〜３２４ｄのそれぞれは、イネーブル／ディセーブル入力を含み、増幅器イネーブル信号に基づいてイネーブル（又はディセーブル）にされる。いくつかの実装において、増幅器３２４ａ〜３２４ｄは、制御器１２０（又は制御器１２０が制御するオンチップダイバーシティＲＦ制御器）から受信した増幅器制御信号が制御する利得により、ＶＧＡにおいて受信した信号を増幅する可変利得増幅器（ＶＧＡ）である。いくつかの実装において、増幅器３２４ａ〜３２４ｄは可変電流増幅器（ＶＣＡ）である。
【０１４５】
ダイバーシティＲＦモジュール３２０をすでに含んだ受信器チェーンにＤＲｘモジュール３１０を追加することにより、ＤＲｘ構成３００における帯域通過フィルタの数は２倍となる。すなわち、いくつかの実装において、帯域通過フィルタ３２３ａ〜３２３ｄは、ダイバーシティＲＦモジュール３２０には含まれない。むしろ、ＤＲｘモジュール３１０の帯域通過フィルタ３１３ａ〜３１３ｄが、帯域外ブロッカーの強度を低減するべく使用される。さらに、ダイバーシティＲＦモジュール３２０の自動利得制御（ＡＧＣ）テーブルをシフトして、ダイバーシティＲＦモジュール３２０の増幅器３２４ａ〜３２４ｄが与える利得量を、ＤＲｘモジュール３１０の増幅器３１４ａ〜３１４ｄが与える利得量だけ低減することができる。
【０１４６】
例えば、ＤＲｘモジュール利得が１５ｄＢでありかつ受信器感度が−１００ｄＢｍの場合、ダイバーシティＲＦモジュール３２０は−８５ｄＢｍの感度となる。ダイバーシティＲＦモジュール３２０の閉ループＡＧＣがアクティブになると、その利得は自動的に１５ｄＢだけ降下する。しかしながら、信号部品及び帯域外ブロッカーの双方が受信されて１５ｄＢだけ増幅される。すなわち、いくつかの実装において、ダイバーシティＲＦモジュール３２０の１５ｄＢ利得降下には、その線形性の１５ｄＢ上昇も付随し得る。特に、ダイバーシティＲＦモジュール３２０の増幅器３２４ａ〜３２４ｄは、当該増幅器の線形性が、利得低減（又は電流増加）に伴い増加するように設計され得る。
【０１４７】
いくつかの実装において、制御器１２０は、ＤＲｘモジュール３１０の増幅器３１４ａ〜３１４ｄとダイバーシティＲＦモジュール３２０の増幅器３２４ａ〜３２４ｄとの利得（及び／又は電流）を制御する。ここでの例においてのように、制御器１２０は、ＤＲｘモジュール３１０の増幅器３１４ａ〜３１４ｄが与える一定量の利得が増加することに応答して、ダイバーシティＲＦモジュール３２０の増幅器３２４ａ〜３２４ｄが与える一定量の利得を低減することができる。すなわち、いくつかの実装において、制御器１２０は、（ダイバーシティＲＦモジュール３２０の増幅器３２４ａ〜３２４ｄのための）下流側増幅器制御信号を（ＤＲｘモジュール３１０の増幅器３１４ａ〜３１４ｄのための）増幅器制御信号に基づいて生成し、送信ライン１３５を介して（ＤＲｘモジュール３１０の）出力に結合された一以上の下流側増幅器３２４ａ〜３２４ｄの利得を制御するように構成される。いくつかの実装において、制御器１２０はまた、無線装置の、フロントエンドモジュール（ＦＥＭ）における増幅器のような他の部品の利得も増幅器制御信号に基づいて制御する。
【０１４８】
ここで述べたように、いくつかの実装において、帯域通過フィルタ３２３ａ〜３２３ｄは含まれない。すなわち、いくつかの実装において、下流側増幅器３２４ａ〜３２４ｄの少なくとも一つは、下流側帯域通過フィルタを通過することなく、送信ライン１３５を介して（ＤＲｘモジュール３１０の）出力に結合される。かかる実装に関する例が、図４を参照してここに記載される。
【０１４９】
図８は、いくつかの実施形態において、ダイバーシティ受信器構成Ａ６００が、チューニング可能整合回路を備えたＤＲｘモジュールＡ６１０を含み得ることを示す。特に、ＤＲｘモジュールＡ６１０は、ＤＲｘモジュールＡ６１０の入力及び出力の一以上に設けられた一以上のチューニング可能整合回路を含み得る。
【０１５０】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力整合回路Ａ６１６をＤＲｘモジュールＡ６１０の入力に実装して（例えば通信制御器からの帯域選択信号に基づいて）ＤＲｘ制御器Ａ６０２によって制御することができる。ＤＲｘ制御器Ａ６０２は、チューニング可能入力整合回路Ａ６１６を、複数の周波数帯域（又は複数組の周波数帯域）をチューニングパラメータに関連づけるルックアップテーブルに基づいてチューニングすることができる。チューニング可能入力整合回路Ａ６１６は、チューニング可能Ｔ型回路、チューニング可能π型回路、又は任意の他のチューニング可能整合回路とすることができる。特に、チューニング可能入力整合回路Ａ６１６は、抵抗器、インダクタ及びキャパシタのような一以上の可変部品を含み得る。これらの可変部品は、並列及び／又は直列に接続してよく、かつ、ＤＲｘモジュールＡ６１０の入力と第１マルチプレクサＡ３１１の入力との間に接続してよく、又はＤＲｘモジュールＡ６１０の入力と接地電圧との間に接続してよい。
【０１５１】
同様に、多くの周波数帯域の信号を搬送する一つのみの送信ライン１３５（又は少なくともいくつかのケーブル）によっては、多重周波数帯域すべてが理想的なインピーダンス整合となる可能性は低い。コンパクト整合回路を使用して各周波数帯域を整合させるべく、チューニング可能出力整合回路Ａ６１７をＤＲｘモジュールＡ６１０の出力に実装して（例えば通信制御器からの帯域選択信号に基づいて）ＤＲｘ制御器Ａ６０２によって制御することができる。ＤＲｘ制御器Ａ６０２は、チューニング可能出力整合回路Ａ６１８を、複数の周波数帯域（又は複数組の周波数帯域）をチューニングパラメータに関連づけるルックアップテーブルに基づいてチューニングすることができる。チューニング可能出力整合回路Ａ６１７は、チューニング可能Ｔ型回路、チューニング可能π型回路、又は任意の他のチューニング可能整合回路とすることができる。特に、チューニング可能出力整合回路Ａ６１７は、抵抗器、インダクタ及びキャパシタのような一以上の可変部品を含み得る。これらの可変部品は、並列及び／又は直列に接続してよく、かつ、ＤＲｘモジュールＡ６１０の出力と第２マルチプレクサＡ３１２の出力との間に接続してよく、又はＤＲｘモジュールＡ６１０の出力と接地電圧との間に接続してよい。
【０１５２】
図９は、いくつかの実施形態において、ダイバーシティ受信器構成Ａ７００が多重アンテナを含み得ることを示す。図９が２つのアンテナＡ７４０ａ〜Ａ７４０ｂ及び一つの送信ライン１３５を備えた一実施形態を例示するにもかかわらず、ここに記載される態様は、２つを超えるアンテナ及び／又は２つの以上のケーブルを備えた実施形態に実装することができる。
【０１５３】
ダイバーシティ受信器構成Ａ７００は、第１アンテナＡ７４０ａ及び第２アンテナＡ７４０ｂに結合されたＤＲｘモジュールＡ７１０を含む。いくつかの実装において、第１アンテナＡ７４０ａは、高い周波数帯域において送信された信号を受信するように構成された高帯域アンテナであり、第２アンテナＡ７４０ｂは、低い周波数帯域において送信された信号を受信するように構成された低帯域アンテナである。
【０１５４】
ＤＲｘモジュールＡ７１０は、ＤＲｘモジュールＡ７１０の第１入力における第１チューニング可能入力整合回路Ａ７１６ａと、ＤＲｘモジュールＡ７１０の第２入力における第２チューニング可能入力整合回路Ａ７１６ｂとを含む。ＤＲｘモジュールＡ７１０はさらに、ＤＲｘモジュールＡ７１０の出力にチューニング可能出力整合回路Ａ７１７を含む。ＤＲｘ制御器Ａ７０２は、チューニング可能整合回路Ａ７１６ａ〜Ａ７１６ｂ、Ａ７１７のそれぞれを、複数の周波数帯域（又は複数組の周波数帯域）をチューニングパラメータに関連づけるルックアップテーブルに基づいてチューニングすることができる。チューニング可能整合回路Ａ７１６ａ〜Ａ７１６ｂ、Ａ７１７は、チューニング可能Ｔ型回路、チューニング可能π型回路、又は任意の他のチューニング可能整合回路とすることができる。
【０１５５】
ＤＲｘモジュールＡ７１０は、ＤＲｘモジュールＡ７１０の入力（第１アンテナＡ７４０ａに結合された第１入力、及び第２アンテナＡ７４０ｂに結合された第２入力）と（送信ライン１３５に結合された）出力との間に一定数の経路を含む。いくつかの実装において、ＤＲｘモジュールＡ７１０は、ＤＲｘ制御器Ａ７０２が制御する一以上のバイパススイッチによってアクティブにされる入力及び出力間の一以上のバイパス経路（図示せず）を含む。
【０１５６】
ＤＲｘモジュールＡ７１０は、第１入力マルチプレクサＡ７１１ａ又は第２入力マルチプレクサＡ７１１ｂの一方を含むとともに、出力マルチプレクサＡ７１２を含む一定数のマルチプレクサ経路を含む。マルチプレクサ経路は、一定数のオンモジュール経路（図示）を含む。チューニング可能入力整合回路Ａ７１６ａ〜Ａ７１６ｂの一つ、入力マルチプレクサＡ７１１ａ〜Ａ７１１ｂの一つ、一の帯域通過フィルタＡ７１３ａ〜Ａ７１３ｈ、一の増幅器Ａ７１４ａ〜Ａ７１４ｈ、出力マルチプレクサＡ７１２及び出力整合回路Ａ７１７を含む。マルチプレクサ経路は、ここに記載される一以上のオフモジュール経路（図示せず）を含んでよい。またもここに記載されるように、増幅器Ａ７１４ａ〜Ａ７１４ｈは、可変利得増幅器及び／又は可変電流増幅器としてよい。
【０１５７】
ＤＲｘ制御器Ａ７０２は、入力及び出力間の複数の経路の一以上を選択的にアクティブにするように構成される。いくつかの実装において、ＤＲｘ制御器Ａ７０２は、ＤＲｘ制御器Ａ７０２が（例えば通信制御器から）受信した帯域選択信号に基づいて複数の経路の一以上を選択的にアクティブにするように構成される。いくつかの実装において、ＤＲｘ制御器Ａ７０２は、帯域選択信号に基づいてチューニング可能整合回路Ａ７１６ａ〜Ａ７１６ｂ、Ａ７１７をチューニングするように構成される。ＤＲｘ制御器Ａ７０２は、例えば、増幅器Ａ７１４ａ〜Ａ７１４ｈのイネーブル又はディセーブルにより、マルチプレクサＡ７１１ａ〜Ａ７１１ｂ、Ａ７１２の制御により、又はここに記載される他のメカニズムを介して当該経路を選択的にアクティブにすることができる。
【０１５８】
図１０は、ＲＦ信号を処理する方法のフローチャート表現の一実施形態を示す。いくつかの実装において（及び一例として以下に詳述されるように）、方法Ａ８００は、図３のＤＲｘ制御器３０２又は図３の通信制御器１２０のような制御器によって行われる。いくつかの実装において、方法Ａ８００は、ハードウェア、ファームウェア、ソフトウェア又はこれらの組み合わせを含む処理ロジックによって行うことができる。いくつかの実装において、方法Ａ８００は、非一時的コンピュータ可読媒体（例えばメモリ）に記憶されたコードを実行するプロセッサによって行われる。簡潔には、方法Ａ８００は、帯域選択信号を受信することと、受信したＲＦ信号を一以上の利得制御経路に沿って引き回して当該受信したＲＦ信号を処理することとを含む。
【０１５９】
方法Ａ８００は、ブロックＡ８１０において、制御器が帯域選択信号を受信することから始まる。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０１６０】
いくつかの実装において、制御器は、一以上のチューニング可能整合回路を受信帯域選択信号に基づいてチューニングする。例えば、制御器は、チューニング可能整合回路を、帯域選択信号が指示する複数の周波数帯域（又は複数組の周波数帯域）をチューニングパラメータに関連づけるルックアップテーブルに基づいてチューニングすることができる。
【０１６１】
ブロックＡ８２０において、制御器は、ダイバーシティ受信器（ＤＲｘ）モジュールの一以上の経路を帯域選択信号に基づいて選択的にアクティブにする。ここに記載されるように、ＤＲｘモジュールは、当該ＤＲｘモジュールの（一以上のアンテナに結合された）一以上の入力と（一以上のケーブルに結合された）一以上の出力との間に一定数の経路を含み得る。経路は、バイパス経路及びマルチプレクサ経路を含み得る。マルチプレクサ経路は、オンモジュール経路及びオフモジュール経路を含み得る。
【０１６２】
制御器は、複数の経路の一以上を、例えば、一以上のバイパススイッチの開若しくは閉により、当該経路に沿って設けられた増幅器の、増幅器イネーブル信号を介したイネーブル若しくはディセーブルにより、分割器制御信号及び／若しくは結合器制御信号を介した一以上のマルチプレクサの制御により、又は他のメカニズムを介して選択的にアクティブにすることができる。例えば、制御器は、当該経路に沿って設けられたスイッチを開若しくは閉にし、又は当該経路に沿って設けられた増幅器の利得を実質的にゼロに設定することができる。
【０１６３】
ブロックＡ８３０において、制御器は増幅器制御信号を、一以上のアクティブにされた経路に沿ってそれぞれが設けられた一以上の増幅器に送信する。増幅器制御信号は、送信先となる増幅器の利得（又は電流）を制御する。一実施形態において、増幅器は、固定利得増幅器と、増幅器制御信号によって制御可能なバイパススイッチとを含む。すなわち、一実施形態において、増幅器制御信号は、バイパススイッチを開にすべきか又は閉にすべきかを指示する。
【０１６４】
一実施形態において、増幅器は、当該増幅器において受信した信号を、増幅器制御信号によって指示された複数の設定量の一つの利得によって増幅するように構成されたステップ可変利得増幅器を含む。すなわち、一実施形態において、増幅器制御信号は、複数の設定量の一つを指示する。
【０１６５】
一実施形態において、増幅器は、当該増幅器において受信した信号を、増幅器制御信号に比例する利得によって増幅するように構成された連続可変利得増幅器を含む。すなわち、一実施形態において、増幅器制御信号は、比例利得量を指示する。
【０１６６】
いくつかの実装において、制御器は、入力において受信した入力信号のサービス品質（ＱｏＳ）メトリックに基づいて増幅器制御信号（複数可）を生成する。いくつかの実装において、制御器は、他の制御器から受信した信号、ひいては当該受信した信号のＱｏＳメトリックに基づき得る信号に基づいて増幅器制御信号（複数可）を生成する。受信した信号のＱｏＳメトリックは、少なくとも部分的に、ダイバーシティアンテナにおいてダイバーシティ信号（例えば入力において受信した入力）に基づく。受信した信号のＱｏＳメトリックはさらに、一次アンテナにおいて受信した信号に基づき得る。いくつかの実装において、制御器は、他の制御器から信号を受信することなく、ダイバーシティ信号のＱｏＳメトリックに基づいて増幅器制御信号（複数可）を生成する。例えば、ＱｏＳメトリックは信号強度を含み得る。他例では、ＱｏＳメトリックは、ビット誤り率、データスループット、送信遅延、又は任意の他のＱｏＳメトリックを含み得る。
【０１６７】
いくつかの実装において、制御器はまた、ブロックＡ８３０において、一以上のケーブルを介して出力に結合された一以上の下流側増幅器の利得を制御するべく、増幅器制御信号に基づいて下流側増幅器制御信号を送信する。
【０１６８】
とりわけ、可変利得増幅器に関する前述の例Ａは、以下のようにまとめることができる。
【０１６９】
いくつかの実装によれば、本開示は、第１マルチプレクサの入力と第２マルチプレクサの出力との間にある複数の経路の一以上を選択的にアクティブにするように構成された制御器を含む受信システムに関する。受信システムはさらに、複数の帯域通過フィルタを含む。複数の帯域通過フィルタの各一つは、複数の経路の対応する一つに沿って設けられ、帯域通過フィルタにおいて受信した信号を各帯域へとフィルタリングするように構成される。受信システムはさらに、複数の可変利得増幅器（ＶＧＡ）を含む。複数のＶＧＡの各一つは、複数の経路の対応する一つに沿って設けられ、当該ＶＧＡにおいて受信した信号を、当該制御器から受信した増幅器制御信号が制御する利得によって増幅するように構成される。
【０１７０】
いくつかの実施形態において、制御器は、当該制御器が受信した帯域選択信号に基づいて複数の経路の一以上を選択的にアクティブにするように構成することができる。いくつかの実施形態において、制御器は、分割器制御信号を第１マルチプレクサにかつ結合器制御信号を第２マルチプレクサに送信することによって、複数の経路の一以上を選択的にアクティブにするように構成することができる。いくつかの実施形態において、制御器は、複数の経路の一以上に沿ってそれぞれが設けられた複数のＶＧＡの一以上に増幅器イネーブル信号を送信することによって、複数の経路の一以上を選択的にアクティブにするように構成することができる。
【０１７１】
いくつかの実施形態において、ＶＧＡの少なくとも一つは、固定利得増幅器と、増幅器制御信号によって制御可能なバイパススイッチとを含む。いくつかの実施形態において、ＶＧＡの少なくとも一つは、当該ＶＧＡにおいて受信した信号を、増幅器制御信号が指示する複数の設定量の一つの利得によって増幅するように構成されたステップ可変利得増幅器、又は、当該ＶＧＡにおいて受信した信号を、増幅器制御信号に比例する利得によって増幅するように構成された連続可変利得増幅器を含み得る。いくつかの実施形態において、ＶＧＡの少なくとも一つは、当該増幅器において受信した信号を、増幅器制御信号が制御する電流量を引き出すことによって増幅するように構成された可変電流増幅器を含み得る。
【０１７２】
いくつかの実施形態において、増幅器制御信号は、第１マルチプレクサの入力において受信した入力信号のサービス品質メトリックに基づく。
【０１７３】
いくつかの実施形態において、ＶＧＡの少なくとも一つは低雑音増幅器を含み得る。
【０１７４】
いくつかの実施形態において、受信システムはさらに、入力及び出力の一以上に設けられた一以上のチューニング可能整合回路を含み得る。
【０１７５】
いくつかの実施形態において、受信システムはさらに、第２マルチプレクサの出力に結合され、一以上の下流側増幅器を含む下流側モジュールに結合された送信ラインを含み得る。いくつかの実施形態において、制御器はさらに、一以上の下流側増幅器の利得を制御するべく、増幅器制御信号に基づいて下流側増幅器制御信号を生成するように構成することができる。いくつかの実施形態において、下流側増幅器の少なくとも一つは、下流側帯域通過フィルタを通過することのない送信ラインに結合することができる。いくつかの実施形態において、一以上の下流側増幅器の数は、ＶＧＡの数未満としてよい。
【０１７６】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは、第１マルチプレクサの入力及び第２マルチプレクサの出力（例えばＲＦモジュールの入力及びＲＦモジュールの出力）間にある複数の経路の一以上を選択的にアクティブにするように構成された制御器を含む。受信システムはさらに、複数の帯域通過フィルタを含む。帯域通過フィルタの各一つは、複数の経路の対応する一つに沿って設けられ、帯域通過フィルタにおいて受信した信号を各周波数帯域へとフィルタリングするように構成される。受信システムはさらに、複数の可変利得増幅器（ＶＧＡ）を含む。複数のＶＧＡの各一つは、複数の経路の対応する一つに沿って設けられ、ＶＧＡにおいて受信した信号を、制御器から受信した増幅器制御信号が制御する利得によって増幅するように構成される。
【０１７７】
いくつかの実施形態において、ＲＦモジュールは、ダイバーシティ受信器フロントエンドモジュール（ＦＥＭ）とすることができる。
【０１７８】
いくつかの実施形態において、複数の経路はオフモジュール経路を含む。オフモジュール経路は、オフモジュール帯域通過フィルタと、複数のＶＧＡの一つとを含み得る。
【０１７９】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、第１マルチプレクサの入力と第２マルチプレクサの出力との間にある複数の経路の一以上を選択的にアクティブにするように構成された制御器を含む。受信システムはさらに、複数の帯域通過フィルタを含む。複数の帯域通過フィルタの各一つは、複数の経路の対応する一つに沿って設けられ、帯域通過フィルタにおいて受信した信号を各周波数帯域へとフィルタリングするように構成される。受信システムはさらに、複数の可変利得増幅器（ＶＧＡ）を含む。複数のＶＧＡの各一つは、複数の経路の対応する一つに沿って設けられ、ＶＧＡにおいて受信した信号を、制御器から受信した増幅器制御信号が制御する利得によって増幅するように構成される。無線装置さらに、出力からの第１ＲＦ信号の処理済みバージョンを、ケーブルを介して受信し、当該第１ＲＦ信号の処理済みバージョンに基づいてデータビットを生成するように構成された通信モジュールを含む。
【０１８０】
いくつかの実施形態において、無線装置はさらに、第２無線周波数（ＲＦ）信号を受信するように構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを生成するように構成することができる。
【０１８１】
いくつかの実施形態において、無線装置は、第１ＦＥＭと通信モジュールの一以上の下流側増幅器の利得を制御するように構成された通信制御器を含む。
【０１８２】
例Ｂ：位相シフト部品
【０１８３】
図１１は、いくつかの実施形態において、ダイバーシティ受信器構成Ｂ６００が、一以上の位相整合部品Ｂ６２４ａ〜Ｂ６２４ｂを備えたＤＲｘモジュールＢ６１０を含み得ることを示す。ＤＲｘモジュールＢ６１０は、アンテナ１４０に結合されたＤＲｘモジュールＢ６１０の入力からの２つの経路と、送信ライン１３５に結合されたＤＲｘモジュールＢ６１０の出力とを含む。
【０１８４】
図１１のＤＲｘモジュールＢ６１０において、信号分割器及び帯域通過フィルタはダイプレクサＢ６１１として実装される。ダイプレクサＢ６１１は、アンテナ１４０に結合された入力と、第１増幅器３１４ａに結合された第１出力と、第２増幅器３１４ｂに結合された第２出力とを含む。第１出力において、ダイプレクサＢ６１１は、（例えばアンテナ１４０から）入力において受信した信号であって第１周波数帯域へとフィルタリングされた信号を出力する。第２出力において、ダイプレクサＢ６１１は、入力において受信した信号を、第２周波数帯域へとフィルタリングして出力する。いくつかの実装において、ダイプレクサＢ６１１は、ＤＲｘモジュールＢ６１０の入力において受信した入力信号を分割して、複数の経路に沿って伝播する複数の周波数帯域それぞれの複数の信号にするように構成されたトリプレクサ、クワッドプレクサ又は他のマルチプレクサに置き換えることができる。
【０１８５】
ここに記載されるように、増幅器３１４ａ〜３１４ｂの各一つは、当該経路の対応する一つに沿って設けられ、増幅器において受信した信号を増幅するように構成される。増幅器３１４ａ〜３１４ｂの出力は、信号結合器Ｂ６１２により結合される前に、対応する位相シフト部品Ｂ６２４ａ〜Ｂ６２４ｂを通して供給される。
【０１８６】
信号結合器Ｂ６１２は、第１位相シフト部品Ｂ６２４ａに結合された第１入力、第２位相シフト部品Ｂ６２４ｂに結合された第２入力、及びＤＲｘモジュールＢ６１０の出力に結合された出力を含む。信号結合器の出力における信号は、第１入力及び第２入力の信号の合計である。すなわち、信号結合器は、複数の経路に沿って伝播する信号を結合するように構成される。
【０１８７】
信号がアンテナ１４０によって受信されると、当該信号は、ダイプレクサＢ６１１によって第１周波数帯域へとフィルタリングされ、第１増幅器３１４ａを通る第１経路に沿って伝播する。フィルタリングかつ増幅された信号は、第１位相シフト部品Ｂ６２４ａによって位相シフトされて信号結合器Ｂ６１２の第１入力に供給される。いくつかの実装において、信号結合器Ｂ６１２又は第２増幅器３１４ｂは、信号が信号結合器Ｂ６１２を通って第２経路に沿って逆方向に続くのを妨げることがない。すなわち、信号は、第２位相シフト部品Ｂ６２４ｂを通り、第２増幅器３１４ｂを通って伝播し、ダイプレクサＢ６１１から反射される。反射された信号は、第２増幅器３１４ｂを通って伝播し、第２位相シフト部品Ｂ６２４ｂを通り、信号結合器Ｂ６１２の第２入力に到達する。
【０１８８】
（信号結合器Ｂ６１２の第１入力における）初期信号の位相と（信号結合器Ｂ６１２の第２入力における）反射信号の位相とがずれている場合、信号結合器Ｂ６１２が行う合計により、信号結合器Ｂ６１２の出力における信号は弱められる。同様に、初期信号及び反射された信号が同相の場合、信号結合器Ｂ６１２が行う合計により、信号結合器Ｂ６１２の出力における信号が強められる。すなわち、いくつかの実装において、第２位相シフト部品Ｂ６２４ｂは、（少なくとも第１周波数帯域にある）信号を位相シフトして、初期信号及び反射信号が少なくとも部分的に同相となるように構成される。特に、第２位相シフト部品Ｂ６２４ｂは、（少なくとも第１周波数帯域にある）信号を位相シフトして、初期信号及び反射信号の合計振幅が初期信号の振幅よりも大きくなるように構成される。
【０１８９】
例えば、第２位相シフト部品Ｂ６２４ｂは、第２位相シフト部品Ｂ６２４ｂを通過する信号を、第２増幅器３１４ｂを介した逆方向伝播により導入される位相シフトの−１／２倍だけ位相シフトし、ダイプレクサＢ６１１から反射させ、第２増幅器３１４ｂを介して順方向伝播させるように構成することができる。他例では、第２位相シフト部品Ｂ６２４ｂは、第２位相シフト部品Ｂ６２４ｂを通過する信号を、３６０度と、第２増幅器３１４ｂを介した逆方向伝播により導入される位相シフトとの差の半分だけ位相シフトし、ダイプレクサＢ６１１から反射させ、第２増幅器３１４ｂを介して順方向伝播させるように構成することができる。一般に、第２位相シフト部品Ｂ６２４ｂは、第２位相シフト部品Ｂ６２４ｂを通過する信号を位相シフトして、初期信号と反射信号とが３６０度の整数倍（ゼロを含む）の位相差を有するように構成することができる。
【０１９０】
一例では、初期信号は、０度（又は任意の他の基準位相）としてよく、第２増幅器３１４ｂを通って逆方向伝播し、ダイプレクサＢ６１１から反射され、第２増幅器３１４ｂを通って順方向伝播することにより、１４０度の位相シフトを導入することができる。すなわち、いくつかの実装において、第２位相シフト部品Ｂ６２４ｂは、第２位相シフト部品Ｂ６２４ｂを通過する信号を−７０度だけ位相シフトさせるように構成される。すなわち、初期信号は、第２位相シフト部品Ｂ６２４ｂにより−７０度へと位相シフトされ、第２増幅器３１４ｂを通る逆方向伝播、ダイプレクサＢ６１１を通る順方向伝播、及び第２増幅器３１４ｂを通る順方向伝播により７０度へと位相シフトされ、並びに第２位相シフト部品Ｂ６２４ｂにより０度へと戻るように位相シフトされる。
【０１９１】
いくつかの実装において、第２位相シフト部品Ｂ６２４ｂは、第２位相シフト部品Ｂ６２４ｂを通過する信号を１１０度だけ位相シフトさせるように構成される。すなわち、初期信号は、第２位相シフト部品Ｂ６２４ｂにより１１０度へと位相シフトされ、第２増幅器３１４ｂを通過する逆方向伝播、ダイプレクサＢ６１１からの反射、及び第２増幅器３１４ｂを介した順方向伝播により２５０度へと位相シフトされ、並びに第２位相シフト部品Ｂ６２４ｂにより３６０度へと位相シフトされる。
【０１９２】
同時に、アンテナ１４０が受信した信号は、ダイプレクサＢ６１１により第２周波数帯域へとフィルタリングされ、第２増幅器３１４ｂを通る第２経路に沿って伝播する。フィルタリングかつ増幅された信号は、第２位相シフト部品Ｂ６２４ｂによって位相シフトされて信号結合器Ｂ６１２の第２入力に供給される。いくつかの実装において、信号結合器Ｂ６１２又は第１増幅器３１４ａは、信号が信号結合器Ｂ６１２を通って第１経路に沿って逆方向に続くのを妨げることがない。すなわち、信号は、第１位相シフト部品Ｂ６２４ａを通り、第２増幅器３１４ａを通って伝播し、ダイプレクサＢ６１１から反射される。反射信号は、第１増幅器３１４ａ及び第１位相シフト部品Ｂ６２４ａを通って伝播し、信号結合器Ｂ６１２の第１入力に到達する。
【０１９３】
（信号結合器Ｂ６１２の第２入力における）初期信号の位相と（信号結合器Ｂ６１２の第１入力における）反射信号の位相とがずれている場合、信号結合器Ｂ６１２が行う合計により、信号結合器Ｂ６１２の出力における信号は弱められ、初期信号と反射信号とが同相の場合、信号結合器Ｂ６１２が行う合計により、信号結合器Ｂ６１２の出力における信号は強められる。すなわち、いくつかの実装において、第１位相シフト部品Ｂ６２４ａは、（少なくとも第２周波数帯域にある）信号を位相シフトして、初期信号及び反射信号が少なくとも部分的に同相となるように構成される。
【０１９４】
例えば、第１位相シフト部品Ｂ６２４ａは、第１位相シフト部品Ｂ６２４ａを通過する信号を、第１増幅器３１４ａを介した逆方向伝播により導入される位相シフトの−１／２倍だけ位相シフトし、ダイプレクサＢ６１１から反射させ、第１増幅器３１４ａを介して順方向伝播させるように構成することができる。他例では、第１位相シフト部品Ｂ６２４ａは、第１位相シフト部品Ｂ６２４ａを通過する信号を、３６０度と、第１増幅器３１４ａを介した逆方向伝播により導入される位相シフトとの差の半分だけ位相シフトし、ダイプレクサＢ６１１から反射させ、第１増幅器３１４ａを介して順方向伝播させるように構成することができる。一般に、第１位相シフト部品Ｂ６２４ａは、第１位相シフト部品Ｂ６２４ａを通過する信号を位相シフトして、初期信号及び反射信号が３６０度の整数倍（ゼロを含む）の位相差を有するように構成することができる。
【０１９５】
位相シフト部品Ｂ６２４ａ〜Ｂ６２４ｂは、受動回路として実装してよい。特に、位相シフト部品Ｂ６２４ａ〜Ｂ６２４ｂは、ＬＣ回路として実装してよく、インダクタ及び／又はキャパシタのような一以上の受動部品を含み得る。これらの受動部品は、並列及び／又は直列に接続してよく、かつ、増幅器３１４ａ〜３１４ｂの出力と信号結合器Ｂ６１２の入力との間に接続してよく、又は増幅器３１４ａ〜３１４ｂの出力と接地電圧との間に接続してよい。いくつかの実装において、位相シフト部品Ｂ６２４ａ〜Ｂ６２４ｂは、増幅器３１４ａ〜３１４ｂと同じダイに又は同じパッケージに統合される。
【０１９６】
いくつかの実装において（例えば図１１に示されるように）、位相シフト部品Ｂ６２４ａ〜Ｂ６２４ｂは、経路に沿って増幅器３１４ａ〜３１４ｂの後に設けられる。すなわち、位相シフト部品Ｂ６２４ａ〜Ｂ６２４ｂが引き起こす任意の信号減衰は、例えば出力信号の信号対雑音比のような、モジュールＢ６１０の性能に影響を与えることがない。しかしながら、いくつかの実装において、位相シフト部品Ｂ６２４ａ〜Ｂ６２４ｂは、経路に沿って増幅器３１４ａ〜３１４ｂの前に設けられる。例えば、位相シフト部品Ｂ６２４ａ〜Ｂ６２４ｂは、ダイプレクサＢ６１１及び増幅器３１４ａ〜３１４ｂ間に設けられたインピーダンス整合部品に統合されてよい。
【０１９７】
図１２は、いくつかの実施形態において、ダイバーシティ受信器構成Ｂ６４０が、一以上の位相整合部品Ｂ６２４ａ〜Ｂ６２４ｂ及び二段増幅器Ｂ６１４ａ〜Ｂ６１４ｂを備えたＤＲｘモジュールＢ６４１を含み得ることを示す。図１２のＤＲｘモジュールＢ６４１は、図１１のＤＲｘモジュールＢ６１０の増幅器３１４ａ〜３１４ｂが、図１２のＤＲｘモジュールＢ６４１における二段増幅器Ｂ６１４ａ〜Ｂ６１４ｂによって置き換えられている点を除き、図１１のＤＲｘモジュールＢ６１０に実質的に類似する。
【０１９８】
図１３は、いくつかの実施形態において、ダイバーシティ受信器構成Ｂ６８０が、一以上の位相整合部品Ｂ６２４ａ〜Ｂ６２４ｂ及び結合器後段増幅器Ｂ６１５を備えたＤＲｘモジュールＢ６８１を含み得ることを示す。図１３のＤＲｘモジュールＢ６８１は、図１３のＤＲｘモジュールＢ６８１が、信号結合器Ｂ６１２の出力とＤＲｘモジュールＢ６８１の出力との間に設けられた結合器後段増幅器Ｂ６１５を含む点を除き、図１１のＤＲｘモジュールＢ６１０に実質的に類似する。結合器後段増幅器Ｂ６１５は、増幅器３１４ａ〜３１４ｂと同様に、ＤＲｘ制御器（図示せず）が制御する可変利得増幅器（ＶＧＡ）及び／又は可変電流増幅器でよい。
【０１９９】
図１４は、いくつかの実施形態において、ダイバーシティ受信器構成Ｂ７００が、チューニング可能位相シフト部品Ｂ７２４ａ〜Ｂ７２４ｄを備えたＤＲｘモジュールＢ７１０を含み得ることを示す。チューニング可能位相シフト部品Ｂ７２４ａ〜Ｂ７２４ｄはそれぞれ、チューニング可能位相シフト部品を通過する信号を、ＤＲｘ制御器Ｂ７０２から受信した位相シフトチューニング信号が制御する量だけ位相シフトさせるように構成することができる。
【０２００】
ダイバーシティ受信器構成Ｂ７００は、アンテナ１４０に結合された入力と送信ライン１３５に結合された出力とを有するＤＲｘモジュールＢ７１０を含む。ＤＲｘモジュールＢ７１０は、ＤＲｘモジュールＢ７１０の入力及び出力間に一定数の経路を含む。いくつかの実装において、ＤＲｘモジュールＢ７１０は、ＤＲｘ制御器Ｂ７０２が制御する一以上のバイパススイッチによってアクティブにされる入力及び出力間の一以上のバイパス経路（図示せず）を含む。
【０２０１】
ＤＲｘモジュールＢ７１０は、入力マルチプレクサＢ３１１及び出力マルチプレクサＢ３１２を含む一定数のマルチプレクサ経路を含む。マルチプレクサ経路は、一定数のオンモジュール経路（図示）を含む。これは、入力マルチプレクサＢ３１１、帯域通過フィルタＢ３１３ａ〜Ｂ３１３ｄ、増幅器Ｂ３１４ａ〜Ｂ３１４ｄ、チューニング可能位相シフト部品Ｂ７２４ａ〜Ｂ７２４ｄ、出力マルチプレクサＢ３１２及び結合器後段増幅器Ｂ６１５を含む。マルチプレクサ経路は、ここに記載される一以上のオフモジュール経路（図示せず）を含み得る。またもここに記載されるように、増幅器Ｂ３１４ａ〜Ｂ３１４ｄ（ポストゲイン増幅器Ｂ６１５を含む）は、可変利得増幅器及び／又は可変電流増幅器としてよい。
【０２０２】
チューニング可能位相シフト部品Ｂ７２４ａ〜Ｂ７２４ｄは、インダクタ及びキャパシタのような一以上の可変部品を含み得る。これらの可変部品は、並列及び／又は直列に接続してよく、かつ、増幅器Ｂ３１４ａ〜Ｂ３１４ｄの出力と出力マルチプレクサＢ３１２の入力との間に接続してよく、又は増幅器Ｂ３１４ａ〜Ｂ３１４ｄの出力と接地電圧との間に接続してよい。
【０２０３】
ＤＲｘ制御器Ｂ７０２は、入力及び出力間の複数の経路の一以上を選択的にアクティブにするように構成される。いくつかの実装において、ＤＲｘ制御器Ｂ７０２は、当該複数の経路の一以上を、ＤＲｘ制御器Ｂ７０２が（例えば通信制御器から）受信する帯域選択信号に基づいて選択的にアクティブにするように構成される。ＤＲｘ制御器Ｂ７０２は、例えば、増幅器Ｂ３１４ａ〜Ｂ３１４ｄのイネーブル又はディセーブルにより、マルチプレクサＢ３１１、Ｂ３１２の制御により、又はここに記載される他のメカニズムを介して当該経路を選択的にアクティブにすることができる。
【０２０４】
いくつかの実装において、ＤＲｘ制御器Ｂ７０２は、チューニング可能位相シフト部品Ｂ７２４ａ〜Ｂ７２４ｄをチューニングするように構成される。いくつかの実装において、ＤＲｘ制御器Ｂ７０２は、チューニング可能位相シフト部品Ｂ７２４ａ〜Ｂ７２４ｄを、帯域選択信号に基づいてチューニングする。例えば、ＤＲｘ制御器Ｂ７０２は、チューニング可能位相シフト部品Ｂ７２４ａ〜Ｂ７２４ｄを、帯域選択信号が指示する複数の周波数帯域（又は複数組の周波数帯域）をチューニングパラメータに関連づけるルックアップテーブルに基づいてチューニングすることができる。したがって、ＤＲｘ制御器Ｂ７０２は、チューニング可能位相シフト部品（又はその可変部品）をチューニングパラメータに応じてチューニングするべく、帯域選択信号に応答して位相シフトチューニング信号をアクティブな各経路のチューニング可能位相シフト部品Ｂ７２４ａ〜Ｂ７２４ｄへと送信することができる。
【０２０５】
ＤＲｘ制御器Ｂ７０２は、帯域外の反射信号が出力マルチプレクサＢ３１２において帯域外の初期信号と同相になるようにチューニング可能位相シフト部品Ｂ７２４ａ〜Ｂ７２４ｄとチューニングすることができる。例えば、第１周波数帯域に対応する（第１増幅器Ｂ３１４ａを通る）第１経路と、第２周波数帯域に対応する（第２増幅器Ｂ３１４ｂを通る）第２経路と、（第３増幅器Ｂ３１４ｃを通る）第３経路とがアクティブにされることを帯域選択信号が指示すると、ＤＲｘ制御器Ｂ７０２は、（１）第２経路に沿って伝播する（第２周波数帯域の）信号に対しては、初期信号と、第１経路に沿って逆方向伝播し、帯域通過フィルタＢ３１３ａから反射され、第１経路を通って順方向伝播する反射信号とが同相になるように、（２）第３経路に沿って伝播する（第３周波数帯域の）信号に対しては、初期信号と、第１経路に沿って逆方向伝播し、帯域通過フィルタＢ３１３ａから反射され、第１経路を通って順方向伝播する反射信号とが同相になるように第１チューニング可能位相シフト部品Ｂ７２４ａをチューニングすることができる。
【０２０６】
ＤＲｘ制御器Ｂ７０２は、第１チューニング可能位相シフト部品Ｂ７２４ａを、第２周波数帯域が第３周波数帯域とは異なる量だけ位相シフトされるようにチューニングすることができる。例えば、第１増幅器Ｂ３１４ａを通る逆方向伝播と、帯域通過フィルタＢ３１３ａからの反射と、第１増幅器Ｂ３１４ｂを通る順方向伝播とにより、第２周波数帯域の信号が１４０度だけ位相シフトされて第３周波数帯域が１３０度だけ位相シフトされると、ＤＲｘ制御器Ｂ７０２は、第２周波数帯域を−７０度（又は１１０度）だけ位相シフトし、かつ、第３周波数帯域を−６５度（又は１１５度）だけ位相シフトするように、第１チューニング可能位相シフト部品Ｂ７２４ａをチューニングすることができる。
【０２０７】
ＤＲｘ制御器Ｂ７０２は同様に、第２位相シフト部品Ｂ７２４ｂ及び第３位相シフト部品Ｂ７２４ｃをチューニングすることができる。
【０２０８】
他例では、第１経路と、第２経路と、（第４増幅器Ｂ３１４ｄを通る）第４経路とがアクティブにされることを帯域選択信号が指示すると、ＤＲｘ制御器Ｂ７０２は、（１）第２経路に沿って伝播する（第２周波数帯域の）信号に対しては、初期信号と、第１経路に沿って逆方向伝播し、帯域通過フィルタＢ３１３ａから反射され、第１経路を通って順方向伝播する反射信号とが同相になるように、（２）第４経路に沿って伝播する（第４周波数帯域の）信号に対しては、初期信号と、第１経路に沿って逆方向伝播し、帯域通過フィルタＢ３１３ａから反射され、第１経路を通って順方向伝播する反射信号とが同相になるように第１チューニング可能位相シフト部品Ｂ７２４ａをチューニングすることができる。
【０２０９】
ＤＲｘ制御器Ｂ７０２は、チューニング可能位相シフト部品Ｂ７２４ａ〜Ｂ７２４ｄの可変部品を、異なる複数組の周波数帯域に対して異なる値を有するようにチューニングすることができる。
【０２１０】
いくつかの実装において、チューニング可能位相シフト部品Ｂ７２４ａ〜Ｂ７２４ｄは、チューニング可能でない又はＤＲｘ制御器Ｂ７０２により制御されない固定位相シフト部品によって置き換えられる。一つの周波数帯域に対応する当該経路の対応する一つに沿って設けられた位相シフト部品の各一つは、他の周波数帯域のそれぞれを位相シフトすることにより、対応する他経路に沿った初期信号と、当該経路の当該一つに沿って逆方向伝播し、対応帯域通過フィルタから反射され、当該経路の当該一つを通って順方向伝播する反射信号とが同相となるように構成してよい。
【０２１１】
例えば、第３位相シフト部品Ｂ７２４ｃは固定されており、（１）（第１経路に沿って伝播する）第１周波数の初期信号と、第３経路に沿って逆方向伝播し、第３帯域通過フィルタＢ３１３ｃから反射され、第３経路を通って順方向伝播する反射信号とが同相となるように第１周波数帯域を位相シフトし、（２）（第２経路に沿って伝播する）第２周波数の初期信号と、第３経路に沿って逆方向伝播し、第３帯域通過フィルタＢ３１３ｃから反射され、第３経路を通って順方向伝播する反射信号とが同相となるように第２周波数帯域を位相シフトし、（３）（第４経路に沿って伝播する）第４周波数の初期信号と、第３経路に沿って逆方向伝播し、第３帯域通過フィルタＢ３１３ｃから反射され、第３経路を通って順方向伝播する反射信号とが同相となるように第４周波数帯域を位相シフトするように構成される。他の位相シフト部品も、同様に固定及び設定されてよい。
【０２１２】
すなわち、ＤＲｘモジュールＢ７１０は、ＤＲｘモジュールＢ７１０の入力及びＤＲｘモジュールＢ７１０の出力間にある複数の経路の一以上を選択的にアクティブにするように構成されたＤＲｘ制御器Ｂ７０２を含む。ＤＲｘモジュールＢ７１０はさらに複数の増幅器Ｂ３１４ａ〜Ｂ３１４ｄを含む。複数の増幅器Ｂ３１４ａ〜Ｂ３１４ｄの各一つは、複数の経路の対応する一つに沿って設けられ、当該増幅器において受信した信号を増幅するように構成される。ＤＲｘモジュールさらに複数の位相シフト部品Ｂ７２４ａ〜Ｂ７２４ｄを含む。複数の位相シフト部品Ｂ７２４ａ〜Ｂ７２４ｄの各一つは、複数の経路の対応する一つに沿って設けられ、当該位相シフト部品を通過する信号を位相シフトするように構成される。
【０２１３】
いくつかの実装において、第１位相シフト部品Ｂ７２４ａは、第１周波数帯域（例えば第１帯域通過フィルタＢ３１３ａの周波数帯域）に対応する第１経路に沿って設けられ、第１位相シフト部品Ｂ７２４ａを通過する信号の第２周波数帯域（例えば第２帯域通過フィルタＢ３１３ｂの周波数帯域）を位相シフトすることにより、第２周波数帯域に対応する第２経路に沿って伝播する初期信号と、第１経路に沿って伝播する反射信号とが少なくとも部分的に同相となるように構成される。
【０２１４】
いくつかの実装において、第１位相シフト部品Ｂ７２４ａはさらに、第１位相シフト部品Ｂ７２４ａを通過する信号の第３周波数帯域（例えば第３帯域通過フィルタＢ３１３ｃの周波数帯域）を位相シフトすることにより、第３周波数帯域に対応する第３経路に沿って伝播する初期信号と、第１経路に沿って伝播する反射信号とが少なくとも部分的に同相となるように構成される。
【０２１５】
同様に、いくつかの実装において、第２経路に沿って設けられた第２位相シフト部品Ｂ７２４ｂは、第２位相シフト部品Ｂ７２４ｂを通過する信号の第１周波数帯域を位相シフトすることにより、第１経路に沿って伝播する初期信号と、第２経路に沿って伝播する反射信号とが少なくとも部分的に同相となるように構成される。
【０２１６】
図１７は、いくつかの実施形態において、ダイバーシティ受信器構成ＢＣ１０００が、チューニング可能インピーダンス整合部品が入力及び出力に設けられたＤＲｘモジュールＢＣ１０１０を含み得ることを示す。ＤＲｘモジュールＢＣ１０１０は、ＤＲｘモジュールＢＣ１０１０の入力及び出力の一以上に設けられた一以上のチューニング可能インピーダンス整合部品を含み得る。特に、ＤＲｘモジュールＢＣ１０１０は、ＤＲｘモジュールＢＣ１０１０の入力に設けられた入力チューニング可能インピーダンス整合部品ＢＣ１０１６、ＤＲｘモジュールＢＣ１０１０の出力に設けられた出力チューニング可能インピーダンス整合部品ＢＣ１０１７、又はその双方を含み得る。
【０２１７】
同じダイバーシティアンテナ１４０において受信した多重周波数帯域のすべてが理想的なインピーダンス整合である可能性は低い。コンパクト整合回路を使用して各周波数帯域を整合させるべく、チューニング可能入力インピーダンス整合部品ＢＣ１０１６をＤＲｘモジュールＢＣ１０１０の入力に実装して（例えば通信制御器からの帯域選択信号に基づいて）ＤＲｘ制御器ＢＣ１００２によって制御することができる。例えば、ＤＲｘ制御器ＢＣ１００２は、チューニング可能入力インピーダンス整合部品ＢＣ１０１６を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１００２は、チューニング可能入力インピーダンス整合部品（又はその可変部品）をチューニングパラメータに応じてチューニングするべく、帯域選択信号に応答して入力インピーダンスチューニング信号をチューニング可能入力インピーダンス整合部品ＢＣ１０１６に送信することができる。
【０２１８】
チューニング可能入力インピーダンス整合部品ＢＣ１０１６は、チューニング可能Ｔ型回路、チューニング可能π型回路、又は任意の他のチューニング可能整合回路としてよい。特に、チューニング可能入力インピーダンス整合部品ＢＣ１０１６は、抵抗器、インダクタ及びキャパシタのような一以上の可変部品を含み得る。これらの可変部品は、並列及び／又は直列に接続してよく、かつ、ＤＲｘモジュールＢＣ１０１０の入力と第１マルチプレクサＢＣ３１１の入力との間に接続してよく、又はＤＲｘモジュールＢＣ１０１０の入力と接地電圧との間に接続してよい。
【０２１９】
同様に、多くの周波数帯域の信号を搬送する一つのみの送信ライン１３５（又は少なくともいくつかの送信ライン）によっては、多重周波数帯域すべてが理想的なインピーダンス整合となる可能性は低い。コンパクト整合回路を使用して各周波数帯域を整合させるべく、チューニング可能出力インピーダンス整合部品ＢＣ１０１７をＤＲｘモジュールＢＣ１０１０の出力に実装して（例えば通信制御器からの帯域選択信号に基づいて）ＤＲｘ制御器ＢＣ１００２によって制御することができる。例えば、ＤＲｘ制御器ＢＣ１００２は、チューニング可能出力インピーダンス整合部品ＢＣ１０１７を、帯域選択信号が指示する複数の周波数帯域（又は複数組の周波数帯域）をチューニングパラメータに関連づけるルックアップテーブルに基づいてチューニングすることができる。したがって、チューニング可能出力インピーダンス整合部品（又はその可変部品）をチューニングパラメータに応じてチューニングするべく、ＤＲｘ制御器ＢＣ１００２は、帯域選択信号に応答して、出力インピーダンスチューニング信号をチューニング可能出力インピーダンス整合部品ＢＣ１０１７に送信することができる。
【０２２０】
チューニング可能出力インピーダンス整合部品ＢＣ１０１７は、チューニング可能Ｔ型回路、チューニング可能π型回路又は任意の他のチューニング可能整合回路としてよい。特に、チューニング可能出力インピーダンス整合部品ＢＣ１０１７は、抵抗器、インダクタ及びキャパシタのような一以上の可変部品を含み得る。これらの可変部品は、並列及び／又は直列に接続してよく、かつ、第２マルチプレクサＢＣ３１２の出力とＤＲｘモジュールＢＣ１０１０の出力との間に接続してよく、又は第２マルチプレクサＢＣ３１２の出力と接地電圧との間に接続してよい。
【０２２１】
図１８は、いくつかの実施形態において、ダイバーシティ受信器構成ＢＣ１１００が、多重チューニング可能部品を備えたＤＲｘモジュールＢＣ１１１０を含み得ることを示す。ダイバーシティ受信器構成ＢＣ１１００は、アンテナ１４０に結合された入力と送信ライン１３５に結合された出力とを有するＤＲｘモジュールＢＣ１１１０を含む。ＤＲｘモジュールＢＣ１１１０は、ＤＲｘモジュールＢＣ１１１０の入力及び出力間に一定数の経路を含む。いくつかの実装において、ＤＲｘモジュールＢＣ１１１０は、入力と、ＤＲｘ制御器ＢＣ１１０２が制御する一以上のバイパススイッチによりアクティブにされる出力との間にある一以上のバイパス経路（図示せず）を含む。
【０２２２】
ＤＲｘモジュールＢＣ１１１０は、入力マルチプレクサＢＣ３１１及び出力マルチプレクサＢＣ３１２を含む一定数のマルチプレクサ経路を含む。マルチプレクサ経路は、一定数のオンモジュール経路（図示）を含む。これは、チューニング可能入力インピーダンス整合部品ＢＣ１０１６、入力マルチプレクサＢＣ３１１、帯域通過フィルタＢＣ３１３ａ〜ＢＣ３１３ｄ、チューニング可能インピーダンス整合部品ＢＣ９３４ａ〜ＢＣ９３４ｄ、増幅器ＢＣ３１４ａ〜ＢＣ３１４ｄ、チューニング可能位相シフト部品ＢＣ７２４ａ〜ＢＣ７２４ｄ、出力マルチプレクサＢＣ３１２、及びチューニング可能出力インピーダンス整合部品ＢＣ１０１７を含む。マルチプレクサ経路は、ここに記載される一以上のオフモジュール経路（図示せず）を含み得る。またもここに記載されるように、増幅器ＢＣ３１４ａ〜ＢＣ３１４ｄは、可変利得増幅器及び／又は可変電流増幅器とすることができる。
【０２２３】
ＤＲｘ制御器ＢＣ１１０２は、入力及び出力間の複数の経路の一以上を選択的にアクティブにするように構成される。いくつかの実装において、ＤＲｘ制御器ＢＣ１１０２は、ＤＲｘ制御器ＢＣ１１０２が（例えば通信制御器から）受信した帯域選択信号に基づいて複数の経路の一以上を選択的にアクティブにするように構成される。ＤＲｘ制御器ＢＣ９０２は、例えば、増幅器ＢＣ３１４ａ〜ＢＣ３１４ｄのイネーブル又はディセーブルにより、マルチプレクサＢＣ３１１、ＢＣ３１２の制御により、又はここに記載される他のメカニズムを介して当該経路を選択的にアクティブにすることができる。いくつかの実装において、ＤＲｘ制御器ＢＣ１１０２は、それぞれが一以上のアクティブにされた経路に沿って設けられた一以上の増幅器ＢＣ３１４ａ〜ＢＣ３１４ｄに増幅器制御信号を送信するように構成される。増幅器制御信号は、送信先となる増幅器の利得（又は電流）を制御する。
【０２２４】
ＤＲｘ制御器ＢＣ１１０２は、チューニング可能入力インピーダンス整合部品ＢＣ１０１６、チューニング可能インピーダンス整合部品ＢＣ９３４ａ〜ＢＣ９３４ｄ、チューニング可能位相シフト部品ＢＣ７２４ａ〜ＢＣ７２４ｄ及びチューニング可能出力インピーダンス整合部品ＢＣ１０１７の一以上をチューニングするように構成される。例えば、ＤＲｘ制御器ＢＣ１１０２は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１１０１は、チューニング可能部品（又はその可変部品）をチューニングパラメータに応じてチューニングするべく、帯域選択信号に応答してチューニング信号を、チューニング可能部品（アクティブな経路）に送信することができる。いくつかの実装において、ＤＲｘ制御器ＢＣ１１０２は、増幅器ＢＣ３１４ａ〜ＢＣ３１４ｄの利得及び／又は電流を制御するべく、少なくとも部分的に増幅器制御信号に基づいてチューニング可能部品をチューニングする。様々な実装において、チューニング可能部品の一以上は、ＤＲｘ制御器ＢＣ１１０２が制御しない固定部品によって置き換えてよい。
【０２２５】
なお、チューニング可能部品の一つのチューニングは、他のチューニング可能部品のチューニングに影響を与え得る。すなわち、第１チューニング可能部品のためのルックアップテーブルにおけるチューニングパラメータは、第２チューニング可能部品のためのチューニングパラメータに基づいてよい。例えば、チューニング可能位相シフト部品ＢＣ７２４ａ〜ＢＣ７２４ｄのためのチューニングパラメータは、チューニング可能インピーダンス整合部品ＢＣ９３４ａ〜ＢＣ９３４ｄのためのチューニングパラメータに基づいてよい。他例では、チューニング可能インピーダンス整合部品ＢＣ９３４ａ〜ＢＣ９３４ｄのためのチューニングパラメータは、チューニング可能入力インピーダンス整合部品ＢＣ１０１６のためのチューニングパラメータに基づいてよい。
【０２２６】
図１９は、ＲＦ信号を処理する方法のフローチャート表現の一実施形態を示す。いくつかの実装において（及び一例として以下に詳述されるように）、方法ＢＣ１２００は、図１８のＤＲｘ制御器ＢＣ１１０２のような制御器によって行われる。いくつかの実装において、方法ＢＣ１２００は、ハードウェア、ファームウェア、ソフトウェア又はこれらの組み合わせを含む処理ロジックによって行われる。いくつかの実装において、方法ＢＣ１２００は、非一時的なコンピュータ可読媒体（例えばメモリ）に記憶されたコードを実行するプロセッサによって行われる。簡潔には、方法ＢＣ１２００は、帯域選択信号を受信することと、受信したＲＦ信号を一以上のチューニングされた経路に引き回して当該受信したＲＦ信号を処理することとを含む。
【０２２７】
方法ＢＣ１２００は、ブロックＢＣ１２１０において、制御器が帯域選択信号を受信することから開始する。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０２２８】
ブロックＢＣ１２２０において、制御器は、ダイバーシティ受信器（ＤＲｘ）モジュールの一以上の経路を、帯域選択信号に基づいて選択的にアクティブにする。ここに記載されるように、ＤＲｘモジュールは、当該ＤＲｘモジュールの（一以上のアンテナに結合された）一以上の入力と（一以上の送信ラインに結合された）一以上の出力との間にある一定数の経路を含み得る。経路は、バイパス経路及びマルチプレクサ経路を含み得る。マルチプレクサ経路は、オンモジュール経路及びオフモジュール経路を含み得る。
【０２２９】
制御器は、複数の経路の一以上を、例えば、一以上のバイパススイッチの開若しくは閉により、当該経路に沿って設けられた増幅器の、増幅器イネーブル信号を介したイネーブル若しくはディセーブルにより、分割器制御信号及び／若しくは結合器制御信号を介した一以上のマルチプレクサの制御により、又は他のメカニズムを介して選択的にアクティブにすることができる。例えば、制御器は、当該経路に沿って設けられたスイッチを開閉すること、又は当該経路に沿って設けられた増幅器の利得を実質的にゼロに設定することができる。
【０２３０】
ブロックＢＣ１２３０において、制御器はチューニング信号を、一以上のアクティブにされた経路に沿って設けられた一以上のチューニング可能部品に送信する。チューニング可能部品は、ＤＲｘモジュールの入力に設けられたチューニング可能インピーダンス整合部品と、複数の経路に沿ってそれぞれが設けられた複数のチューニング可能インピーダンス整合部品と、当該複数の経路に沿ってそれぞれが設けられた複数のチューニング可能位相シフト部品と、ＤＲｘモジュールの出力に設けられたチューニング可能出力インピーダンス整合部品との一以上を含み得る。
【０２３１】
制御器は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器は、チューニング可能部品（又はその可変部品）をチューニングパラメータに応じてチューニングするべく、帯域選択信号に応答してチューニング信号を、（アクティブな経路の）チューニング可能部品に送信することができる。いくつかの実装において、制御器は、それぞれが一以上のアクティブにされた経路に沿って設けられた一以上の増幅器の利得及び／又は電流を制御するべく、少なくとも部分的に増幅器制御信号に基づいてチューニング可能部品をチューニングする。
【０２３２】
とりわけ、位相シフト部品に関する前述の例Ｂは、以下のようにまとめることができる。
【０２３３】
いくつかの実施形態によれば、本開示は受信システムに関し、これは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数の位相シフト部品を含む。複数の位相シフト部品の各一つは、複数の経路の対応する一つに沿って設けられ、位相シフト部品を通過する信号を位相シフトするように構成される。
【０２３４】
いくつかの実施形態において、第１周波数帯域に対応する複数の経路の第１経路に沿って設けられた複数の位相シフト部品の第１位相シフト部品は、当該第１位相シフト部品を通過する信号の第２周波数帯域を位相シフトすることにより、第２周波数帯域に対応する当該複数の経路の第２経路に沿って伝播する第２初期信号と、当該第１経路に沿って伝播する第２反射信号とが少なくとも部分的に同相となるように構成することができる。
【０２３５】
いくつかの実施形態において、第２経路に沿って設けられた複数の位相シフト部品の第２位相シフト部品は、当該第２位相シフト部品を通過する信号の第１周波数帯域を位相シフトすることにより、第１経路に沿って伝播する第１初期信号と、第２経路に沿って伝播する第１反射信号とが少なくとも部分的に同相となるように構成することができる。
【０２３６】
いくつかの実施形態において、第１位相シフト部品はさらに、当該第１位相シフト部品を通過する信号の第３周波数帯域を位相シフトすることにより、第３周波数帯域に対応する複数の経路の第３経路に沿って伝播する第３初期信号と、第１経路に沿って伝播する第３反射信号とが少なくとも部分的に同相となるように構成することができる。
【０２３７】
いくつかの実施形態において、第１位相シフト部品は、当該第１位相シフト部品を通過する信号の第２周波数帯域を位相シフトすることにより、第２初期信号と第２反射信号とが３６０度の整数倍の位相差を有するように構成することができる。
【０２３８】
いくつかの実施形態において、受信システムはさらに、入力において受信した入力信号を分割して、複数の経路に沿って伝播する複数の周波数帯域それぞれの複数の信号にするように構成されたマルチプレクサを含み得る。いくつかの実施形態において、受信システムはさらに、複数の経路に沿って伝播する信号を結合するように構成された信号結合器を含み得る。いくつかの実施形態において、受信システムはさらに、信号結合器及び出力間に設けられた結合器後段増幅器を含み得る。結合器後段増幅器は、当該結合器後段増幅器において受信した信号を増幅するように構成される。いくつかの実施形態において、複数の位相シフト部品の各一つは、信号結合器と複数の増幅器の対応する一つとの間に設けることができる。いくつかの実施形態において、複数の増幅器の少なくとも一つは二段増幅器を含み得る。
【０２３９】
いくつかの実施形態において、複数の位相シフト部品の少なくとも一つは、受動回路としてよい。いくつかの実施形態において、複数の位相シフト部品の少なくとも一つは、ＬＣ回路としてよい。
【０２４０】
いくつかの実施形態において、複数の位相シフト部品の少なくとも一つは、チューニング可能位相シフト部品を含み得る。これは、チューニング可能位相シフト部品を通過する信号を、制御器から受信した位相シフトチューニング信号が制御する量だけ位相シフトする。
【０２４１】
いくつかの実施形態において、受信システムはさらに、複数のインピーダンス整合部品を含み得る。インピーダンス整合部品の各一つは、複数の経路の対応する一つに沿って設けられ、当該複数の経路の当該対応する一つの帯域外雑音指数又は帯域外利得の少なくとも一つを減少させるように構成される。
【０２４２】
いくつかの実装において、本開示は、複数の部品を受容するように構成されたパッケージング基板を含む無線周波数（ＲＦ）モジュールに関する。ＲＦモジュールさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数の位相シフト部品を含む。複数の位相シフト部品の各一つは、複数の経路の対応する一つに沿って設けられ、位相シフト部品を通過する信号を位相シフトするように構成される。
【０２４３】
いくつかの実施形態において、ＲＦモジュールは、ダイバーシティ受信器フロントエンドモジュール（ＦＥＭ）とすることができる。
【０２４４】
いくつかの実施形態において、第１周波数帯域に対応する複数の経路の第１経路に沿って設けられた複数の位相シフト部品の第１位相シフト部品は、当該第１位相シフト部品を通過する信号の第２周波数帯域を位相シフトすることにより、第２周波数帯域に対応する当該複数の経路の第２経路を伝播する第２初期信号と、第１経路に沿って伝播する第２反射信号とが少なくとも部分的に同相となるように構成される。
【０２４５】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数の位相シフト部品を含む。複数の位相シフト部品の各一つは、複数の経路の対応する一つに沿って設けられ、位相シフト部品を通過する信号を位相シフトするように構成される。無線装置はさらに、出力からの第１ＲＦ信号の処理済みバージョンを送信ラインを介して受信しかつ当該第１ＲＦ信号の処理済みバージョンに基づいてデータビットを生成するように構成された送受信器を含む。
【０２４６】
いくつかの実施形態において、無線装置はさらに、第２無線周波数（ＲＦ）信号を受信するように構成された第２アンテナと、第１アンテナと通信する第２ＦＥＭとを含み得る。送受信器は、第２ＦＥＭの出力から第２ＲＦ信号の処理済みバージョンを受信し、当該第２ＲＦ信号の処理済みバージョンに基づいてデータビットを生成するように構成される。
【０２４７】
いくつかの実施形態において、第１周波数帯域に対応する複数の経路の第１経路に沿って設けられた複数の位相シフト部品の第１位相シフト部品は、当該第１位相シフト部品を通過する信号の第２周波数帯域を位相シフトすることにより、第２周波数帯域に対応する当該複数の経路の第２経路に沿って伝播する第２初期信号と、第１経路に沿って伝播する第２反射信号とが少なくとも部分的に同相となるように構成される。
【０２４８】
例Ｃ：インピーダンスシフト部品
【０２４９】
図１５は、いくつかの実施形態において、ダイバーシティ受信器構成Ｃ８００が、一以上のインピーダンス整合部品Ｃ８３４ａ〜Ｃ８３４ｂを備えたＤＲｘモジュールＣ８１０を含み得ることを示す。ＤＲｘモジュールＣ８１０は、アンテナ１４０に結合されたＤＲｘモジュールＣ８１０の入力から、送信ライン１３５に結合されたＤＲｘモジュールＣ８１０の出力への２つの経路を含む。
【０２５０】
図１５のＤＲｘモジュールＣ８１０において（図１１のＤＲｘモジュールＢ６１０においてのように）、信号分割器及び帯域通過フィルタはダイプレクサＣ６１１として実装される。ダイプレクサＣ６１１は、アンテナに結合された入力と、第１インピーダンス整合部品Ｃ８３４ａに結合された第１出力と、第２インピーダンス整合部品Ｃ８３４ｂに結合された第２出力とを含む。第１出力において、ダイプレクサＣ６１１は、第１周波数帯域へとフィルタリングされた入力において（例えばアンテナ１４０から）受信した信号を出力する。第２出力において、ダイプレクサＣ６１１は、第２周波数帯域へとフィルタリングされた入力において受信した信号を出力する。
【０２５１】
インピーダンス整合部品Ｃ８３４ａ〜Ｃ６３４ｄはそれぞれが、ダイプレクサＣ６１１及び増幅器Ｃ３１４ａ〜Ｃ３１４ｂ間に設けられる。ここに記載されるように、増幅器Ｃ３１４ａ〜Ｃ３１４ｂの各一つは、当該経路の対応する一つに沿って設けられ、増幅器において受信した信号を増幅するように構成される。増幅器Ｃ３１４ａ〜Ｃ３１４ｂの出力は信号結合器Ｃ６１２に供給される。
【０２５２】
信号結合器Ｃ６１２は、第１増幅器Ｃ３１４ａに結合された第１入力と、第２増幅器Ｃ３１４ｂに結合された第２入力と、ＤＲｘモジュールＣ６１０の出力に結合された出力とを含む。信号結合器の出力における信号は、第１入力及び第２入力の信号の合計である。
【０２５３】
信号がアンテナ１４０によって受信されると、当該信号は、ダイプレクサＣ６１１によって第１周波数帯域へとフィルタリングされ、第１増幅器Ｃ３１４ａを通る第１経路に沿って伝播する。同様に、信号は、ダイプレクサＣ６１１によって第２周波数帯域へとフィルタリングされ、第２増幅器Ｃ３１４ｂを通る第２経路に沿って伝播する。
【０２５４】
各経路は、雑音指数及び利得によって特徴づけることができる。各経路の雑音指数は、当該経路に沿って設けられた増幅器及びインピーダンス整合部品がもたらす信号対雑音比（ＳＮＲ）の劣化を表す。特に、各経路の雑音指数は、インピーダンス整合部品Ｃ８３４ａ〜Ｃ８３４ｂの入力におけるＳＮＲと、増幅器Ｃ３１４ａ〜Ｃ３１４ｂの出力におけるＳＮＲとのデシベル（ｄＢ）差である。すなわち、雑音指数は、同じ利得による増幅器の雑音出力と（雑音が発生しない）「理想の」増幅器の雑音出力との差の尺度である。同様に、各経路に対する利得は、当該経路に沿って設けられた増幅器及びインピーダンス整合部品がもたらす利得を表す。
【０２５５】
各経路の雑音指数及び利得は、異なる周波数帯域に対して異なり得る。例えば、第１経路は、第１周波数帯域に対する帯域内雑音指数及び帯域内利得と、第２周波数帯域に対する帯域外雑音指数及び帯域外利得とを有し得る。同様に、第２経路は、第２周波数帯域に対する帯域内雑音指数及び帯域内利得と、第１周波数帯域に対する帯域外雑音指数及び帯域外利得とを有し得る。
【０２５６】
ＤＲｘモジュールＣ８１０はまた、異なる周波数帯域に対して異なり得る雑音指数及び利得によって特徴づけることができる。特に、ＤＲｘモジュールＣ８１０の雑音指数は、ＤＲｘモジュールＣ８１０の入力におけるＳＮＲと、ＤＲｘモジュールＣ８１０の出力におけるＳＮＲとのｄＢ差である。
【０２５７】
（各周波数帯域における）各経路の雑音指数及び利得は、少なくとも一部では、インピーダンス整合部品Ｃ８３４ａ〜Ｃ８３４ｂの（各周波数帯域における）インピーダンスに依存し得る。したがって、インピーダンス整合部品Ｃ８３４ａ〜Ｃ８３４ｂのインピーダンスは、各経路の帯域内雑音指数を最小化し及び／又は各経路の帯域内利得を最大化するようにすることが有利となり得る。すなわち、いくつかの実装において、インピーダンス整合部品Ｃ８３４ａ〜Ｃ８３４ｂはそれぞれが、（かかるインピーダンス整合部品Ｃ８３４ａ〜Ｃ８３４ｂを欠くＤＲｘモジュールと比べて）その対応経路の帯域内雑音指数を減少させ及び／又はその対応経路の帯域内利得を増加させるように構成される。
【０２５８】
２つの経路に沿って伝播する信号が信号結合器Ｃ６１２によって結合されるので、増幅器が生成又は増幅する帯域外雑音は、当該結合された信号に負の影響を与え得る。例えば、第１増幅器Ｃ３１４ａが生成又は増幅する帯域外雑音は、第２周波数におけるＤＲｘモジュールＣ８１０の雑音指数を増加させ得る。したがって、インピーダンス整合部品Ｃ８３４ａ〜Ｃ８３４ｂのインピーダンスは、各経路の帯域外雑音指数を最小化し及び／又は各経路の帯域外利得を最小化するようにすることが有利となり得る。すなわち、いくつかの実装において、インピーダンス整合部品Ｃ８３４ａ〜Ｃ８３４ｂはそれぞれが、（かかるインピーダンス整合部品Ｃ８３４ａ〜Ｃ８３４ｂを欠くＤＲｘモジュールと比べて）その対応経路の帯域外雑音指数を減少させ及び／又はその対応経路の帯域外利得を減少させるように構成される。
【０２５９】
インピーダンス整合部品Ｃ８３４ａ〜Ｃ８３４ｂは、受動回路として実装してよい。特に、インピーダンス整合部品Ｃ８３４ａ〜Ｃ８３４ｂは、ＲＬＣ回路として実装してよく、抵抗器、インダクタ及び／又はキャパシタのような一以上の受動部品を含んでよい。受動部品は、並列及び／又は直列に接続してよく、かつ、ダイプレクサＣ６１１の出力と増幅器Ｃ３１４ａ〜Ｃ３１４ｂの入力との間に接続してよく、又はダイプレクサＣ６１１の出力と接地電圧との間に接続してよい。いくつかの実装において、インピーダンス整合部品Ｃ８３４ａ〜Ｃ８３４ｂは、増幅器Ｃ３１４ａ〜Ｃ３１４ｂと同じダイに又は同じパッケージに統合される。
【０２６０】
ここで述べたように、特定の経路に対し、インピーダンス整合部品Ｃ８３４ａ〜Ｃ８３４ｂのインピーダンスは、帯域内雑音指数を最小化し、帯域内利得を最大化し、帯域外雑音指数を最小化し、及び帯域外利得を最小化するようにすることが有利となり得る。これら４つの目標すべてを達成するように、２つのみの自由度（例えば第１周波数帯域におけるインピーダンス、及び第２周波数帯域におけるインピーダンス）によって又は他の様々な制約（例えば部品数、コスト、ダイ空間）を伴って、インピーダンス整合部品Ｃ８３４ａ〜Ｃ８３４ｂを設計することは難題である。したがって、いくつかの実装において、帯域内雑音指数の帯域内メトリックから帯域内利得をマイナスしたものが最小化され、帯域外雑音指数の帯域外メトリックに帯域外利得をプラスしたものが最小化される。これらの目標の双方を、様々な制約を伴って達成するようにインピーダンス整合部品Ｃ８３４ａ〜Ｃ８３４ｂを設計することも、依然として難題となり得る。すなわち、いくつかの実装において、帯域内メトリックは一組の制約を受けて最小化され、帯域外メトリックは、当該組の制約と、帯域内メトリックがしきい量（例えば０．１ｄＢ、０．２ｄＢ、０．５ｄＢ又は任意の他の値）を超えて増加することがないようにとの付加的制約とを受けて最小化される。したがって、インピーダンス整合部品は、帯域内雑音指数の帯域内メトリックから帯域内利得をマイナスしたものを、例えば任意の制約を受けて可能な帯域内メトリック最小値のような帯域内メトリック最小値のしきい量以内にまで低減するように構成される。インピーダンス整合部品はさらに、帯域外雑音指数に帯域外利得をプラスしたものである帯域外メトリックを、帯域内制約帯域外最小値、例えば帯域内メトリックがしきい量を超えて増加することがないようにとの付加的制約を受けて可能な最小帯域外メトリックまで低減するように構成される。いくつかの実装において、（帯域内因子により重みづけされた）帯域内メトリックに（帯域外因子により重みづけされた）帯域外メトリックをプラスした複合メトリックが、任意の制約を受けて最小化される。
【０２６１】
すなわち、いくつかの実装において、インピーダンス整合部品Ｃ８３４ａ〜Ｃ８３４ｂはそれぞれが、その対応経路の帯域内メトリック（帯域内雑音指数から帯域内利得をマイナスしたもの）を、（例えば帯域内雑音指数を減少させること、帯域内利得を増加させること、又はその双方により）減少させるように構成される。いくつかの実装において、インピーダンス整合部品Ｃ８３４ａ〜Ｃ８３４ｂのそれぞれはさらに、その対応経路の帯域外メトリック（帯域外雑音指数に帯域外利得をプラスしたもの）を、（例えば帯域外雑音指数を減少させること、帯域外利得を減少させること、又はその双方により）減少させるように構成される。
【０２６２】
いくつかの実装において、帯域外メトリックを減少させることにより、インピーダンス整合部品Ｃ８３４ａ〜Ｃ８３４ｂは、当該周波数帯域の一以上において、他の周波数帯域における雑音指数を実質的に増加させることなく、ＤＲｘモジュールＣ８１０の雑音指数を減少させる。
【０２６３】
図１６は、いくつかの実施形態において、ダイバーシティ受信器構成Ｃ９００が、チューニング可能インピーダンス整合部品Ｃ９３４ａ〜Ｃ９３４ｄを備えたＤＲｘモジュールＣ９１０を含み得ることを示す。チューニング可能インピーダンス整合部品Ｃ９３４ａ〜Ｃ９３４ｄはそれぞれが、ＤＲｘ制御器Ｃ９０２から受信したインピーダンスチューニング信号が制御するインピーダンスを提示するように構成することができる。
【０２６４】
ダイバーシティ受信器構成Ｃ９００は、アンテナ１４０に結合された入力と送信ライン１３５に結合された出力とを有するＤＲｘモジュールＣ９１０を含む。ＤＲｘモジュールＣ９１０は、ＤＲｘモジュールＣ９１０の入力及び出力間に一定数の経路を含む。いくつかの実装において、ＤＲｘモジュールＣ９１０は、ＤＲｘ制御器Ｃ９０２が制御する一以上のバイパススイッチによってアクティブにされる入力及び出力間の一以上のバイパス経路（図示せず）を含む。
【０２６５】
ＤＲｘモジュールＣ９１０は、入力マルチプレクサＣ３１１及び出力マルチプレクサ３１２を含む一定数のマルチプレクサ経路を含む。マルチプレクサ経路は、入力マルチプレクサＣ３１１、帯域通過フィルタＣ３１３ａ〜Ｃ３１３ｄ、チューニング可能インピーダンス整合部品Ｃ９３４ａ〜Ｃ９３４ｄ、増幅器Ｃ３１４ａ〜Ｃ３１４ｄ及び出力マルチプレクサＣ３１２を含む一定数のオンモジュール経路（図示）を含む。マルチプレクサ経路は、ここに記載される一以上のオフモジュール経路（図示せず）を含み得る。またもここに記載されるように、増幅器Ｃ３１４ａ〜Ｃ３１４ｄは、可変利得増幅器及び／又は可変電流増幅器としてよい。
【０２６６】
チューニング可能インピーダンス整合部品Ｃ９３４ａ〜Ｃ９３４ｂは、チューニング可能Ｔ型回路、チューニング可能π型回路、又は任意の他のチューニング可能整合回路とすることができる。チューニング可能インピーダンス整合部品Ｃ９３４ａ〜Ｃ９３４ｄは、抵抗器、インダクタ及びキャパシタのような一以上の可変部品を含み得る。これらの可変部品は、並列及び／又は直列に接続してよく、かつ、入力マルチプレクサＣ３１１の出力と増幅器Ｃ３１４ａ〜Ｃ３１４ｄの入力との間に接続してよく、又は入力マルチプレクサＣ３１１の出力と接地電圧との間に接続してよい。
【０２６７】
ＤＲｘ制御器Ｃ９０２は、入力及び出力間の複数の経路の一以上を選択的にアクティブにするように構成される。いくつかの実装において、ＤＲｘ制御器Ｃ９０２は、ＤＲｘ制御器Ｃ９０２が（例えば通信制御器から）受信した帯域選択信号に基づいて複数の経路の一以上を選択的にアクティブにするように構成される。ＤＲｘ制御器Ｃ９０２は、例えば、増幅器Ｃ３１４ａ〜Ｃ３１４ｄのイネーブル又はディセーブルにより、マルチプレクサＣ３１１、Ｃ３１２の制御により、又はここに記載される他のメカニズムを介して当該経路を選択的にアクティブにすることができる。
【０２６８】
いくつかの実装において、ＤＲｘ制御器Ｃ９０２は、チューニング可能インピーダンス整合部品Ｃ９３４ａ〜Ｃ９３４ｄをチューニングするように構成される。いくつかの実装において、ＤＲｘ制御器Ｃ７０２は、帯域選択信号に基づいてチューニング可能インピーダンス整合部品Ｃ９３４ａ〜Ｃ９３４ｄをチューニングする。例えば、ＤＲｘ制御器Ｃ９０２は、チューニング可能インピーダンス整合部品Ｃ９３４ａ〜Ｃ９３４ｄを、帯域選択信号が指示する複数の周波数帯域（又は複数組の周波数帯域）をチューニングパラメータに関連づけるルックアップテーブルに基づいてチューニングすることができる。したがって、チューニング可能インピーダンス整合部品（又はその可変部品）をチューニングパラメータに応じてチューニングするべく、ＤＲｘ制御器Ｃ９０２は、帯域選択信号に応答して、インピーダンスチューニング信号を、アクティブな各経路のチューニング可能インピーダンス整合部品Ｃ９３４ａ〜Ｃ９３４ｄに送信することができる。
【０２６９】
いくつかの実装において、ＤＲｘ制御器Ｃ９０２は、チューニング可能インピーダンス整合部品Ｃ９３４ａ〜Ｃ９３４ｄを、増幅器Ｃ３１４ａ〜Ｃ３１４ｄの利得及び／又は電流を制御するべく送信された増幅器制御信号に少なくとも部分的に基づいてチューニングする。
【０２７０】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、帯域内雑音指数が最小化（若しくは低減）され、帯域内利得が最大化（若しくは増加）され、他のアクティブ経路のそれぞれに対する帯域外雑音指数が最小化（若しくは低減）され、及び／又は他のアクティブ経路のそれぞれに対する帯域外利得が最小化（若しくは低減）されるように構成される。
【０２７１】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、他のアクティブな経路のそれぞれに対し、帯域内メトリック（帯域内雑音指数から帯域内利得をマイナスしたもの）が最小化（又は低減）され、帯域外メトリック（帯域外雑音指数に帯域外利得をプラスしたもの）が最小化（又は低減）されように構成される。
【０２７２】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、帯域内メトリックが一組の制約を受けて最小化（又は低減）され、他のアクティブな経路のそれぞれに対する帯域外メトリックが当該一組の制約と、帯域内メトリックがしきい量（例えば０．１ｄＢ、０．２ｄＢ、０．５ｄＢ又は任意の他の値）を超えて増加することがないようにとの付加的制約とを受けて最小化（又は低減）される。
【０２７３】
すなわち、いくつかの実装において、ＤＲｘ制御器Ｃ９０２は、アクティブな各経路のチューニング可能インピーダンス整合部品Ｃ９３４ａ〜Ｃ９３４ｄをチューニングすることにより、当該チューニング可能インピーダンス整合部品が、帯域内雑音指数から帯域内利得をマイナスしたものである帯域内メトリックを、帯域内メトリック最小値、例えば任意の制約を受けて可能な帯域内メトリック最小値のしきい量以内にまで低減するように構成される。ＤＲｘ制御器Ｃ９０２はさらに、アクティブな各経路のチューニング可能インピーダンス整合部品Ｃ９３４ａ〜Ｃ９３４ｄをチューニングすることにより、当該チューニング可能インピーダンス整合部品が、帯域外雑音指数に帯域外利得をプラスしたものである帯域外メトリックを、帯域内制約帯域外最小値のような、例えば帯域内メトリックがしきい量を超えて増加することがないようにとの付加的制約を受けて可能な最小帯域外メトリックにまで低減するように構成される。
【０２７４】
いくつかの実装において、ＤＲｘ制御器Ｃ９０２は、アクティブな各経路のチューニング可能インピーダンス整合部品Ｃ９３４ａ〜Ｃ９３４ｄをチューニングすることにより、（帯域内因子により重みづけされた）帯域内メトリックに（他のアクティブな経路それぞれに対して帯域外因子により重みづけされた）他のアクティブな経路に対する帯域外メトリックをプラスしたものである複合メトリックが、任意の制約を受けて最小化（又は低減）されるように構成される。
【０２７５】
ＤＲｘ制御器Ｃ９０２は、チューニング可能インピーダンス整合部品Ｃ９３４ａ〜Ｃ９３４ｄの可変部品を、異なる複数組の周波数帯域に対して異なる値を有するようにチューニングすることができる。
【０２７６】
いくつかの実装において、チューニング可能インピーダンス整合部品Ｃ９３４ａ〜Ｃ９３４ｄは、チューニング可能ではなくＤＲｘ制御器Ｃ９０２による制御もできない固定インピーダンス整合部品によって置き換えてよい。一つの周波数帯域に対応する経路の対応する一つに沿って設けられたインピーダンス整合部品の各一つは、当該一つの周波数帯域のための帯域内メトリックを低減（又は最小化）するように構成し、及び他の周波数帯域（例えば他の周波数帯域のそれぞれ）の一以上のための帯域外メトリックを低減（又は最小化）するように構成してよい。
【０２７７】
例えば、第３インピーダンス整合部品Ｃ９３４ｃは、固定であり、かつ、（１）第３周波数帯域のための帯域内メトリックを低減し、（２）第１周波数帯域のための帯域外メトリックを低減し、（３）第２周波数帯域のための帯域外メトリックを低減し、及び／又は（４）第４周波数帯域の帯域外メトリックを低減するように構成される。他のインピーダンス整合部品も、同様に固定して構成してよい。
【０２７８】
すなわち、ＤＲｘモジュールＣ９１０は、ＤＲｘモジュールＣ９１０の入力とＤＲｘモジュールＣ９１０の出力との間にある複数の経路を選択的にするように構成されたＤＲｘ制御器Ｃ９０２を含む。ＤＲｘモジュールＣ９１０はさらに複数の増幅器Ｃ３１４ａ〜Ｃ３１４ｄを含む。複数の増幅器Ｃ３１４ａ〜Ｃ３１４ｄの各一つは、複数の経路の対応する一つに沿って設けられ、当該増幅器において受信した信号を増幅するように構成される。ＤＲｘモジュールさらに複数のインピーダンス整合部品Ｃ９３４ａ〜Ｃ９３４ｄを含む。複数の位相シフト部品Ｃ９３４ａ〜Ｃ９３４ｄの各一つは、複数の経路の対応する一つに沿って設けられ、当該複数の経路の当該一つの帯域外雑音指数又は帯域外利得の少なくとも一つを低減するように構成される。
【０２７９】
いくつかの実装において、第１インピーダンス整合部品Ｃ９３４ａは、第１周波数帯域（例えば第１帯域通過フィルタＣ３１３ａの周波数帯域）に対応する第１経路に沿って設けられ、第２経路に対応する第２周波数帯域（例えば第２帯域通過フィルタＣ３１３ｂの周波数帯域）のための帯域外雑音指数又は帯域外利得の少なくとも一方を低減するように構成される。
【０２８０】
いくつかの実装において、第１インピーダンス整合部品Ｃ９３４ａはさらに、第３経路に対応する第３周波数帯域（例えば第３帯域通過フィルタＣ３１３ｃの周波数帯域）のための帯域外雑音指数又は帯域外利得の少なくとも一方を低減するように構成される。
【０２８１】
同様に、いくつかの実装において、第２経路に沿って設けられた第２インピーダンス整合部品Ｃ９３４ｂは、第１周波数帯域のための帯域外雑音指数又は帯域外利得の少なくとも一つを低減するように構成される。
【０２８２】
図１７は、いくつかの実施形態において、ダイバーシティ受信器構成ＢＣ１０００が、入力及び出力に設けられたチューニング可能インピーダンス整合部品を備えたＤＲｘモジュールＢＣ１０１０を含み得ることを示す。ＤＲｘモジュールＢＣ１０１０は、ＤＲｘモジュールＢＣ１０１０の入力及び出力の一以上に設けられた一以上のチューニング可能インピーダンス整合部品を含み得る。特に、ＤＲｘモジュールＢＣ１０１０は、ＤＲｘモジュールＢＣ１０１０の入力に設けられた入力チューニング可能インピーダンス整合部品ＢＣ１０１６、ＤＲｘモジュールＢＣ１０１０の出力に設けられた出力チューニング可能インピーダンス整合部品ＢＣ１０１７、又はその双方を含み得る。
【０２８３】
同じダイバーシティアンテナ１４０において受信した多重周波数帯域のすべてが理想的なインピーダンス整合である可能性は低い。コンパクト整合回路を使用して各周波数帯域を整合させるべく、チューニング可能入力インピーダンス整合部品ＢＣ１０１６をＤＲｘモジュールＢＣ１０１０の入力に実装して（例えば通信制御器からの帯域選択信号に基づいて）ＤＲｘ制御器ＢＣ１００２によって制御することができる。例えば、ＤＲｘ制御器ＢＣ１００２は、チューニング可能入力インピーダンス整合部品ＢＣ１０１６を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１００２は、チューニング可能入力インピーダンス整合部品（又はその可変部品）をチューニングパラメータに応じてチューニングするべく、帯域選択信号に応答して入力インピーダンスチューニング信号をチューニング可能入力インピーダンス整合部品ＢＣ１０１６に送信することができる。
【０２８４】
チューニング可能入力インピーダンス整合部品ＢＣ１０１６は、チューニング可能Ｔ型回路、チューニング可能π型回路、又は任意の他のチューニング可能整合回路としてよい。特に、チューニング可能入力インピーダンス整合部品ＢＣ１０１６は、抵抗器、インダクタ及びキャパシタのような一以上の可変部品を含み得る。これらの可変部品は、並列及び／又は直列に接続してよく、かつ、ＤＲｘモジュールＢＣ１０１０の入力と第１マルチプレクサＢＣ３１１の入力との間に接続してよく、又はＤＲｘモジュールＢＣ１０１０の入力と接地電圧との間に接続してよい。
【０２８５】
同様に、多くの周波数帯域の信号を搬送する一つのみの送信ライン１３５（又は少なくともいくつかの送信ライン）によっては、多重周波数帯域すべてが理想的なインピーダンス整合となる可能性は低い。コンパクト整合回路を使用して各周波数帯域を整合させるべく、チューニング可能出力インピーダンス整合部品ＢＣ１０１７をＤＲｘモジュールＢＣ１０１０の出力に実装して（例えば通信制御器からの帯域選択信号に基づいて）ＤＲｘ制御器ＢＣ１００２によって制御することができる。例えば、ＤＲｘ制御器ＢＣ１００２は、チューニング可能出力インピーダンス整合部品ＢＣ１０１７を、帯域選択信号が指示する複数の周波数帯域（又は複数組の周波数帯域）をチューニングパラメータに関連づけるルックアップテーブルに基づいてチューニングすることができる。したがって、チューニング可能出力インピーダンス整合部品（又はその可変部品）をチューニングパラメータに応じてチューニングするべく、ＤＲｘ制御器ＢＣ１００２は、帯域選択信号に応答して、出力インピーダンスチューニング信号をチューニング可能出力インピーダンス整合部品ＢＣ１０１７に送信することができる。
【０２８６】
チューニング可能出力インピーダンス整合部品ＢＣ１０１７は、チューニング可能Ｔ型回路、チューニング可能π型回路又は任意の他のチューニング可能整合回路としてよい。特に、チューニング可能出力インピーダンス整合部品ＢＣ１０１７は、抵抗器、インダクタ及びキャパシタのような一以上の可変部品を含み得る。これらの可変部品は、並列及び／又は直列に接続してよく、かつ、第２マルチプレクサＢＣ３１２の出力とＤＲｘモジュールＢＣ１０１０の出力との間に接続してよく、又は第２マルチプレクサＢＣ３１２の出力と接地電圧との間に接続してよい。
【０２８７】
図１８は、いくつかの実施形態において、ダイバーシティ受信器構成ＢＣ１１００が、多重チューニング可能部品を備えたＤＲｘモジュールＢＣ１１１０を含み得ることを示す。ダイバーシティ受信器構成ＢＣ１１００は、アンテナ１４０に結合された入力と送信ライン１３５に結合された出力とを有するＤＲｘモジュールＢＣ１１１０を含む。ＤＲｘモジュールＢＣ１１１０は、ＤＲｘモジュールＢＣ１１１０の入力及び出力間に一定数の経路を含む。いくつかの実装において、ＤＲｘモジュールＢＣ１１１０は、入力と、ＤＲｘ制御器ＢＣ１１０２が制御する一以上のバイパススイッチによりアクティブにされる出力との間にある一以上のバイパス経路（図示せず）を含む。
【０２８８】
ＤＲｘモジュールＢＣ１１１０は、入力マルチプレクサＢＣ３１１及び出力マルチプレクサＢＣ３１２を含む一定数のマルチプレクサ経路を含む。マルチプレクサ経路は、一定数のオンモジュール経路（図示）を含む。これは、チューニング可能入力インピーダンス整合部品ＢＣ１０１６、入力マルチプレクサＢＣ３１１、帯域通過フィルタＢＣ３１３ａ〜ＢＣ３１３ｄ、チューニング可能インピーダンス整合部品ＢＣ９３４ａ〜ＢＣ９３４ｄ、増幅器ＢＣ３１４ａ〜ＢＣ３１４ｄ、チューニング可能位相シフト部品ＢＣ７２４ａ〜ＢＣ７２４ｄ、出力マルチプレクサＢＣ３１２、及びチューニング可能出力インピーダンス整合部品ＢＣ１０１７を含む。マルチプレクサ経路は、ここに記載される一以上のオフモジュール経路（図示せず）を含み得る。またもここに記載されるように、増幅器ＢＣ３１４ａ〜ＢＣ３１４ｄは、可変利得増幅器及び／又は可変電流増幅器とすることができる。
【０２８９】
ＤＲｘ制御器ＢＣ１１０２は、入力及び出力間の複数の経路の一以上を選択的にアクティブにするように構成される。いくつかの実装において、ＤＲｘ制御器ＢＣ１１０２は、ＤＲｘ制御器ＢＣ１１０２が（例えば通信制御器から）受信した帯域選択信号に基づいて複数の経路の一以上を選択的にアクティブにするように構成される。ＤＲｘ制御器ＢＣ９０２は、例えば、増幅器ＢＣ３１４ａ〜ＢＣ３１４ｄのイネーブル又はディセーブルにより、マルチプレクサＢＣ３１１、ＢＣ３１２の制御により、又はここに記載される他のメカニズムを介して当該経路を選択的にアクティブにすることができる。いくつかの実装において、ＤＲｘ制御器ＢＣ１１０２は、それぞれが一以上のアクティブにされた経路に沿って設けられた一以上の増幅器ＢＣ３１４ａ〜ＢＣ３１４ｄに増幅器制御信号を送信するように構成される。増幅器制御信号は、送信先となる増幅器の．利得（又は電流）を制御する。
【０２９０】
ＤＲｘ制御器ＢＣ１１０２は、チューニング可能入力インピーダンス整合部品ＢＣ１０１６、チューニング可能インピーダンス整合部品ＢＣ９３４ａ〜ＢＣ９３４ｄ、チューニング可能位相シフト部品ＢＣ７２４ａ〜ＢＣ７２４ｄ及びチューニング可能出力インピーダンス整合部品ＢＣ１０１７の一以上をチューニングするように構成される。例えば、ＤＲｘ制御器ＢＣ１１０２は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器ＢＣ１１０１は、チューニング可能部品（又はその可変部品）をチューニングパラメータに応じてチューニングするべく、帯域選択信号に応答してチューニング信号を、チューニング可能部品（アクティブな経路）に送信することができる。いくつかの実装において、ＤＲｘ制御器ＢＣ１１０２は、増幅器ＢＣ３１４ａ〜ＢＣ３１４ｄの利得及び／又は電流を制御するべく、少なくとも部分的に増幅器制御信号に基づいてチューニング可能部品をチューニングする。様々な実装において、チューニング可能部品の一以上は、ＤＲｘ制御器ＢＣ１１０２が制御しない固定部品によって置き換えてよい。
【０２９１】
なお、チューニング可能部品の一つのチューニングは、他のチューニング可能部品のチューニングに影響を与え得る。すなわち、第１チューニング可能部品のためのルックアップテーブルにおけるチューニングパラメータは、第２チューニング可能部品のためのチューニングパラメータに基づいてよい。例えば、チューニング可能位相シフト部品ＢＣ７２４ａ〜ＢＣ７２４ｄのためのチューニングパラメータは、チューニング可能インピーダンス整合部品ＢＣ９３４ａ〜ＢＣ９３４ｄのためのチューニングパラメータに基づいてよい。他例では、チューニング可能インピーダンス整合部品ＢＣ９３４ａ〜ＢＣ９３４ｄのためのチューニングパラメータは、チューニング可能入力インピーダンス整合部品ＢＣ１０１６のためのチューニングパラメータに基づいてよい。
【０２９２】
図１９は、ＲＦ信号を処理する方法のフローチャート表現の一実施形態を示す。いくつかの実装において（及び一例として以下に詳述されるように）、方法ＢＣ１２００は、図１８のＤＲｘ制御器ＢＣ１１０２のような制御器によって行われる。いくつかの実装において、方法ＢＣ１２００は、ハードウェア、ファームウェア、ソフトウェア又はこれらの組み合わせを含む処理ロジックによって行われる。いくつかの実装において、方法ＢＣ１２００は、非一時的コンピュータ可読媒体（例えばメモリ）に記憶されたコードを実行するプロセッサによって行われる。簡潔には、方法ＢＣ１２００は、帯域選択信号を受信することと、受信したＲＦ信号を一以上のチューニングされた経路に引き回して当該受信したＲＦ信号を処理することとを含む。
【０２９３】
方法ＢＣ１２００は、ブロックＢＣ１２１０において、制御器が帯域選択信号を受信するところから始まる。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０２９４】
ブロックＢＣ１２２０において、制御器は、ダイバーシティ受信器（ＤＲｘ）モジュールの一以上の経路を、帯域選択信号に基づいて選択的にアクティブにする。ここに記載されるように、ＤＲｘモジュールは、ＤＲｘモジュールの（一以上のアンテナに結合された）一以上の入力と、（一以上の送信ラインに結合された）一以上の出力との間にある一定数の経路を含み得る。経路は、バイパス経路及びマルチプレクサ経路を含み得る。マルチプレクサ経路は、オンモジュール経路及びオフモジュール経路を含み得る。
【０２９５】
制御器は、複数の経路の一以上を、例えば、一以上のバイパススイッチの開若しくは閉により、当該経路に沿って設けられた増幅器の、増幅器イネーブル信号を介したイネーブル若しくはディセーブルにより、分割器制御信号及び／若しくは結合器制御信号を介した一以上のマルチプレクサの制御により、又は他のメカニズムを介して選択的にアクティブにすることができる。例えば、制御器は、当該経路に沿って設けられたスイッチを開閉すること、又は当該経路に沿って設けられた増幅器の利得を実質的にゼロに設定することができる。
【０２９６】
ブロックＢＣ１２３０において、制御器はチューニング信号を、一以上のアクティブにされた経路に沿って設けられた一以上のチューニング可能部品に送信する。チューニング可能部品は、ＤＲｘモジュールの入力に設けられたチューニング可能インピーダンス整合部品と、複数の経路に沿ってそれぞれが設けられた複数のチューニング可能インピーダンス整合部品と、当該複数の経路に沿ってそれぞれが設けられた複数のチューニング可能位相シフト部品と、ＤＲｘモジュールの出力に設けられたチューニング可能出力インピーダンス整合部品との一以上を含み得る。
【０２９７】
制御器は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器は、チューニング可能部品（又はその可変部品）をチューニングパラメータに応じてチューニングするべく、帯域選択信号に応答してチューニング信号を、（アクティブな経路の）チューニング可能部品に送信することができる。いくつかの実装において、制御器は、それぞれが一以上のアクティブにされた経路に沿って設けられた一以上の増幅器の利得及び／又は電流を制御するべく、少なくとも部分的に増幅器制御信号に基づいてチューニング可能部品をチューニングする。
【０２９８】
とりわけ、インピーダンスシフト部品に関する前述の例Ｃは、以下のようにまとめることができる。
【０２９９】
いくつかの実施形態によれば、本開示は受信システムに関し、これは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに、複数のインピーダンス整合部品を含む。複数のインピーダンス整合部品の各一つは、複数の経路の対応する一つに沿って設けられ、当該複数の経路の当該一つの帯域外雑音指数及び帯域外利得を低減するように構成される。
【０３００】
いくつかの実施形態において、第１周波数帯域に対応する複数の経路の第１経路に沿って設けられた複数のインピーダンス整合部品の第１インピーダンス整合部品は、当該複数の経路の第２経路に対応する第２周波数帯域のための帯域外雑音指数又は帯域外利得の少なくとも一方を低減するように構成することができる。
【０３０１】
いくつかの実施形態において、第２経路に沿って設けられた複数のインピーダンス整合部品の第２インピーダンス整合部品は、第１周波数帯域のための帯域外雑音指数又は帯域外利得の少なくとも一方を低減するように構成することができる。いくつかの実施形態において、第１インピーダンス整合部品はさらに、複数の経路の第３経路に対応する第３周波数帯域のための帯域外雑音指数又は帯域外利得の少なくとも一方を低減するように構成することができる。
【０３０２】
いくつかの実施形態において、第１インピーダンス整合部品はさらに、帯域内雑音指数の少なくとも一つを低減し、又は第１周波数帯域のための帯域内利得を増加させるように構成される。いくつかの実施形態において、第１インピーダンス整合部品は、帯域内雑音指数から帯域内利得をマイナスしたものである帯域内メトリックを、帯域内メトリック最小値のしきい量以内にまで低減するように構成される。いくつかの実施形態において、第１インピーダンス整合部品は、帯域外雑音指数に帯域外利得をプラスしたものである帯域外メトリックを、帯域内制約つき帯域外最小値まで低減するよう構成することができる。
【０３０３】
いくつかの実施形態において、受信システムはさらに、入力において受信した入力信号を分割して、複数の経路に沿って伝播する複数の周波数帯域それぞれの複数の信号にするように構成されたマルチプレクサを含み得る。いくつかの実施形態において、複数のインピーダンス整合部品の各一つは、マルチプレクサと複数の増幅器の対応する一つとの間に設けることができる。いくつかの実施形態において、受信システムはさらに、複数の経路に沿って伝播する信号を結合するように構成された信号結合器を含み得る。
【０３０４】
いくつかの実施形態において、複数のインピーダンス部品の少なくとも一つは、受動回路としてよい。いくつかの実施形態において、複数のインピーダンス整合部品の少なくとも一つは、ＲＬＣ回路としてよい。
【０３０５】
いくつかの実施形態において、複数のインピーダンス整合部品の少なくとも一つは、制御器から受信したインピーダンスチューニング信号が制御するインピーダンスを提示するように構成されたチューニング可能インピーダンス整合部品を含み得る。
【０３０６】
いくつかの実施形態において、第１周波数帯域に対応する複数の経路の第１経路に沿って設けられた第１インピーダンス整合部品はさらに、当該第１インピーダンス整合部品を通過する信号の第２周波数帯域を位相シフトすることにより、第２周波数帯域に対応する複数の経路の第２経路に沿って伝播する初期信号と、第１経路に沿って伝播する反射信号とが少なくとも部分的に同相となるように構成される。
【０３０７】
いくつかの実装において、本開示は、複数の部品を受容するように構成されたパッケージング基板を含む無線周波数（ＲＦ）モジュールに関する。ＲＦモジュールはさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに、複数のインピーダンス整合部品を含む。複数のインピーダンス整合部品の各一つは、複数の経路の対応する一つに沿って設けられ、当該複数の経路の当該一つの帯域外雑音指数及び帯域外利得を低減するように構成される。いくつかの実施形態において、ＲＦモジュールは、ダイバーシティ受信器フロントエンドモジュール（ＦＥＭ）としてよい。
【０３０８】
いくつかの実施形態において、第１周波数帯域に対応する複数の経路の第１経路に沿って設けられた複数のインピーダンス整合部品の第１インピーダンス整合部品は、当該複数の経路の第２経路に対応する第２周波数帯域のための帯域外雑音指数又は帯域外利得の少なくとも一方を低減するように構成することができる。
【０３０９】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、当該受信システムの入力と当該受信システムの出力との間にある複数の経路の一以上を選択的にアクティブにするように構成された制御器を含む。受信システムはさらに複数の増幅器を含む。複数の増幅器の各一つは、複数の経路の対応する一つに沿って設けられ、当該増幅器において受信した信号を増幅するように構成される。受信システムはさらに複数のインピーダンス整合部品を含む。複数のインピーダンス整合部品の各一つは、複数の経路の対応する一つに沿って設けられ、当該複数の経路の当該一つの帯域外雑音指数及び帯域外利得を低減するように構成される。無線装置はさらに、出力からの第１ＲＦ信号の処理済みバージョンを送信ラインを介して受信しかつ当該第１ＲＦ信号の処理済みバージョンに基づいてデータビットを生成するように構成された送受信器を含む。
【０３１０】
いくつかの実施形態において、無線装置はさらに、第２無線周波数（ＲＦ）信号を受信するように構成された第２アンテナと、第１アンテナと通信する第２ＦＥＭとを含み得る。送受信器は、第２ＦＥＭの出力から第２ＲＦ信号の処理済みバージョンを受信し、当該第２ＲＦ信号の処理済みバージョンに基づいてデータビットを生成するように構成される。
【０３１１】
いくつかの実施形態において、第１周波数帯域に対応する複数の経路の第１経路に沿って設けられた複数のインピーダンス整合部品の第１インピーダンス整合部品は、複数の経路の第２経路に対応する第２周波数帯域のための帯域外雑音指数又は帯域外利得の少なくとも一方を低減するように構成される。
【０３１２】
例Ｄ：増幅器後段フィルタ
【０３１３】
図２０は、いくつかの実施形態において、ダイバーシティ受信器構成Ｄ４００が、複数の増幅器Ｄ３１４ａ〜Ｄ３１４ｄの出力に設けられた複数の帯域通過フィルタＤ４２３ａ〜Ｄ４２３ｄを有するダイバーシティ受信器（ＤＲｘ）モジュールＤ４１０を含み得ることを示す。ダイバーシティ受信器構成Ｄ４００は、アンテナ１４０に結合された入力と送信ライン１３５に結合された出力とを有するＤＲｘモジュールＤ４１０を含む。ＤＲｘモジュールＤ４１０は、ＤＲｘモジュールＤ４１０の入力及び出力間に一定数の経路を含む。各経路は、入力マルチプレクサＤ３１１、増幅器前段帯域通過フィルタＤ４１３ａ〜Ｄ４１３ｄ、増幅器Ｄ３１４ａ〜Ｄ３１４ｄ、増幅器後段帯域通過フィルタＤ４２３ａ〜Ｄ４２３ｄ及び出力マルチプレクサＤ３１２を含む。
【０３１４】
ＤＲｘ制御器Ｄ３０２は、入力及び出力間の複数の経路の一以上を選択的にアクティブにするように構成される。いくつかの実装において、ＤＲｘ制御器Ｄ３０２は、ＤＲｘ制御器Ｄ３０２が（例えば通信制御器から）受信した帯域選択信号に基づいて複数の経路の一以上を選択的にアクティブにするように構成される。ＤＲｘ制御器Ｄ３０２は、例えば、増幅器Ｄ３１４ａ〜Ｄ３１４ｄのイネーブル若しくはディセーブルにより、マルチプレクサＤ３１１、Ｄ３１２の制御により、又は他の機構を介して当該経路を選択的にアクティブにすることができる。
【０３１５】
ＤＲｘモジュールＤ４１０の出力が、送信ライン１３５を介してダイバーシティＲＦモジュールＤ４２０へと通される。ダイバーシティＲＦモジュールＤ４２０は、図２０のダイバーシティＲＦモジュールＤ４２０が下流側帯域通過フィルタを含まない点で、図３のダイバーシティＲＦモジュール３２０とは異なる。いくつかの実装において（例えば図２０に示されるように）、下流側マルチプレクサＤ３２１は、サンプルスイッチとして実装してよい。
【０３１６】
増幅器後段帯域通過フィルタＤ４２３ａ〜Ｄ４２３ｄを、ダイバーシティＲＦモジュールＤ４２０ではなくＤＲｘモジュールＤ４１０の中に含めることは、一定数の利点をもたらし得る。例えば、以下に詳述されるように、かかる構成は、ＤＲｘモジュールＤ４１０の雑音指数を改善し、フィルタ設計を簡略化し、及び／又は経路アイソレーションを改善する。
【０３１７】
ＤＲｘモジュールＤ４１０の各経路は、雑音指数によって特徴づけることができる。各経路の雑音指数は、経路に沿った伝播が引き起こす信号対雑音比（ＳＮＲ）劣化を表す。特に、各経路の雑音指数は、増幅器前段帯域通過フィルタＤ４１３ａ〜Ｄ４１３ｄの入力におけるＳＮＲと、増幅器後段帯域通過フィルタＤ４２３ａ〜Ｄ４２３４ｂの出力におけるＳＮＲとのデシベル（ｄＢ）差として表現することができる。各経路の雑音指数は、異なる周波数帯域に対して異なり得る。例えば、第１経路は、第１周波数帯域に対する帯域内雑音指数と、第２周波数帯域に対する帯域外雑音指数とを有し得る。同様に、第２経路は、第２周波数帯域に対する帯域内雑音指数と、第１周波数帯域に対する帯域外雑音指数とを有し得る。
【０３１８】
ＤＲｘモジュールＤ４１０はまた、異なる周波数帯域に対して異なり得る雑音指数によって特徴づけることができる。特に、ＤＲｘモジュールＤ４１０の雑音指数は、ＤＲｘモジュールＤ４１０の入力におけるＳＮＲと、ＤＲｘモジュールＤ４１０の出力におけるＳＮＲとのｄＢ差である。
【０３１９】
２つの経路に沿って伝播する信号は出力マルチプレクサＤ３１２によって結合されるので、増幅器が生成又は増幅する帯域外雑音は、当該結合された信号に負の影響を与え得る。例えば、第１増幅器Ｄ３１４ａが生成又は増幅する帯域外雑音は、第２周波数におけるＤＲｘモジュールＤ４１０の雑音指数を増加させ得る。すなわち、当該経路に沿って設けられた増幅器後段帯域通過フィルタＤ４２３ａは、この帯域外雑音を低減し、かつ、第２周波数におけるＤＲｘモジュールＤ４１０の雑音指数を減少させることができる。
【０３２０】
いくつかの実装において、増幅器前段帯域通過フィルタＤ４１３ａ〜Ｄ４１３ｄと増幅器後段帯域通過フィルタＤ４２３ａ〜Ｄ４２３ｄとは相補的に設計することができるので、低コストで少ない部品によりフィルタ設計が簡略化され及び／又は同様の性能が達成される。例えば、第１経路に沿って設けられた増幅器後段帯域通過フィルタＤ４２３ａは、第１経路に沿って設けられた増幅器前段帯域通過フィルタＤ４１３ａによる減衰が弱い周波数を強く減衰させることができる。一例では、増幅器前段帯域通過フィルタＤ４１３ａは、第１周波数帯域を上回る周波数よりも当該第１周波数帯域を下回る周波数の方を減衰させ得る。それと相補うように、増幅器後段帯域通過フィルタＤ４２３ａは、第１周波数帯域を下回る周波数よりも当該第１周波数帯域を上回る周波数の方を減衰させ得る。すなわち、増幅器前段帯域通過フィルタＤ４１３ａ及び増幅器後段帯域通過フィルタＤ４２３ａは一緒になって、少ない部品を使用してすべての帯域外周波数を減衰させる。一般に、一経路に沿って設けられた帯域通過フィルタの一つは、当該経路の対応周波数帯域を下回る周波数を、当該対応周波数帯域を上回る周波数よりも減衰させることができ、当該経路に沿って設けられた帯域通過フィルタの他の一つは、当該対応周波数帯域を上回る周波数を、当該対応周波数帯域を下回る周波数よりも減衰させることができる。増幅器前段帯域通過フィルタＤ４１３ａ〜Ｄ４１３ｄと増幅器後段帯域通過フィルタＤ４２３ａ〜Ｄ４２３ｄとは、他の態様で相補的にすることもできる。例えば、第１経路に沿って設けられた増幅器前段帯域通過フィルタＤ４１３ａが、信号を一定の度数だけ位相シフトすることができ、かつ、第１経路に沿って設けられた増幅器後段帯域通過フィルタＤ４２３ａが、当該信号を当該度数だけ逆に位相シフトすることができる。
【０３２１】
いくつかの実装において、増幅器後段帯域通過フィルタＤ４２３ａ〜Ｄ４２３ｄは、経路のアイソレーションを改善することができる。例えば、増幅器後段帯域通過フィルタがなければ、第１経路に沿って伝播する信号は、増幅器前段帯域通過フィルタＤ４１３ａによって第１周波数へとフィルタリングされ、増幅器Ｄ３１４ａによって増幅され得る。当該信号は、出力マルチプレクサＤ３１２を介して漏洩する結果、第２経路に沿って逆方向に伝播し、第２経路に沿って設けられた増幅器Ｄ３１４ｂ、増幅器前段帯域通過フィルタＤ４１３ｂ又は他の部品から反射され得る。この反射信号が初期信号と異相の場合、当該信号は、出力マルチプレクサＤ３１２によって結合されるときに弱められる。これとは対照的に、増幅器後段帯域通過フィルタによれば、（主に第１周波数帯域における）漏洩信号は、第２経路に沿って設けられかつ第２周波数帯域に関連付けられた増幅器後段帯域通過フィルタＤ４２３ｂによって減衰されるので、任意の反射信号の影響が低減される。
【０３２２】
すなわち、ＤＲｘモジュールＤ４１０は、第１マルチプレクサ（例えば入力マルチプレクサＤ３１１）の入力と第２マルチプレクサ（例えば出力マルチプレクサＤ３１２）の出力との間にある複数の経路の一以上を選択的にアクティブにするように構成された制御器を含む。ＤＲｘモジュールＤ４１０はさらに複数の増幅器Ｄ３１４ａ〜Ｄ３１４ｄを含む。複数の増幅器Ｄ３１４ａ〜Ｄ３１４ｄの各一つは、複数の経路の対応する一つに沿って設けられ、増幅器において受信した信号を増幅させるように構成される。ＤＲｘモジュールＤ４１０は第１の複数の帯域通過フィルタ（例えば増幅器後段帯域通過フィルタＤ４２３ａ〜Ｄ４２３ｄ）を含む。第１の複数の帯域通過フィルタの各一つは、複数の増幅器Ｄ３１４ａ〜Ｄ３１４ｄの対応する一つの出力において複数の経路の対応する一つに沿って設けられ、当該帯域通過フィルタにおいて受信した信号を各周波数帯域へとフィルタリングするように構成される。図２０に示されるように、いくつかの実装において、ＤＲｘモジュールＤ４１０はさらに、第２の複数の帯域通過フィルタ（例えば増幅器前段帯域通過フィルタＤ４１３ａ〜Ｄ４１３ｄ）を含む。第２の複数の帯域通過フィルタの各一つは、複数の経路の対応する一つに沿って複数の増幅器Ｄ３１４ａ〜Ｄ３１４ｄの一つの対応増幅器の入力に設けられ、当該帯域通過フィルタにおいて受信した信号を各周波数帯域へとフィルタリングするように構成される。
【０３２３】
図２１は、いくつかの実施形態において、ダイバーシティ受信器構成Ｄ４５０が、ダイバーシティ受信器（ＤＲｘ）モジュールＤ４１０よりも少ない増幅器を備えたダイバーシティＲＦモジュールＤ４６０を含み得ることを示す。ここに言及されるように、いくつかの実装において、ダイバーシティＲＦモジュールＤ４６０は帯域通過フィルタを含まなくてよい。すなわち、いくつかの実装において、ダイバーシティＲＦモジュールＤ４６０の一以上の増幅器Ｄ４２４は、帯域固有とする必要がない。特に、ダイバーシティＲＦモジュールＤ４６０は一以上の経路を含み得る。各径路は、ＤＲｘモジュールＤ４１０の経路に一対一でマッピングされない増幅器Ｄ４２４を含む。かかる経路（又は対応する増幅器）のマッピングは、制御器１２０に記憶させることができる。
【０３２４】
したがって、ＤＲｘモジュールＤ４１０が、それぞれが一周波数帯域に対応する一定数の経路を含む一方、ダイバーシティＲＦモジュールＤ４６０は、単一周波数帯域に対応しない（ダイバーシティＲＦモジュールＤ４６０の入力からマルチプレクサＤ３２１の入力までの）一以上の経路を含み得る。
【０３２５】
（図２１に示される）いくつかの実装において、ダイバーシティＲＦモジュールＤ４６０は、送信ライン１３５から受信した信号を増幅して増幅済み信号をマルチプレクサＤ３２１へと出力する単一広帯域又はチューニング可能増幅器Ｄ４２４を含む。マルチプレクサＤ３２１は、それぞれが各周波数帯域に対応する複数のマルチプレクサ出力を含む。いくつかの実装において、マルチプレクサＤ３２１は、サンプルスイッチとして実装してよい。いくつかの実装において、ダイバーシティＲＦモジュールＤ４６０は、いずれの増幅器も含まない。
【０３２６】
いくつかの実装において、ダイバーシティ信号は単一帯域信号である。すなわち、いくつかの実装において、マルチプレクサＤ３２１は、単一帯域信号の周波数帯域に対応する複数の出力の一つへと、制御器１２０から受信した信号に基づいてダイバーシティ信号を引き回す単極／多投（ＳＰＭＴ）スイッチである。いくつかの実装において、ダイバーシティ信号は多重帯域信号である。すなわち、いくつかの実装において、マルチプレクサＤ４２１は、制御器１２０から受信した分割器制御信号に基づいてダイバーシティ信号を、複数の出力の、多重帯域信号の２以上の周波数帯域に対応する２以上へと引き回す帯域分割器である。いくつかの実装において、ダイバーシティＲＦモジュールＤ４６０は、送受信器Ｄ３３０と組わせて単一モジュールにすることができる。
【０３２７】
いくつかの実装において、ダイバーシティＲＦモジュールＤ４６０は、それぞれが一組の周波数帯域に対応する多重増幅器を含む。送信ライン１３５からの信号は、第１経路に沿って高周波増幅器に高周波を出力しかつ第２経路に沿って低周波増幅器に低周波を出力する帯域分割器へと供給することができる。各増幅器の出力は、当該信号を送受信器Ｄ３３０の対応入力へと引き回すべく構成されたマルチプレクサＤ３２１へと与えることができる。
【０３２８】
図２２は、いくつかの実施形態において、ダイバーシティ受信器構成Ｄ５００が、一以上のオフモジュールフィルタＤ５１３、Ｄ５２３に結合されたＤＲｘモジュールＤ５１０を含み得ることを示す。ＤＲｘモジュールＤ５１０は、複数の部品を受容するように構成されたパッケージング基板Ｄ５０１と、パッケージング基板Ｄ５０１に実装された受信システムとを含み得る。ＤＲｘモジュールＤ５１０は、ＤＲｘモジュールＤ５１０から出るように引き回されて任意の所望帯域のためのフィルタをサポートするシステムインテグレータ、設計者又は製造者にとって利用可能とされた一以上の信号経路を含み得る。
【０３２９】
ＤＲｘモジュールＤ５１０は、ＤＲｘモジュールＤ５１０の入力及び出力間に一定数の経路を含む。ＤＲｘモジュールＤ５１０は、ＤＲｘ制御器Ｄ５０２が制御するバイパススイッチＤ５１９によってアクティブにされる入力及び出力間のバイパス経路を含む。図２２が単一のバイパススイッチＤ５１９を例示するにもかかわらず、いくつかの実装において、バイパススイッチＤ５１９は、多重スイッチ（例えば、入力の物理的近くに設けられた第１スイッチ、及び出力の物理的近くに設けられた第２スイッチ）を含み得る。図２２に示されるように、バイパス経路は、フィルタも増幅器も含まない。
【０３３０】
ＤＲｘモジュールＤ５１０は、第１マルチプレクサＤ５１１及び第２マルチプレクサＤ５１２を含む一定数のマルチプレクサ経路を含む。マルチプレクサ経路は、一定数のオンモジュール経路を含む。これは、第１マルチプレクサＤ５１１、パッケージング基板Ｄ５０１に実装された増幅器前段帯域通過フィルタＤ４１３ａ〜Ｄ４１３ｄ、パッケージング基板Ｄ５０１に実装された増幅器Ｄ３１４ａ〜Ｄ３１４ｄ、パッケージング基板Ｄ５０１に実装された増幅器後段帯域通過フィルタＤ４２３ａ〜Ｄ４２３ｄ、及び第２マルチプレクサＤ５１２を含む。マルチプレクサ経路は、一以上のオフモジュール経路を含む。これは、第１マルチプレクサＤ５１１、パッケージング基板Ｄ５０１に実装された増幅器前段帯域通過フィルタＤ５１３、増幅器Ｄ５１４、パッケージング基板Ｄ５０１に実装された増幅器後段帯域通過フィルタＤ５２３、及び第２マルチプレクサＤ５１２を含む。増幅器Ｄ５１４は、パッケージング基板Ｄ５０１に実装された広帯域増幅器とすることができ、又はパッケージング基板Ｄ５０１の外に実装することもできる。いくつかの実装において、一以上のオフモジュール経路は、増幅器前段帯域通過フィルタＤ５１３を含まないが、増幅器後段帯域通過フィルタＤ５２３を含む。ここに記載されるように、増幅器Ｄ３１４ａ〜Ｄ３１４ｄ、Ｄ５１４は、可変利得増幅器及び／又は可変電流増幅器としてよい。
【０３３１】
ＤＲｘ制御器Ｄ５０２は、入力及び出力間の複数の経路の一以上を選択的にアクティブにするように構成される。いくつかの実装において、ＤＲｘ制御器Ｄ５０２は、当該複数の経路の一以上を、ＤＲｘ制御器Ｄ５０２（例えば通信制御器から）受信する帯域選択信号に基づいて選択的にアクティブにするように構成される。ＤＲｘ制御器Ｄ５０２は、例えば、バイパススイッチＤ５１９の開閉により、増幅器Ｄ３１４ａ〜Ｄ３１４ｄ、Ｄ５１４のイネーブル又はディセーブルにより、マルチプレクサＤ５１１、Ｄ５１２の制御により、又は他のメカニズムを介して当該経路を選択的にアクティブにすることができる。例えば、ＤＲｘ制御器Ｄ５０２は、（例えば、フィルタＤ３１３ａ〜Ｄ３１３ｄ、Ｄ５１３と増幅器Ｄ３１４ａ〜Ｄ３１４ｄ、Ｄ５１４との間の）経路沿いのスイッチを開閉すること、又は増幅器Ｄ３１４ａ〜Ｄ３１４ｄ、Ｄ５１４の利得を実質的にゼロに設定することができる。
【０３３２】
図２３は、いくつかの実施形態において、ダイバーシティ受信器構成Ｄ６００が、チューニング可能整合回路を備えたＤＲｘモジュールＤ６１０を含み得ることを示す。特に、ＤＲｘモジュールＤ６１０は、ＤＲｘモジュールＤ６１０の入力及び出力の一以上に設けられた一以上のチューニング可能整合回路を含み得る。
【０３３３】
同じダイバーシティアンテナ１４０において受信した多重周波数帯域のすべてが、理想的なインピーダンス整合である可能性は低い。コンパクト整合回路を使用して各周波数帯域を整合させるべく、チューニング可能入力整合回路Ｄ６１６をＤＲｘモジュールＤ６１０の入力に実装して（例えば通信制御器からの帯域選択信号に基づいて）ＤＲｘ制御器Ｄ６０２によって制御することができる。ＤＲｘ制御器Ｄ６０２は、チューニング可能入力整合回路Ｄ６１６を、複数の周波数帯域（又は複数組の周波数帯域）をチューニングパラメータに関連づけるルックアップテーブルに基づいてチューニングすることができる。チューニング可能入力整合回路Ｄ６１６は、チューニング可能Ｔ型回路、チューニング可能π型回路、又は任意の他のチューニング可能整合回路とすることができる。特に、チューニング可能入力整合回路Ｄ６１６は、抵抗器、インダクタ及びキャパシタのような一以上の可変部品を含み得る。これらの可変部品は、並列及び／又は直列に接続してよく、かつ、ＤＲｘモジュールＤ６１０の入力と第１マルチプレクサＤ３１１の入力との間に接続してよく、又はＤＲｘモジュールＤ６１０の入力と接地電圧との間に接続してよい。
【０３３４】
同様に、多くの周波数帯域の信号を搬送する一つのみの送信ライン１３５（又は少なくともいくつかのケーブル）によっては、多重周波数帯域すべてが理想的なインピーダンス整合となる可能性が低い。コンパクト整合回路を使用して各周波数帯域を整合させるべく、チューニング可能出力整合回路Ｄ６１７をＤＲｘモジュールＤ６１０の出力に実装して（例えば通信制御器からの帯域選択信号に基づいて）ＤＲｘ制御器Ｄ６０２によって制御することができる。ＤＲｘ制御器Ｄ６０２は、チューニング可能出力整合回路Ｄ６１８を、複数の周波数帯域（又は複数組の周波数帯域）をチューニングパラメータに関連づけるルックアップテーブルに基づいてチューニングすることができる。チューニング可能出力整合回路Ｄ６１７は、チューニング可能Ｔ型回路、チューニング可能π型回路、又は任意の他のチューニング可能整合回路とすることができる。特に、チューニング可能出力整合回路Ｄ６１７は、抵抗器、インダクタ及びキャパシタのような一以上の可変部品を含み得る。これらの可変部品は、並列及び／又は直列に接続してよく、かつ、ＤＲｘモジュールＤ６１０の出力と第２マルチプレクサＤ３１２の出力との間に接続してよく、又はＤＲｘモジュールＤ６１０の出力と接地電圧との間に接続してよい。
【０３３５】
とりわけ、増幅器後段フィルタに関する前述の例Ｄは、以下のようにまとめることができる。
【０３３６】
いくつかの実施形態によれば、本開示は、第１マルチプレクサの入力と第２マルチプレクサの出力との間にある複数の経路の一以上を選択的にアクティブにするように構成された制御器を含む受信システムに関する。受信システムは複数の増幅器を含み得る。複数の増幅器の各一つは、当該複数の経路の対応する一つに沿って設けることができ、増幅器において受信した信号を増幅するように構成することができる。受信システムは、第１の複数の帯域通過フィルタを含み得る。第１の複数の帯域通過フィルタの各一つは、複数の増幅器の対応する一つの出力において、複数の経路の対応する一つに沿って設けることができ、帯域通過フィルタにおいて受信した信号を各周波数帯域へとフィルタリングするように構成することができる。
【０３３７】
いくつかの実施形態において、受信システムはさらに、第２の複数の帯域通過フィルタを含み得る。第２の複数の帯域通過フィルタの各一つは、複数の経路の対応する一つに沿って複数の増幅器の一つの対応増幅器の入力に設けることができ、当該帯域通過フィルタにおいて受信した信号を各周波数帯域へとフィルタリングするように構成することができる。
【０３３８】
いくつかの実施形態において、第１経路に沿って設けられた第１の複数の帯域通過フィルタの一つと、当該第１経路に沿って設けられた第２の複数の帯域通過フィルタの一つとは相補的である。いくつかの実施形態において、第１経路に沿って設けられた帯域通過フィルタの一つは、当該対応周波数帯域内の周波数よりも当該対応周波数帯域を下回る周波数の方を減衰することができ、第１経路に沿って設けられた帯域通過フィルタのもう一つは、当該対応周波数帯域を下回る周波数よりも当該対応周波数帯域内の周波数の方を減衰することができる。
【０３３９】
いくつかの実施形態において、受信システムはさらに、第２マルチプレクサの出力に結合され、下流側マルチプレクサを含む下流側モジュールに結合された送信ラインを含み得る。いくつかの実施形態において、下流側モジュールは、下流側帯域通過フィルタを含まない。いくつかの実施形態において、下流側マルチプレクサはサンプルスイッチを含む。いくつかの実施形態において、下流側モジュールは、一以上の下流側増幅器を含み得る。いくつかの実施形態において、一以上の下流側増幅器の数は、複数の増幅器の数未満としてよい。
【０３４０】
いくつかの実施形態において、複数の増幅器の少なくとも一つは、低雑音増幅器を含み得る。
【０３４１】
いくつかの実施形態において、受信システムはさらに、第１マルチプレクサの入力と第２マルチプレクサの出力との一以上に設けられた一以上のチューニング可能整合回路を含み得る。
【０３４２】
いくつかの実施形態において、制御器は、当該制御器が受信した帯域選択信号に基づいて複数の経路の一以上を選択的にアクティブにするように構成することができる。いくつかの実施形態において、制御器は、分割器制御信号を第１マルチプレクサにかつ結合器制御信号を第２マルチプレクサに送信することによって、複数の経路の一以上を選択的にアクティブにするように構成することができる。
【０３４３】
いくつかの実装において、本開示は、複数の部品を受容するように構成されたパッケージング基板を含む無線周波数（ＲＦ）モジュールに関する。ＲＦモジュールはさらに、パッケージング基板に実装された受信システムを含む。受信システムは、第１マルチプレクサの入力と第２マルチプレクサの出力との間にある複数の経路の一以上を選択的にアクティブにするように構成された制御器を含む。受信システムはさらに複数の増幅器を含む。複数の増幅器の各一つは、当該複数の経路の対応する一つに沿って設けることができ、増幅器において受信した信号を増幅するように構成することができる。受信システムはさらに、第１の複数の帯域通過フィルタを含む。第１の複数の帯域通過フィルタの各一つは、複数の増幅器の対応する一つの出力において、複数の経路の対応する一つに沿って設けることができ、帯域通過フィルタにおいて受信した信号を各周波数帯域へとフィルタリングするように構成することができる。
【０３４４】
いくつかの実施形態において、ＲＦモジュールは、ダイバーシティ受信器フロントエンドモジュール（ＦＥＭ）とすることができる。
【０３４５】
いくつかの実施形態において、受信システムはさらに、第２の複数の帯域通過フィルタを含み得る。第２の複数の帯域通過フィルタの各一つは、複数の増幅器の対応する一つの入力において複数の経路の対応する一つに沿って設けることができ、帯域通過フィルタにおいて受信した信号を各周波数帯域へとフィルタリングするように構成することができる。
【０３４６】
いくつかの実施形態において、複数の経路は、オフモジュール帯域通過フィルタと複数の増幅器の一つとを含むオフモジュール経路を含み得る。
【０３４７】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。パッケージング基板を含む第１ＦＥＭは、複数の部品を受容するように構成される。第１ＦＥＭはさらに、パッケージング基板に実装された受信システムを含む。受信システムは、第１マルチプレクサの入力と第２マルチプレクサの出力との間にある複数の経路の一以上を選択的にアクティブにするように構成された制御器を含む。受信システムはさらに複数の増幅器を含む。複数の増幅器の各一つは、当該複数の経路の対応する一つに沿って設けることができ、増幅器において受信した信号を増幅するように構成することができる。受信システムはさらに、第１の複数の帯域通過フィルタを含む。第１の複数の帯域通過フィルタの各一つは、複数の経路の対応する一つに沿って複数の増幅器の一つの対応増幅器の出力に設けることができ、当該帯域通過フィルタにおいて受信した信号を各周波数帯域へとフィルタリングするように構成することができる。無線装置はさらに、出力からの第１ＲＦ信号の処理済みバージョンを送信ラインを介して受信しかつ当該第１ＲＦ信号の処理済みバージョンに基づいてデータビットを生成するように構成された通信モジュールを含む。
【０３４８】
いくつかの実施形態において、無線装置はさらに、第２無線周波数（ＲＦ）信号を受信するように構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを生成するように構成することができる。
【０３４９】
いくつかの実施形態において、受信システムはさらに、第２の複数の帯域通過フィルタを含む。第２の複数の帯域通過フィルタの各一つは、複数の経路の対応する一つに沿って複数の増幅器の一つの対応増幅器の入力に設けることができ、当該帯域通過フィルタにおいて受信した信号を各周波数帯域へとフィルタリングするように構成することができる。
【０３５０】
例Ｅ：スイッチングネットワーク
【０３５１】
図２４は、いくつかの実施形態において、ダイバーシティ受信器構成Ｅ５００が、単極／単投スイッチＥ５１９を備えたＤＲｘモジュールＥ５１０を含み得ることを示す。ＤＲｘモジュールＥ５１０は、アンテナ１４０に結合されたＤＲｘモジュールＥ５１０の入力から、送信ライン１３５に結合されたＤＲｘモジュールＥ５１０の出力への２つの経路を含む。ＤＲｘモジュールＥ５１０は複数の増幅器Ｅ５１４ａ〜Ｅ５１４ｂを含む。複数の増幅器Ｅ５１４ａ〜Ｅ５１４ｂの各一つは、複数の経路の対応する一つに沿って設けられ、当該増幅器において受信した信号を増幅するように構成される。いくつかの実装において、図２４に示されるように、複数の増幅器の少なくとも一つは二段増幅器を含む。
【０３５２】
図２４のＤＲｘモジュールＥ５１０において、信号分割器及び帯域通過フィルタはダイプレクサＥ５１１として実装される。ダイプレクサＥ５１１は、アンテナ１４０に結合された入力と、第１経路に沿って設けられた位相シフト部品Ｅ５２７ａに結合された第１出力と、第２経路に沿って設けられた第２位相シフト部品Ｅ５２７ｂに結合された第２出力とを含む。第１出力において、ダイプレクサＥ５１１は、（例えばアンテナ１４０から）入力において受信されて第１周波数帯域へとフィルタリングされた信号を出力する。第２出力において、ダイプレクサＥ５１１は、入力において受信されて第２周波数帯域へとフィルタリングされた信号を出力する。いくつかの実装において、ダイプレクサＥ５１１は、ＤＲｘモジュールＥ５１０の入力において受信した入力信号を分割し、複数の経路に沿って伝播される複数の周波数帯域それぞれにある複数の信号にするように構成されたトリプレクサ、クワッドプレクサ又は任意の他のマルチプレクサと置き換えてよい。
【０３５３】
いくつかの実装において、図３の第２マルチプレクサ３１２のような、ＤＲｘモジュールの出力に設けられた出力マルチプレクサ又は他の信号結合器は、単一帯域信号を受信するときにＤＲｘモジュールの性能を劣化させ得る。例えば、出力マルチプレクサは、雑音を減衰させ又は単一帯域信号に導入し得る。いくつかの実装において、図３の増幅器３１４ａ〜３１４ｄのような多重増幅器が、多重帯域信号をサポートするべく同時にイネーブルにされると、各増幅器はそれぞれが、帯域内雑音だけでなく、他の多重帯域のそれぞれに対する帯域外雑音も導入し得る。
【０３５４】
図２４のＤＲｘモジュールＥ５１０は、これらの課題のいくつかに対処する。ＤＲｘモジュールＥ５１０は、第１経路を第２経路に結合する単極／単投（ＳＰＳＴ）スイッチＥ５１９を含む。第１周波数帯域に対して単一帯域モードで動作するべく、スイッチＥ５１９が開位置にされ、第１増幅器Ｅ５１４ａはイネーブルにされ、第２増幅器Ｅ５１４ｂはディセーブルにされる。すなわち、第１周波数帯域にある単一帯域信号は、スイッチング損失なしにアンテナ１４０から第１経路に沿って送信ライン１３５へと伝播する。同様に、第２周波数帯域に対して単一帯域モードで動作するべく、スイッチＥ５１９が開位置にされ、第１増幅器Ｅ５１４ａはディセーブルにされ、第２増幅器Ｅ５１４ｂはイネーブルにされる。すなわち、第２周波数帯域にある単一帯域信号は、スイッチング損失なしにアンテナ１４０から第２経路に沿って送信ライン１３５へと伝播する。
【０３５５】
第１周波数帯域及び第２周波数帯域のための多重帯域モードで動作するべく、スイッチＥ５１９が閉位置にされ、第１増幅器Ｅ５１４ａがイネーブルにされ、第２増幅器Ｅ５１４ｂがディセーブルにされる。すなわち、多重帯域信号の第１周波数帯域部分が、第１位相シフト部品Ｅ５２７ａ、第１インピーダンス整合部品Ｅ５２６ａ及び第１増幅器Ｅ５１４ａを通る第１経路に沿って伝播する。第１周波数帯域部分は、第２位相シフト部品Ｅ５２７ｂにより、スイッチＥ５１９を横切って第２経路に沿って逆伝播することが防止される。特に、第２位相シフト部品Ｅ５２７ａは、第１周波数帯域でのインピーダンスを最大化（又は少なくとも増加）させるべく、位相シフト部品Ｅ５２７ｂを通過する信号の第１周波数帯域部分を位相シフトするように構成される。
【０３５６】
多重帯域信号の第２周波数帯域部分は、第２位相シフト部品Ｅ５２７ｂを通る第２経路に沿って伝播し、スイッチＥ５１９を横切り、第１インピーダンス整合部品Ｅ５２６ａ及び第１増幅器Ｅ３１４ａを通る第１経路に沿って伝播する。第２周波数帯域部分は、第１位相シフト部品Ｅ５２７ａによって第１経路に沿って逆伝播することが防止される。特に、第１位相シフト部品Ｅ５２７ａは、第２周波数帯域におけるインピーダンスを最大化（又は少なくとも増加）させるべく、第１位相シフト部品Ｅ５２７ａを通過する信号の第２周波数帯域部分を位相シフトするように構成される。
【０３５７】
各経路は、雑音指数及び利得によって特徴づけることができる。各経路の雑音指数は、当該経路に沿って設けられた増幅器及びインピーダンス整合部品Ｅ５２６ａ〜Ｅ５２６ｂがもたらす信号対雑音比（ＳＮＲ）の劣化を表す。特に、各経路の雑音指数は、インピーダンス整合部品Ｅ５２６ａ〜Ｅ５２６ｂの入力におけるＳＮＲと、増幅器Ｅ３１４ａ〜Ｅ３１４ｂの出力におけるＳＮＲとのデシベル（ｄＢ）差である。すなわち、雑音指数は、同じ利得による増幅器の雑音出力と（雑音が発生しない）「理想の」増幅器の雑音出力との差の尺度である。
【０３５８】
各経路の雑音指数は、異なる周波数帯域に対して異なり得る。例えば、第１経路は、第１周波数帯域に対する第１雑音指数と、第２周波数帯域に対する第２雑音指数とを有し得る。（各周波数帯域における）各経路の雑音指数及び利得は、少なくとも一部では、インピーダンス整合部品Ｅ５２６ａ〜Ｅ５２６ｂの（各周波数帯域における）インピーダンスに依存し得る。したがって、インピーダンス整合部品Ｅ５２６ａ〜Ｅ５２６ｂのインピーダンスは、各経路の雑音指数を最小化（又は低減）するようにすることが有利となり得る。
【０３５９】
いくつかの実装において、第２インピーダンス整合部品Ｅ５２６ｂは、第２周波数帯域に対する雑音指数を最小化（又は低減）するインピーダンスを提示する。いくつかの実装において、第１インピーダンス整合部品Ｅ５２６ａは、第１周波数帯域に対する雑音指数を最小化（又は低減）する。多重帯域信号の第２周波数帯域部分が部分的に第１部に沿って伝播し得るので、いくつかの実装では、第１インピーダンス整合部品Ｅ５２６ａは、第１帯域に対する雑音指数と第２帯域に対する雑音指数とを含むメトリックを最小化（又は低減）する。
【０３６０】
インピーダンス整合部品Ｅ５２６ａ〜Ｅ５２６ｂは、受動回路として実装してよい。特に、インピーダンス整合部品Ｅ５２６ａ〜Ｅ５２６ｂは、ＲＬＣ回路として実装してよく、抵抗器、インダクタ及び／又はキャパシタのような一以上の受動部品を含んでよい。これらの受動部品は、並列及び／又は直列に接続してよく、かつ、位相シフト部品Ｅ５２７ａ〜Ｅ５２７ｂの出力と増幅器Ｅ５１４ａ〜Ｅ４１５ｂの入力との間に接続してよく、位相シフト部品Ｅ５２７ａ〜Ｅ５２７ｂの出力と接地電圧と間に接続してよい。
【０３６１】
同様に、位相シフト部品Ｅ５２７ａ〜Ｅ５２７ｂも、受動回路として実装してよい。特に、位相シフト部品Ｅ５２７ａ〜Ｅ５２７ｂは、ＬＣ回路として実装してよく、インダクタ及び／又はキャパシタのような一以上の受動部品を含み得る。これらの受動部品は、並列及び／又は直列に接続してよく、かつ、ダイプレクサＥ５１１の出力とインピーダンス整合部品Ｅ５２６ａ〜Ｅ５２６ｂの入力との間に接続してよく、又はダイプレクサＥ５１１の出力と接地電圧との間に接続してよい。
【０３６２】
図２５は、いくつかの実施形態において、ダイバーシティ受信器構成Ｅ６００が、チューニング可能位相シフト部品Ｅ６２７ａ〜Ｅ６２７ｄを備えたＤＲｘモジュールＥ６１０を含み得ることを示す。チューニング可能位相シフト部品Ｅ６２７ａ〜Ｅ６２７ｄはそれぞれ、チューニング可能位相シフト部品を通過する信号を、制御器から受信した位相シフトチューニング信号が制御する量だけ位相シフトさせるように構成することができる。
【０３６３】
ダイバーシティ受信器構成Ｅ６００は、アンテナ１４０に結合された入力と送信ライン１３５に結合された出力とを有するＤＲｘモジュールＥ６１０を含む。ＤＲｘモジュールＥ６１０は、ＤＲｘモジュールＥ６１０の入力及び出力間に一定数の経路を含む。各経路は、マルチプレクサＥ３１１、帯域通過フィルタＥ３１３ａ〜Ｅ３１３ｄ、チューニング可能位相シフト部品Ｅ６２７ａ〜Ｅ６２７ｄ、スイッチングネットワークＥ６１２、チューニング可能インピーダンス整合部品Ｅ６２６ａ〜Ｅ６２６ｄ及び増幅器Ｅ３１４ａ〜Ｅ３１４ｄを含む。ここに記載されるように、増幅器Ｅ３１４ａ〜Ｅ３１４ｄは、可変利得増幅器及び／又は可変電流増幅器としてよい。
【０３６４】
チューニング可能位相シフト部品Ｅ６２７ａ〜Ｅ６２７ｄは、インダクタ及びキャパシタのような一以上の可変部品を含み得る。これらの可変部品は、並列及び／又は直列に接続してよく、かつ、マルチプレクサＥ３１１の出力とスイッチングネットワークＥ６１２の入力との間に接続してよく、又は当該マルチプレクサの出力と接地電圧との間に接続してよい。
【０３６５】
チューニング可能インピーダンス整合部品Ｅ６２６ａ〜Ｅ６２６ｄは、チューニング可能Ｔ型回路、チューニング可能π型回路、又は任意の他のチューニング可能整合回路としてよい。チューニング可能インピーダンス整合部品Ｅ６２６ａ〜Ｅ６２６ｄは、抵抗器、インダクタ及びキャパシタのような一以上の可変部品を含み得る。これらの可変部品は、並列及び／又は直列に接続してよく、かつ、スイッチングネットワークＥ６１２の出力と増幅器Ｅ３１４ａ〜Ｅ３１４ｄの入力との間に接続してよく、又はスイッチングネットワークＥ６１２の出力と接地電圧との間に接続してよい。
【０３６６】
ＤＲｘ制御器Ｅ６０２は、入力及び出力間の複数の経路の一以上を選択的にアクティブにするように構成される。いくつかの実装において、ＤＲｘ制御器Ｅ６０２は、複数の経路の一以上を、ＤＲｘ制御器Ｅ６０２が（例えば通信制御器から）受信する帯域選択信号に基づいて選択的にアクティブにするように構成される。ＤＲｘ制御器Ｅ６０２は、例えば、増幅器Ｅ３１４ａ〜Ｅ３１４ｄのイネーブル若しくはディセーブルにより、マルチプレクサＥ３１１及び／又はスイッチングネットワークＥ６１２の制御により、並びに／又は他のメカニズムを介して当該経路を選択的にアクティブにすることができる。
【０３６７】
いくつかの実装において、ＤＲｘ制御器Ｅ６０２は、スイッチングネットワークＥ６１２を帯域選択信号に基づいて制御する。スイッチングネットワークは、複数のＳＰＳＴスイッチを含み、各スイッチは複数の経路の２つを結合する。ＤＲｘ制御器Ｅ６０２は、複数のＳＰＳＴスイッチを開閉するべく、スイッチング信号（又は多重スイッチング信号）をスイッチングネットワークに送信することができる。例えば、入力信号が第１周波数帯域及び第２周波数帯域を含むことを帯域選択信号が指示する場合、ＤＲｘ制御器Ｅ６０２は、第１経路及び第２経路間のスイッチを閉にし得る。入力信号が第２周波数帯域及び第４周波数帯域を含むことを帯域選択信号が指示する場合、ＤＲｘ制御器Ｅ６０２は、第２経路及び第４経路間のスイッチを閉にし得る。入力信号が第１周波数帯域、第２周波数帯域及び第４周波数帯域を含むことを帯域選択信号が指示する場合、ＤＲｘ制御器Ｅ６０２は、双方のスイッチを閉にし得る（並びに／又は第１経路及び第２経路間のスイッチと第１経路及び第４経路間のスイッチとを閉にし得る）。入力信号が第２周波数帯域、第３周波数帯域及び第４周波数を含むことを帯域選択信号が指示する場合、ＤＲｘ制御器Ｅ６０２は、第２経路及び第３経路間のスイッチと、第３経路及び第４経路間のスイッチとを閉にし得る（並びに／又は第２経路及び第３経路間のスイッチと第２経路及び第４経路間のスイッチとを閉にし得る）。
【０３６８】
いくつかの実装において、ＤＲｘ制御器Ｅ６０２は、チューニング可能位相シフト部品Ｅ６２７ａ〜Ｅ６２７ｄをチューニングするように構成される。いくつかの実装において、ＤＲｘ制御器Ｅ６０２は、チューニング可能位相シフト部品Ｅ６２７ａ〜Ｅ６２７ｄを、帯域選択信号に基づいてチューニングする。例えば、ＤＲｘ制御器Ｅ６０２は、チューニング可能位相シフト部品Ｅ６２７ａ〜Ｅ６２７ｄを、帯域選択信号が指示する複数の周波数帯域（又は複数組の周波数帯域）をチューニングパラメータに関連づけるルックアップテーブルに基づいてチューニングすることができる。したがって、ＤＲｘ制御器Ｅ６０２は、チューニング可能位相シフト部品（又はその可変部品）をチューニングパラメータに応じてチューニングするべく、帯域選択信号に応答して位相シフトチューニング信号をアクティブな各経路のチューニング可能位相シフト部品Ｅ６２７ａ〜Ｅ６２７ｄへと送信することができる。
【０３６９】
ＤＲｘ制御器Ｅ６０２は、アクティブな各経路のチューニング可能位相シフト部品Ｅ６２７ａ〜Ｅ６２７ｄをチューニングして、アクティブな他の経路に対応する周波数帯域におけるインピーダンスを最大化する（又は少なくとも減少させる）ように構成することができる。すなわち、第１経路及び第３経路がアクティブな場合、ＤＲｘ制御器Ｅ６０２は、第１位相シフト部品Ｅ６２７ａをチューニングして第３周波数帯域におけるインピーダンスを最大化する（又は少なくとも増加させる）一方、第１経路及び第４経路がアクティブな場合、ＤＲｘ制御器Ｅ６０２は、第１位相シフト部品Ｅ６２７ａをチューニングして第４周波数帯域におけるインピーダンスを最大化する（又は少なくとも増加させる）。
【０３７０】
いくつかの実装において、ＤＲｘ制御器Ｅ６０２は、チューニング可能インピーダンス整合部品Ｅ６２６ａ〜Ｅ６２６ｄをチューニングするように構成される。いくつかの実装において、ＤＲｘ制御器Ｅ６０２は、チューニング可能インピーダンス整合部品Ｅ６２６ａ〜Ｅ６２６ｄを、帯域選択信号に基づいてチューニングする。例えば、ＤＲｘ制御器Ｅ６０２は、チューニング可能インピーダンス整合部品Ｅ６２６ａ〜Ｅ６２６ｄを、帯域選択信号が指示する複数の周波数帯域（又は複数組の周波数帯域）をチューニングパラメータに関連づけるルックアップテーブルに基づいてチューニングすることができる。したがって、ＤＲｘ制御器Ｅ６０２は、帯域選択信号に応答してインピーダンスチューニング信号を、アクティブな増幅器を有する経路のチューニング可能インピーダンス整合部品Ｅ６２６ａ〜Ｅ６２６ｄに、チューニングパラメータに応じて送信することができる。
【０３７１】
いくつかの実装において、ＤＲｘ制御器Ｅ６０２は、アクティブな各経路の対応周波数帯域のための雑音指数を含むメトリックを最小化（又は低減）するべく、アクティブな増幅器を有する経路のチューニング可能インピーダンス整合部品Ｅ６２６ａ〜Ｅ６２６ｄをチューニングする。
【０３７２】
様々な実装において、チューニング可能位相シフト部品Ｅ６２７ａ〜Ｅ６２７ｄ又はチューニング可能インピーダンス整合部品Ｅ６２６ａ〜Ｅ６２６ｄの一以上は、ＤＲｘ制御器Ｅ６０２が制御しない固定部品によって置き換えてよい。
【０３７３】
図２６は、ＲＦ信号を処理する方法Ｅ７００のフローチャート表現の一実施形態を示す。いくつかの実装において（及び一例として以下に詳述されるように）、方法Ｅ７００は、図２５のＤＲｘ制御器Ｅ６０２のような制御器が行う。いくつかの実装において、方法Ｅ７００は、ハードウェア、ファームウェア、ソフトウェア又はこれらの組み合わせを含む処理ロジックによって行われる。いくつかの実装において、方法Ｅ７００は、非一時的なコンピュータ可読媒体（例えばメモリ）に記憶されたコードを実行するプロセッサによって行われる。簡潔には、方法Ｅ７００は、帯域選択信号を受信することと、受信ＲＦ信号を一以上の経路に沿って引き回して当該受信ＲＦ信号を処理することとを含む。
【０３７４】
方法Ｅ７００は、ブロックＥ７１０において、制御器が帯域選択信号を受信することから開始する。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０３７５】
ブロックＥ７２０において、制御器は、帯域選択信号に基づいて増幅器イネーブル信号をＤＲｘモジュールの増幅器に送信する。いくつかの実装において、帯域選択信号が単一周波数帯域を指示すると、制御器は、当該単一周波数帯域に対応する経路に沿って設けられた増幅器をイネーブルにするべく増幅器イネーブル信号を送信する。制御器は、他の周波数帯域に対応する他の経路に沿って設けられた他の増幅器をディセーブルにするべく増幅器イネーブル信号を送信してもよい。いくつかの実装において、帯域選択信号が多重周波数帯域を指示すると、制御器は、多重周波数帯域の一つに対応する当該経路の一つに沿って設けられた増幅器をイネーブルにするべく増幅器イネーブル信号を送信する。制御器は、他の増幅器をディセーブルにするべく増幅器イネーブル信号を送信してもよい。いくつかの実装において、制御器は、最低周波数帯域に対応する経路に沿って設けられた増幅器をイネーブルにする。
【０３７６】
ブロックＥ７３０において、制御器は、帯域選択信号に基づいて単極／単投（ＳＰＳＴ）スイッチのスイッチングネットワークを制御するスイッチング信号を送信する。スイッチングネットワークは、複数の周波数帯域に対応する複数の経路を結合する複数のＳＰＳＴスイッチを含む。いくつかの実装において、帯域選択信号が単一周波数帯域を指示すると、制御器は、ＳＰＳＴスイッチのすべてを開にするスイッチング信号を送信する。いくつかの実装において、帯域選択信号が多重周波数帯域を指示すると、制御器は、当該多重周波数帯域に対応する経路を結合するべく、ＳＰＳＴスイッチの一以上を閉にするスイッチング信号を送信する。
【０３７７】
ブロックＥ７４０において、制御器は、帯域選択信号に基づいてチューニング信号を一以上のチューニング可能部品に送信する。チューニング可能部品は、複数のチューニング可能位相シフト部品又は複数のチューニング可能インピーダンス整合部品の一以上を含み得る。制御器は、チューニング可能部品を、帯域選択信号が指示する複数の周波数帯域（又は複数組の周波数帯域）をチューニングパラメータに関連づけるルックアップテーブルに基づいてチューニングすることができる。したがって、ＤＲｘ制御器は、チューニング可能部品（又はその可変部品）をチューニングパラメータに応じてチューニングするべく、帯域選択信号に応答してチューニング信号を、（アクティブな経路の）チューニング可能部品に送信することができる。
【０３７８】
とりわけ、スイッチングネットワークに関する前述の例Ｅは、以下のようにまとめることができる。
【０３７９】
いくつかの実施形態によれば、本開示は、複数の増幅器を含む受信システムに関する。複数の増幅器の各一つは、受信システムの入力と当該受信システムの出力との間にある複数の経路の対応する一つに沿って設けられ、当該増幅器において受信した信号を増幅するように構成される。受信システムはさらに、一以上の単極／単投スイッチを含むスイッチングネットワークを含む。当該スイッチの各一つが、複数の経路の２つを結合する。受信システムはさらに、帯域選択信号を受信し、当該帯域選択信号に基づいて複数の増幅器の一つをイネーブルしてスイッチングネットワークを制御するように構成された制御器を含む。
【０３８０】
いくつかの実施形態において、制御器は、単一周波数帯域を指示する帯域選択信号の受信に応答して当該単一周波数帯域に対応する複数の増幅器の一つをイネーブルにすることにより、スイッチングネットワークを制御して一以上のスイッチのすべてを開にするように構成することができる。
【０３８１】
いくつかの実施形態において、制御器は、多重周波数帯域を指示する帯域選択信号の受信に応答して当該多重周波数帯域の一つに対応する複数の増幅器の一つをイネーブルにすることにより、スイッチングネットワークを制御して、多重周波数帯域に対応する経路間にある一以上のスイッチの少なくとも一つを閉にするように構成することができる。
【０３８２】
いくつかの実施形態において、受信システムはさらに、複数の位相シフト部品を含み得る。複数の位相シフト部品の各一つは、複数の経路の対応する一つに沿って設けることができ、当該複数の経路の他の一つに対応する周波数帯域のためのインピーダンスを増加させるべく当該位相シフト部品を通過する信号を位相シフトするように構成することができる。いくつかの実施形態において、複数の位相シフト部品の各一つは、スイッチングネットワーク及び入力間に設けることができる。いくつかの実施形態において、複数の位相シフト部品の少なくとも一つは、チューニング可能位相シフト部品を含み得る。これは、チューニング可能位相シフト部品を通過する信号を、制御器から受信した位相シフトチューニング信号が制御する量だけ位相シフトする。いくつかの実施形態において、制御器は、帯域選択信号に基づいて位相シフトチューニング信号を生成するように構成することができる。
【０３８３】
いくつかの実施形態において、受信システムはさらに、複数のインピーダンス整合部品を含み得る。複数のインピーダンス整合部品の各一つは、複数の経路の対応する一つに沿って設けることができ、当該複数の経路の当該一つの雑音指数を減少させるように構成することができる。いくつかの実施形態において、複数のインピーダンス整合部品の各一つは、スイッチングネットワークと複数の増幅器の対応する一つとの間に設けることができる。いくつかの実施形態において、複数のインピーダンス整合部品の少なくとも一つは、制御器から受信したインピーダンスチューニング信号が制御するインピーダンスを提示するように構成されたチューニング可能インピーダンス整合部品を含み得る。いくつかの実施形態において、制御器は、帯域選択信号に基づいてインピーダンスチューニング信号を生成するように構成することができる。
【０３８４】
いくつかの実施形態において、受信システムはさらに、入力において受信した入力信号を分割して、複数の経路に沿って伝播する複数の周波数帯域それぞれの複数の信号にするように構成されたマルチプレクサを含み得る。
【０３８５】
いくつかの実施形態において、複数の増幅器の少なくとも一つは二段増幅器を含み得る。
【０３８６】
いくつかの実施形態において、制御器は、複数の増幅器の一つをイネーブルにし、かつ、当該複数の増幅器の他をディセーブルにするように構成することができる。
【０３８７】
いくつかの実装において、本開示は、複数の部品を受容するように構成されたパッケージング基板を含む無線周波数（ＲＦ）モジュールに関する。ＲＦモジュールはさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した信号を増幅するように構成される。受信システムはさらに、一以上の単極／単投スイッチを含むスイッチングネットワークを含む。当該スイッチの各一つが、複数の経路の２つを結合する。受信システムはさらに、帯域選択信号を受信し、当該帯域選択信号に基づいて複数の増幅器の一つをイネーブルしてスイッチングネットワークを制御するように構成された制御器を含む。
【０３８８】
いくつかの実施形態において、ＲＦモジュールは、ダイバーシティ受信器フロントエンドモジュール（ＦＥＭ）とすることができる。
【０３８９】
いくつかの実施形態において、受信システムはさらに複数の位相シフト部品を含み得る。複数の位相シフト部品の各一つは、複数の経路の対応する一つに沿って設けることができ、当該複数の経路の他の一つに対応する周波数帯域のためのインピーダンスを増加させるべく当該位相シフト部品を通過する信号を位相シフトするように構成することができる。
【０３９０】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。第１ＦＥＭは、複数の部品を受容するように構成されたパッケージング基板を含む。第１ＦＥＭはさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した信号を増幅するように構成される。受信システムはさらに、一以上の単極／単投スイッチを含むスイッチングネットワークを含む。当該スイッチの各一つが、複数の経路の２つを結合する。受信システムはさらに、帯域選択信号を受信し、当該帯域選択信号に基づいて複数の増幅器の一つをイネーブルしてスイッチングネットワークを制御するように構成された制御器を含む。無線装置はさらに、第１ＲＦ信号の処理済みバージョンを出力からケーブルを介して受信し、当該第１ＲＦ信号の処理済みバージョンに基づいてデータビットを生成するように構成された送受信器を含む。
【０３９１】
いくつかの実装において、無線装置はさらに、第２無線周波数（ＲＦ）信号を受信するように構成された第２アンテナと、第１アンテナと通信する第２ＦＥＭとを含み得る。送受信器は、第２ＦＥＭの出力からの第２ＲＦ信号の処理済みバージョンを受信し、当該第２ＲＦ信号の処理済みバージョンに基づいてデータビットを生成するように構成することができる。
【０３９２】
いくつかの実装において、受信システムはさらに、複数の位相シフト部品を含み得る。複数の位相シフト部品の各一つは、複数の経路の対応する一つに沿って設けることができ、当該複数の経路の他の一つに対応する周波数帯域のためのインピーダンスを増加させるべく当該位相シフト部品を通過する信号を位相シフトするように構成することができる。
【０３９３】
例Ｆ：フレキシブルな帯域引き回し
【０３９４】
図２７は、いくつかの実施形態において、ダイバーシティ受信器構成Ｆ６００が、チューニング可能整合回路を備えたＤＲｘモジュールＦ６１０を含み得ることを示す。特に、ＤＲｘモジュールＦ６１０は、ＤＲｘモジュールＦ６１０の入力及び出力の一以上に設けられた一以上のチューニング可能整合回路を含み得る。
【０３９５】
同じダイバーシティアンテナ１４０において受信した多重周波数帯域のすべてが理想的なインピーダンス整合である可能性は低い。コンパクト整合回路を使用して各周波数帯域を整合させるべく、チューニング可能入力整合回路Ｆ６１６がＤＲｘモジュールＦ６１０の入力に実装されて、ＤＲｘ制御器Ｆ６０２により（例えば通信制御器からの帯域選択信号に基づいて）制御される。ＤＲｘ制御器Ｆ６０２は、チューニング可能入力整合回路Ｆ６１６を、複数の周波数帯域（又は複数組の周波数帯域）をチューニングパラメータに関連づけるルックアップテーブルに基づいてチューニングすることができる。チューニング可能入力整合回路Ｆ６１６は、チューニング可能Ｔ型回路、チューニング可能π型回路、又は任意の他のチューニング可能整合回路とすることができる。特に、チューニング可能入力整合回路Ｆ６１６は、抵抗器、インダクタ及びキャパシタのような一以上の可変部品を含み得る。これらの可変部品は、並列及び／又は直列に接続してよく、かつ、ＤＲｘモジュールＦ６１０の入力と第１マルチプレクサＦ３１１の入力との間に接続してよく、又はＤＲｘモジュールＦ６１０の入力と接地電圧との間に接続してよい。
【０３９６】
同様に、多くの周波数帯域の信号を搬送する送信ライン１３５（又は少なくともいくつかのケーブル）によっては、多重周波数帯域すべてが理想的なインピーダンス整合となる可能性が低い。コンパクト整合回路を使用して各周波数帯域を整合させるべく、チューニング可能出力整合回路Ｆ６１７をＤＲｘモジュールＦ６１０の出力に実装して（例えば通信制御器からの帯域選択信号に基づいて）ＤＲｘ制御器Ｆ６０２によって制御することができる。ＤＲｘ制御器Ｆ６０２は、チューニング可能出力整合回路Ｆ６１８を、複数の周波数帯域（又は複数組の周波数帯域）をチューニングパラメータに関連づけるルックアップテーブルに基づいてチューニングすることができる。チューニング可能出力整合回路Ｆ６１７は、チューニング可能Ｔ型回路、チューニング可能π型回路、又は任意の他のチューニング可能整合回路とすることができる。特に、チューニング可能出力整合回路Ｆ６１７は、抵抗器、インダクタ及びキャパシタのような一以上の可変部品を含み得る。これらの可変部品は、並列及び／又は直列に接続してよく、かつ、ＤＲｘモジュールＦ６１０の出力と第２マルチプレクサＦ３１２の出力との間に接続してよく、又はＤＲｘモジュールＦ６１０の出力と接地電圧との間に接続してよい。
【０３９７】
図２８は、いくつかの実施形態において、ダイバーシティ受信器構成Ｆ７００が多重送信ラインを含み得ることを示す。図２８が２つの送信ラインＦ７３５ａ〜Ｆ７３５ｂ及び一つのアンテナ１４０を備えた一実施形態を例示するにもかかわらず、ここに記載される態様は、２を超える送信ライン及び／又は（さらに後述されるように）２以上のアンテナを備えた実施形態に実装することができる。
【０３９８】
ダイバーシティ受信器構成Ｆ７００は、アンテナ１４０に結合されたＤＲｘモジュールＦ７１０を含む。ＤＲｘモジュールＦ７１０は、ＤＲｘモジュールＦ７１０の入力（例えばアンテナ１４０ａに結合された入力）と当該ＤＲｘモジュールの出力（例えば第１送信ラインＦ７３５ａに結合された第１出力、又は第２送信ラインＦ７３５ｂに結合された第２出力）との間に一定数の経路を含む。いくつかの実装において、ＤＲｘモジュールＦ７１０は、ＤＲｘ制御器Ｆ７０２が制御する一以上のバイパススイッチによってアクティブにされる入力及び出力間の一以上のバイパス経路（図示せず）を含む。
【０３９９】
ＤＲｘモジュールＦ７１０は、入力マルチプレクサＦ３１１及び出力マルチプレクサＦ７１２を含む一定数のマルチプレクサ経路を含む。マルチプレクサ経路は、入力マルチプレクサＦ３１１、帯域通過フィルタＦ３１３ａ〜Ｆ３１３ｄ、増幅器Ｆ３１４ａ〜Ｆ３１４ｄ及び出力マルチプレクサＦ７１２を含む一定数のオンモジュール経路（図示）を含む。マルチプレクサ経路は、ここに記載される一以上のオフモジュール経路（図示せず）を含み得る。またもここに記載されるように、増幅器Ｆ３１４ａ〜Ｆ３１４ｄは、可変利得増幅器及び／又は可変電流増幅器とすることができる。
【０４００】
ＤＲｘ制御器Ｆ７０２は、入力及び出力間の複数の経路の一以上を選択的にアクティブにするように構成される。いくつかの実装において、ＤＲｘ制御器Ｆ７０２は、当該複数の経路の一以上を、ＤＲｘ制御器Ｆ７０２が（例えば通信制御器から）受信する帯域選択信号に基づいて選択的にアクティブにするように構成される。ＤＲｘ制御器Ｆ７０２は、例えば、増幅器Ｆ３１４ａ〜Ｆ３１４ｄのイネーブル又はディセーブルにより、マルチプレクサＦ３１１、Ｆ７１２の制御により、又はここに記載される他のメカニズムを介して当該経路を選択的にアクティブにすることができる。
【０４０１】
多重送信線Ｆ７３５ａ〜７３５ｂを良好に利用するべくＤＲｘ制御器Ｆ７０２は、帯域選択信号に基づいて出力マルチプレクサＦ７１２を制御して、経路に沿って伝播する各信号を、送信ラインＦ７３５ａ〜Ｆ７３５ｂ（又は送信線Ｆ７３５ａ〜Ｆ７３５ｂに対応する出力マルチプレクサ出力）の選択された一つへと引き回すことができる。
【０４０２】
いくつかの実装において、受信した信号が単一周波数帯域を含むことを帯域選択信号が指示する場合、ＤＲｘ制御器Ｆ７０２は出力マルチプレクサＦ７１２を制御して、対応経路を伝播する信号をデフォルト送信ラインへと引き回すことができる。デフォルトの送信ラインは、送信ラインＦ７３５ａ〜Ｆ７３５ｂの一つが短く、雑音の導入が少なく、又はそうでない場合が好ましいときのように、すべての経路（及び対応する周波数帯域）に対して同じでよい。デフォルトの送信ラインは、異なる経路に対して異なってよい。例えば、低周波数帯域に対応する経路を第１送信ラインＦ７３５ｂへと引き回し、高周波数帯域に対応する経路を第２送信ラインＦ７３５ｂへと引き回してよい。
【０４０３】
すなわち、ＤＲｘ制御器Ｆ７０２は、入力マルチプレクサＦ３１１において受信した一以上のＲＦ信号が単一周波数帯域を含むことを指示する帯域選択信号に応答して第２マルチプレクサＦ７１２を制御することにより、当該単一周波数帯域に対応する出力マルチプレクサ入力において受信した増幅済みＲＦ信号を、デフォルトの出力マルチプレクサ出力へと引き回すように構成することができる。ここで述べたように、デフォルトの出力マルチプレクサ出力は、異なる単一周波数帯域に対して異なってよく、又はすべての周波数帯域に対して同じでもよい。
【０４０４】
いくつかの実装において、受信した信号が２つの周波数帯域を含むことを帯域選択信号が指示する場合、ＤＲｘ制御器Ｆ７０２は、出力マルチプレクサＦ７１２を制御することにより、第１周波数帯域に対応する経路に沿って伝播する信号を第１送信ラインＦ７３５ａへと引き回し、かつ、第２周波数帯域に対応する経路に沿って伝播する信号を第２送信ラインＦ７３５ｂへと引き回すことができる。すなわち、２つの周波数帯域が双方とも高周波数帯域（又は低周波数帯域）の場合、対応する経路に沿って伝播する信号を、異なる送信ラインへと引き回すことができる。同様に、送信ラインが３以上の場合、３以上の周波数帯域のそれぞれを異なる送信ラインへと引き回すことができる。
【０４０５】
すなわち、ＤＲＸ制御器Ｆ７０２は、入力マルチプレクサＦ３１１において受信した一以上のＲＦ信号が第１周波数帯域及び第２周波数帯域を含むことを指示する帯域選択信号に応答して、第２マルチプレクサＦ７１２を制御することにより、第１周波数帯域に対応する出力マルチプレクサ入力において受信した増幅済みＲＦ信号を第１出力マルチプレクサ出力へと引き回し、かつ、第２周波数帯域に対応する出力マルチプレクサ入力において受信した増幅済みＲＦ信号を第２出力マルチプレクサ出力へと引き回すように構成することができる。ここで述べたように、第１周波数帯域及び第２周波数帯域は双方とも、高周波数帯域又は低周波数帯域としてよい。
【０４０６】
いくつかの実装において、受信した信号が３つの周波数帯域を含むことを帯域選択信号が指示する場合、ＤＲｘ制御器Ｆ７０２は出力マルチプレクサＦ７１２を制御して当該周波数帯域の２つに対応する２つの経路に沿って伝播する信号の２つを結合し、当該結合信号を当該送信ラインの一方に沿って引き回し、第３の周波数帯域に対応する経路に沿って伝播する信号を当該送信ラインの他方に沿って引き回すことができる。いくつかの実装において、ＤＲｘ制御器Ｆ７０２は出力マルチプレクサＦ７１２を制御して３つの周波数帯域の、互いに最も近い２つ（例えば双方とも低周波数帯域又は双方とも高周波数帯域）を結合する。かかる実装は、ＤＲｘモジュールＦ７１０の出力又は下流側モジュールの入力におけるインピーダンス整合を簡略化することができる。いくつかの実装において、ＤＲｘ制御器Ｆ７０２は出力マルチプレクサＦ７１２を制御して３つの周波数帯域の、最も離れた２つを結合する。かかる実装は、下流側モジュールにおける周波数帯域の分割を簡略化することができる。
【０４０７】
すなわち、ＤＲｘ制御器Ｆ７０２は、入力マルチプレクサＦ３１１において受信した一以上のＲＦ信号が第１周波数帯域、第２周波数帯域及び第３周波数帯域を含むことを指示する帯域選択信号に応答して第２マルチプレクサＦ７１２を制御し、（ａ）第１周波数帯域に対応する出力マルチプレクサ入力において受信した増幅済みＲＦ信号受信と、第２周波数帯域に対応する出力マルチプレクサ入力において受信した増幅済みＲＦ信号とを結合して結合信号を生成し、（ｂ）当該結合信号を第１出力マルチプレクサ出力へと引き回し、（ｃ）第３周波数帯域に対応する出力マルチプレクサ入力において受信した増幅済みＲＦ信号を第２出力マルチプレクサ出力へと引き回すように構成することができる。ここで述べたように、第１周波数帯域及び第２周波数帯域は、３つの周波数帯域の、互いに最も近いもの又は最も離れたものとすることができる。
【０４０８】
いくつかの実装において、受信した信号が４つの周波数帯域を含むことを帯域選択信号が指示する場合、ＤＲｘ制御器Ｆ７０２は出力マルチプレクサＦ７１２を制御して当該周波数帯域の２つに対応する２つの経路に沿って伝播する２つの信号を結合し、第１の結合信号を当該送信ラインの一方に沿って引き回し、当該周波数帯域の他の２つに対応する２つの経路に沿って伝播する信号の２つを引き回し、第２の結合信号を当該送信ラインの他方に沿って引き回すことができる。いくつかの実装において、ＤＲｘ制御器Ｆ７０２は出力マルチプレクサＦ７１２を制御して当該周波数帯域の３つに対応する３つの経路に沿って伝播する信号の３つを結合し、当該結合信号を当該送信ラインの一方に沿って引き回し、第４の周波数帯域に対応する経路に沿って伝播する信号を当該送信ラインの他方に沿って引き回すことができる。かかる実装は、周波数帯域の３つが互いに近く（例えばすべてが低周波帯域）かつ第４周波数帯域が離れている（例えば高周波帯域）場合に有利となり得る。
【０４０９】
一般に、受信した信号が、存在する送信ラインよりも多くの周波数帯域を含むことを帯域選択信号が指示する場合、ＤＲｘ制御器Ｆ７０２は出力マルチプレクサＦ７１２を制御して当該周波数帯域の２以上に対応する２以上の経路に沿って伝播する信号の２以上を結合し、当該結合信号を当該送信ラインの一方へと引き回すことができる。ＤＲｘ制御器Ｆ７０２は出力マルチプレクサＦ７１２を制御し、互いに最も近い又は最も離れた周波数帯域を結合することができる。
【０４１０】
すなわち、経路の一つに沿って伝播する信号は、出力マルチプレクサＦ７１２によって、他の経路に沿って伝播する他の信号に応じて送信ラインの異なる一つへと引き回すことができる。一例では、第３増幅器Ｆ３１４ｃを通過する第３経路に沿って伝播する信号が、当該第３経路が唯一のアクティブな経路である場合には第２送信ラインＦ７３５ｂへと引き回され、（第４増幅器Ｆ３１４ｄを通過する）第４経路もアクティブな場合には第１送信ラインＦ７３５ａへと引き回され（かつ第２送信ライン７３５ｂへと引き回され）る。
【０４１１】
すなわち、ＤＲｘ制御器Ｆ７０２は、第１帯域選択信号に応答して出力マルチプレクサＦ７１２を制御することにより、出力マルチプレクサ入力において受信した増幅済みＲＦ信号を第１出力マルチプレクサ出力へと引き回し、第２帯域選択信号に応答して当該出力マルチプレクサを制御することにより、当該出力マルチプレクサ入力において受信した増幅済みＲＦ信号を第２出力マルチプレクサ出力へと引き回す。
【０４１２】
すなわち、ＤＲｘモジュールＦ７１０は、複数の増幅器Ｆ３１４ａ〜Ｆ３１４ｄを含む受信システムを構成し、複数の増幅器Ｆ３１４ａ〜Ｆ３１４ｄの各一つが、受信システムの入力（例えば、アンテナ１４０に結合されたＤＲｘモジュールＦ７１０の入力、及び／又は他のアンテナに結合されたＤＲｘモジュールＦ７１０の付加入力）と、受信システムの出力（例えば、送信ラインＦ７３５ａ〜Ｆ７３５ｂに結合されたＤＲｘモジュールＦ７１０の出力、及び／又は他の送信ラインに結合されたＤＲｘモジュールＦ７１０の付加出力）との間にある複数の経路の対応する一つに沿って設けられる。増幅器Ｆ３１４ａ〜Ｆ３１４ｄはそれぞれが、増幅器Ｆ３１４ａ〜Ｆ３１４ｄにおいて受信したＲＦ信号を増幅するように構成される。
【０４１３】
ＤＲｘモジュールＦ７１０はさらに入力マルチプレクサＦ３１１を含む。これは、一以上の入力マルチプレクサ入力において一以上のＲＦ信号を受信し、当該一以上のＲＦ信号のそれぞれを、複数の入力マルチプレクサ出力の一以上へと出力して複数の経路の一以上それぞれに沿って伝播させるように構成される。いくつかの実装において、ＤＲｘモジュールＦ７１０は、単一入力マルチプレクサ入力において単一ＲＦ信号を受信し、当該単一ＲＦ信号を、帯域選択信号において指示された各周波数帯域に対応する入力マルチプレクサ出力の一以上へと出力するように、ＤＲｘ制御器Ｆ７０２によって制御され得る。いくつかの実装において、ＤＲｘモジュールＦ７１０は、多重入力マルチプレクサ入力において多重ＲＦ信号（それぞれが、帯域選択信号において指示された異なる組の一以上の周波数帯域に対応）を受信し、当該多重ＲＦ信号のそれぞれを、当該ＲＦ信号の一以上の周波数帯域の当該組に対応する入力マルチプレクサ出力の一以上へと出力するように、ＤＲｘ制御器Ｆ７０２によって制御され得る。すなわち、一般に、入力マルチプレクサＦ３１１は、一以上の周波数帯域にそれぞれが対応する一以上のＲＦ信号を受信し、各ＲＦ信号を、当該ＲＦ信号の一以上の周波数帯域に対応する一以上の経路に沿って引き回すように、ＤＲｘ制御器によって制御される。
【０４１４】
ＤＲｘモジュールＦ７１０はさらに出力マルチプレクサＦ７１２を含む。これは、複数の経路の一以上それぞれに沿って伝播する一以上の増幅済みＲＦ信号を、一以上の対応出力マルチプレクサ入力において受信し、当該一以上の増幅済みＲＦ信号のそれぞれを、複数の出力マルチプレクサ出力（複数の出力送信ラインＦ７３５ａ〜Ｆ７３５ｂの一つにそれぞれが結合される）の選択された一つへと出力する。
【０４１５】
ＤＲｘモジュールＦ７１０はさらに、帯域選択信号を受信して当該帯域選択信号に基づいて入力マルチプレクサ及び出力マルチプレクサを制御するように構成されたＤＲｘ制御器Ｆ７０２を含む。ここに記載されるように、ＤＲｘ制御器Ｆ７０２は、入力マルチプレクサを制御することにより、一以上の周波数帯域に対応する一以上のＲＦ信号のそれぞれを、当該ＲＦ信号の一以上の周波数帯域に対応する一以上の経路に沿うように引き回す。またもここに記載されるように、ＤＲｘ制御器Ｆ７０２は、出力マルチプレクサを制御することにより、一以上の経路に沿って伝播する一以上の増幅済みＲＦ信号のそれぞれを、複数の出力マルチプレクサ出力の選択された一つへと引き回し、ＤＲｘモジュールＦ７１０に結合された送信ラインＦ７３５ａ〜Ｆ７３５ｂを良好に利用する。
【０４１６】
いくつかの実装において、受信した信号が多重周波数帯域を含むことを帯域選択信号が指示する場合、ＤＲｘ制御器Ｆ７０２は出力マルチプレクサＦ７１２を制御し、多重周波数帯域に対応する経路に沿って伝播する信号すべてを結合して当該結合信号を送信ラインの一方へと引き回す。かかる実装は、他方の送信ラインが使用不能（例えば損傷又は特定の無線通信構成に不存在）の場合に使用することができ、ＤＲｘ制御器Ｆ７０２が（例えば通信制御器から）受信した当該送信ラインの一方が使用不能との制御器信号に応答して実装することができる。
【０４１７】
すなわち、ＤＲｘ制御器Ｆ７０２は、入力マルチプレクサＦ３１１において受信した一以上のＲＦ信号が多重周波数帯域を含むことを指示する帯域選択信号に応答し、かつ、送信ラインが使用不能であることを示す制御器信号に応答して出力マルチプレクサＦ７１２を制御することにより、多重周波数帯域に対応する多重出力マルチプレクサ入力において受信した多重増幅済みＲＦ信号を結合して結合信号を生成し、当該結合信号を出力マルチプレクサ出力へと引き回すように構成することができる。
【０４１８】
図２９は、動的引き回しを目的として使用することができる出力マルチプレクサＦ８１２の一実施形態を示す。出力マルチプレクサＦ８１２は、複数の周波数帯域に対応する複数の経路に沿って設けられた増幅器にそれぞれが結合され得る複数の入力Ｆ８０１ａ〜Ｆ８０１ｄを含む。出力マルチプレクサＦ８１２は、それぞれが複数の送信ラインに結合され得る複数の出力Ｆ８０２ａ〜Ｆ８０２ｂを含む。出力Ｆ８０２ａ〜Ｆ８０２ｂそれぞれは、結合器Ｆ８２０ａ〜Ｆ８２０ｂそれぞれの出力に結合される。入力Ｆ８０１ａ〜Ｆ８０１ｄそれぞれは、一組の単極／単投（ＳＰＳＴ）スイッチＦ８３０の一つを介して結合器Ｆ８２０ａ〜Ｆ８２０ｂそれぞれの入力に結合される。スイッチＦ８３０は、ＤＲｘ制御器に結合され得る制御バスＦ８０３を介して制御可能である。
【０４１９】
図３０は、動的引き回しを目的として使用することができる出力マルチプレクサＦ９１２の他実施形態を示す。出力マルチプレクサＦ９１２は、複数の周波数帯域に対応する複数の経路に沿って設けられた増幅器にそれぞれが結合され得る複数の入力Ｆ９０１ａ〜Ｆ９０１ｄを含む。出力マルチプレクサＦ９１２は、それぞれが複数の送信ラインに結合され得る複数の出力Ｆ９０２ａ〜Ｆ９０２ｂを含む。出力Ｆ９０２ａ〜Ｆ９０２ｂそれぞれは、結合器Ｆ９２０ａ〜Ｆ９２０ｂそれぞれの出力に結合される。第１入力Ｆ９０１ａは第１結合器Ｆ９２０ａの入力に結合され、第４入力Ｆ９０１ｄは第２結合器Ｆ９２０ｄの入力に結合される。第２入力Ｆ９０１ｂは、結合器Ｆ９２０ａ〜Ｆ９２０ｂのそれぞれに結合された出力を有する第１の単極／多投（ＳＰＭＴ）スイッチＦ９３０ａに結合される。同様に、第３入力Ｆ９０１ｃは、結合器Ｆ９２０ａ〜Ｆ９２０ｂのそれぞれに結合された出力を有する第２のＳＰＭＴスイッチＦ９３０ｂに結合される。スイッチＦ９３０ａ〜Ｆ９３０ｂは、ＤＲｘ制御器に結合され得る制御バスＦ９０３を介して制御可能である。
【０４２０】
図８の出力マルチプレクサ８１２とは異なり、図９の出力マルチプレクサ９１２は、入力９０１ａ〜９０１ｄそれぞれが出力９０２ａ〜９０２ｂのいずれかへと引き回されることを許容しない。むしろ、第１入力９０１ａは固定的に第１出力９０２ａへと引き回され、第４入力９０２ｄは固定的に第２出力９０２ｂへと引き回される。かかる実装は、制御バス９０３のサイズを低減し、又は制御バス９０３に取り付けられたＤＲｘ制御器の制御ロジックを簡略化することができる。
【０４２１】
図２９の出力マルチプレクサＦ８１２及び図３０の出力マルチプレクサＦ９１２は双方とも、第１出力マルチプレクサ出力Ｆ８０２ａ、Ｆ９０２ａに結合された第１結合器Ｆ８２０ａ、Ｆ９２０ａと、第２出力マルチプレクサ出力Ｆ８０２ｂ、Ｆ９０２ｂに結合された第２結合器Ｆ８２０ｂ、Ｆ９２０ｂとを含む。さらに、図２９の出力マルチプレクサＦ８１２及び図３０の出力マルチプレクサＦ９１２の双方は、（ＤＲｘ制御器により制御可能な）一以上のスイッチを介して第１結合器Ｆ８２０ａ、Ｆ９２０ａ及び第２結合器Ｆ８２０ｂ、Ｆ９２０ｂの双方に結合された出力マルチプレクサ入力Ｆ８０１ｂ、Ｆ９０１ｂを含む。図２９の出力マルチプレクサＦ８１２において、出力マルチプレクサ入力Ｆ８０１ｂは、２つのＳＰＳＴスイッチを介して第１結合器Ｆ８２０ａ及び第２結合器Ｆ８２０ｂに結合される。図３０の出力マルチプレクサＦ９１２において、出力マルチプレクサ入力Ｆ９０１ｂは、単一のＳＰＭＴスイッチを介して第１結合器Ｆ９２０ａ及び第２結合器Ｆ８２０ｂに結合される。
【０４２２】
図３１は、いくつかの実施形態において、ダイバーシティ受信器構成Ｆ１０００が多重アンテナＦ１０４０ａ〜Ｆ１０４０ｂを含み得ることを示す。図３１が一つの送信ライン１３５及び２つのアンテナＦ１０４０ａ〜Ｆ１０４０ｂを備えた一実施形態を例示するにもかかわらず、ここに記載される態様は、２以上の送信ライン及び／又は２を超えるアンテナを備えた実施形態に実装することができる。
【０４２３】
ダイバーシティ受信器構成Ｆ１０００は、第１アンテナＦ１０４０ａ及び第２アンテナＦ１０４０ｂに結合されたＤＲｘモジュールＦ１０１０を含む。ＤＲｘモジュールＦ１０１０は、ＤＲｘモジュールＦ１０１０の入力（例えば第１アンテナＦ１０４０ａに結合された第１入力、又は第２アンテナＦ１０４０ｂに結合された第２入力）と、ＤＲｘモジュールの出力（例えば送信ライン１３５に結合された出力）との間に一定数の経路を含む。いくつかの実装において、ＤＲｘモジュールＦ１０１０は、ＤＲｘ制御器Ｆ１００２が制御する一以上のバイパススイッチによってアクティブにされる入力及び出力間の一以上のバイパス経路（図示せず）を含む。
【０４２４】
ＤＲｘモジュールＦ１０１０は、入力マルチプレクサＦ１０１１及び出力マルチプレクサＦ３１２を含む一定数のマルチプレクサ経路を含む。マルチプレクサ経路は一定数のオンモジュール経路（図示）を含み、これは、入力マルチプレクサＦ１０１１、帯域通過フィルタＦ３１３ａ〜Ｆ３１３ｄ、増幅器Ｆ３１４ａ〜Ｆ３１４ｄ及び出力マルチプレクサＦ３１２を含む。マルチプレクサ経路は、ここに記載される一以上のオフモジュール経路（図示せず）を含み得る。またもここに記載されるように、増幅器Ｆ３１４ａ〜Ｆ３１４ｄは、可変利得増幅器及び／又は可変電流増幅器とすることができる。
【０４２５】
ＤＲｘ制御器Ｆ１００２は、複数の経路の一以上を選択的にアクティブにするように構成される。いくつかの実装において、ＤＲｘ制御器Ｆ１００２は、ＤＲｘ制御器Ｆ１００２が（例えば通信制御器から）受信した帯域選択信号に基づいて複数の経路の一以上を選択的にアクティブにするように構成される。ＤＲｘ制御器Ｆ１００２は、例えば、増幅器Ｆ３１４ａ〜Ｆ３１４ｄのイネーブル又はディセーブルにより、マルチプレクサＦ１０１１、Ｆ３１２の制御により、又はここに記載される他のメカニズムを介して当該経路を選択的にアクティブにすることができる。
【０４２６】
様々なダイバーシティ受信器構成において、アンテナＦ１０４０ａ〜Ｆ１０４０ｂは、様々な周波数帯域をサポートし得る。例えば、一つの実装において、ダイバーシティ受信器構成は、低周波数帯域及び中間周波数帯域をサポートする第１アンテナＦ１０４０ａと、高周波数帯域をサポートする第２アンテナＦ１０４０ｂとを含み得る。他のダイバーシティ受信器構成は、低周波数帯域をサポートする第１アンテナＦ１０４０ａと、中間周波数帯域及び高周波数帯域をサポートする第２アンテナＦ１０４０ｂとを含み得る。さらなる他のダイバーシティ受信器構成は、低周波数帯域、中間周波数帯域及び高周波数帯域をサポートする第１広帯域アンテナＦ１０４０ａを含み、第２アンテナＦ１０４０ｂはなくてよい。
【０４２７】
これらのダイバーシティ受信器構成すべてに対し、ＤＲｘ制御器Ｆ１００２が、（例えば通信制御器から受信した、又は永久的メモリ若しくは他のハードワイヤード構成に記憶され及びこれらから読み出される）アンテナ構成信号に基づいて入力マルチプレクサＦ１０１１を制御することにより、同じＤＲｘモジュールＦ１０１０を使用することができる。
【０４２８】
いくつかの実装において、ダイバーシティ受信器構成Ｆ１０００が単一アンテナＦ１０４０ａのみを含むことをアンテナ構成信号が指示する場合、ＤＲｘ制御器Ｆ１００２は、入力マルチプレクサを制御することにより、単一アンテナＦ１０４０ａにおいて受信した信号を、当該経路のすべて（又は帯域選択信号が指示するアクティブな経路のすべて）へと引き回すことができる。
【０４２９】
すなわち、ＤＲｘ制御器Ｆ１００２は、ダイバーシティ受信器構成が単一アンテナを含むことを指示するアンテナ構成信号に応答して入力マルチプレクサを制御することにより、単一入力マルチプレクサ入力において受信したＲＦ信号を、複数の入力マルチプレクサ出力のすべてへと、又は当該ＲＦ信号の一以上の周波数帯域に関連づけられた複数の入力マルチプレクサ出力のすべてへと引き回すように構成することができる。
【０４３０】
いくつかの実装において、ダイバーシティ受信器構成Ｆ１０００が、低周波数帯域をサポートする第１アンテナＦ１０４０ａと中間周波数帯域及び高周波数帯域をサポートする第２アンテナＦ１０４０ｂとを含むことをアンテナ構成信号が指示する場合、ＤＲｘ制御器Ｆ１００２は、入力マルチプレクサＦ１０１１を制御することにより、第１アンテナＦ１０４０ａにおいて受信した信号を第１経路（第１増幅器Ｆ３１４ａを含む）へと引き回し、かつ、第２アンテナＦ１０４０ｂにおいて受信した信号を、第２経路（第２増幅器Ｆ３１４ｂを含む）、第３経路（第３増幅器Ｆ３１４ｃを含む）、及び第４経路（第４増幅器Ｆ３１４ｄを含む）、又は帯域選択信号が指示するようにアクティブである少なくともこれらの経路へと引き回すことができる。
【０４３１】
いくつかの実装において、ダイバーシティ受信器構成Ｆ１０００が、低周波数帯域及び低い中間周波数帯域をサポートする第１アンテナＦ１０４０ａと、高い中間周波数帯域及び高周波数帯域をサポートする第２アンテナＦ１０４０ｂとを含むことをアンテナ構成信号が指示する場合、ＤＲｘ制御器Ｆ１００２は、入力マルチプレクサＦ１０１１を制御することにより、第１アンテナＦ１０４０ａにおいて受信した信号を第１経路及び第２経路へと引き回し、かつ、第２アンテナＦ１０４０ｂにおいて受信した信号を第３経路及び第４経路、又は帯域選択信号が指示するようにアクティブである少なくともこれらの経路へと引き回すことができる。
【０４３２】
いくつかの実装において、ダイバーシティ受信器構成Ｆ１０００が、低周波数帯域及び中間周波数帯域をサポートする第１アンテナＦ１０４０ａと、高周波数帯域をサポートする第２アンテナＦ１０４０ｂとを含むとアンテナ構成信号が指示する場合、ＤＲｘ制御器Ｆ１００２は入力マルチプレクサＦ１０１１を制御することにより、第１アンテナＦ１０４０ａにおいて受信した信号を第１経路、第２経路及び第３経路へと引き回し、かつ、第２アンテナＦ１０４０ｂにおいて受信した信号を第４経路、又は帯域選択信号が指示するようにアクティブである少なくともこれらの経路へと引き回すことができる。
【０４３３】
すなわち、特定の経路（例えば第３経路）に沿って伝播する信号は、入力マルチプレクサＦ１０１１によって、（アンテナＦ１０４０ａ〜Ｆ１０４０ｂの一つに結合された）入力マルチプレクサ入力の異なる一つから、（アンテナ構成信号が指示する）ダイバーシティ受信器構成に応じて引き回すことができる。
【０４３４】
すなわち、ＤＲｘ制御器Ｆ１００２は、第１アンテナ構成信号に応答して入力マルチプレクサＦ１０１１を制御することにより、第１入力マルチプレクサ入力において受信したＲＦ信号を入力マルチプレクサ出力へと引き回し、かつ、第２アンテナ構成信号に応答して入力マルチプレクサＦ１０１１を制御することにより、第２入力マルチプレクサ入力において受信したＲＦ信号を入力マルチプレクサ出力へと引き回すように構成することができる。
【０４３５】
一般に、ＤＲｘ制御器Ｆ１００２は、入力マルチプレクサＦ１０１１を制御することにより、一以上の周波数帯域をそれぞれが含む受信した信号を、当該一以上の周波数帯域に対応する経路へと引き回すように構成することができる。いくつかの実装において、入力マルチプレクサＦ１０１１はさらに、一以上の周波数帯域のそれぞれを、当該一以上の周波数帯域に対応する経路に沿うように出力する帯域分割器として機能することができる。一例では、入力マルチプレクサＦ１０１１及び帯域通過フィルタＦ３１３ａ〜Ｆ３１３ｄが、かかる帯域分割器を構成する。他の実装において（さらに後述されるように）、帯域通過フィルタＦ３１３ａ〜Ｆ３１３ｄ及び入力マルチプレクサＦ１０１１は、他の態様で統合されて帯域分割器を形成してよい。
【０４３６】
図３２は、動的引き回しを目的として使用することができる入力マルチプレクサＦ１１１１の一実施形態を示す。入力マルチプレクサＦ１１１１は、それぞれが一以上のアンテナに結合され得る複数の入力Ｆ１１０１ａ〜Ｆ１１０１ｂを含む。入力マルチプレクサＦ１１１１は複数の出力Ｆ１１０２ａ〜Ｆ１１０２ｄを含む。複数の出力Ｆ１１０２ａ〜Ｆ１１０２ｄはそれぞれが、複数の周波数帯域に対応する複数の経路に沿って（例えば帯域通過フィルタを介して）設けられた増幅器に結合され得る。入力Ｆ１１０１ａ〜Ｆ１１０１ｂはそれぞれが、一組の単極／単投（ＳＰＳＴ）スイッチＦ１１３０の一つを介して、出力Ｆ１１０２ａ〜Ｆ１１０２ｄのそれぞれに結合される。スイッチＦ１１３０は、ＤＲｘ制御器に結合され得る制御バスＦ１１０３を介して制御可能である。
【０４３７】
図３３は、動的引き回しを目的として使用され得る入力マルチプレクサＦ１２１１の他実施形態を示す。入力マルチプレクサＦ１２１１は、それぞれが一以上のアンテナに結合され得る複数の入力Ｆ１２０１ａ〜Ｆ１２０１ｂを含む。入力マルチプレクサＦ１２１１は複数の出力Ｆ１２０２ａ〜Ｆ１２０２ｄを含む。複数の出力Ｆ１２０２ａ〜Ｆ１２０２ｄは、（例えば帯域通過フィルタを介して）複数の周波数帯域に対応する複数の経路に沿って設けられた増幅器にそれぞれが結合され得る。第１入力Ｆ１２０１ａは、第１出力Ｆ１２０２ａ、第１の多極／単投（ＭＰＳＴ）スイッチＦ１２３０ａ及び第２のＭＰＳＴスイッチＦ１２３０ｂに結合される。第２入力Ｆ１２０１ｂは、第１のＭＰＳＴスイッチＦ１２３０ａ、第２のＭＰＳＴスイッチＦ１２３０ｂ及び第４出力Ｆ１２０２ｄに結合される。スイッチＦ１２３０ａ〜Ｆ１２３０ｂは、ＤＲｘ制御器に結合され得る制御バスＦ１２０３を介して制御可能である。
【０４３８】
図３３の出力マルチプレクサＦ１２１１は、図３２の入力マルチプレクサＦ１１１１とは異なり、入力Ｆ１２０１ａ〜Ｆ１２０１ｂのそれぞれが出力Ｆ１２０２ａ〜Ｆ１２０２ｄのいずれかへと引き回されることを許容しない。むしろ、第１入力Ｆ１２０１ａは固定的に第１出力Ｆ１２０２ａへと引き回され、第２入力Ｆ１２０１ｂは固定的に第４出力Ｆ１２０２ｄへと引き回される。かかる実装により、制御バスＦ９０３のサイズを低減し、又は制御バスＦ９０３に取り付けられたＤＲｘ制御器の制御ロジックを簡略化することができる。それにもかかわらず、ＤＲｘ制御器は、アンテナ構成信号に基づいてスイッチＦ１２３０ａ〜Ｆ１２３０ｂを制御することにより、入力Ｆ１２０１ａ〜Ｆ１２０１ｂのいずれかからの信号を、第２出力Ｆ１２０２ｂ及び／又は第３出力Ｆ１２０２ｃへと引き回すことができる。
【０４３９】
図３２の入力マルチプレクサＦ１１１１と図３３の入力マルチプレクサＦ１２１１は双方とも、多極／多投（ＭＰＭＴ）スイッチとして動作する。いくつかの実装において、入力マルチプレクサＦ１１１１、Ｆ１２１１は、挿入損失を低減するフィルタ又は整合部品を含む。かかるフィルタ又は整合部品は、ＤＲｘモジュールの他の部品（例えば図３１の帯域通過フィルタＦ３１３ａ〜Ｆ３１３ｄ）と協調して設計することができる。例えば、入力マルチプレクサ及び帯域通過フィルタを単一部品として統合し、合計部品数を低減することができる。他例では、入力マルチプレクサは、特定の出力インピーダンス（例えば５０オームではないもの）を目的として設計することができ、帯域通過フィルタは、このインピーダンスに整合するように設計することができる。
【０４４０】
図３４〜３９は、動的な入力引き回し及び／又は出力引き回しを備えたＤＲｘモジュールの様々な実装を示す。図３４は、いくつかの実施形態において、ＤＲｘモジュールＦ１３１０が、単一入力及び２つの出力を含み得る。ＤＲｘモジュールＦ１３１０は帯域分割器として、入力信号を低周波数帯域と中間及び高周波数帯域とに分割する高低ダイプレクサＦ１３１１と、（第１の単極／３投スイッチ及び第２の単極／５投スイッチとして実装される）２極／８投スイッチＦ１３１２と、様々なフィルタ及び帯域分割ダイプレクサとを含む。ここに記載されるように、高低ダイプレクサＦ１３１１と様々なフィルタ及び帯域分割ダイプレクサとは協調設計することができる。
【０４４１】
図３５は、いくつかの実施形態において、ＤＲｘモジュールＦ１３２０が単一入力及び単一出力を含み得ることを示す。ＤＲｘモジュールＦ１３２０は帯域分割器として、入力信号を低周波数帯域と中間及び高周波数帯域とに分割する高低ダイプレクサＦ１３２１と、（第１の単極／３投スイッチ及び第２の単極／５投スイッチとして実装される）２極／８投スイッチＦ１３２２と、様々なフィルタ及び帯域分割ダイプレクサとを含む。ここに記載されるように、高低ダイプレクサＦ１３２１と様々なフィルタ及び帯域分割ダイプレクサとは協調設計することができる。ＤＲｘモジュールＦ１３２０は出力マルチプレクサとして、２つの入力において受信した信号をフィルタリングかつ結合し、当該結合信号を出力する高低結合器Ｆ１３２３を含む。
【０４４２】
図３６は、いくつかの実施形態において、ＤＲｘモジュールＦ１３３０が２つの入力及び３つの出力を含み得ることを示す。ＤＲｘモジュールＦ１３３０は帯域分割器として、入力信号を低周波数帯域と中間及び高周波数帯域とに分割する高低ダイプレクサＦ１３３１と、（第１の単極／３投スイッチ及び第２の単極／２投スイッチ及び第３の単極／３投スイッチとして実装される）３極／８投スイッチＦ１３３２と、様々なフィルタ及び帯域分割ダイプレクサとを含む。ここに記載されるように、高低ダイプレクサＦ１３３１と様々なフィルタ及び帯域分割ダイプレクサとは協調設計することができる。
【０４４３】
図３７は、いくつかの実施形態において、ＤＲｘモジュールＦ１３４０が２つの入力及び２つの出力を含み得ることを示す。ＤＲｘモジュールＦ１３４０は帯域分割器として、入力信号を低周波数帯域と中間及び高周波数帯域とに分割する高低ダイプレクサＦ１３４１と、（第１の単極／３投スイッチ及び第２の単極／２投スイッチ及び第３の単極／３投スイッチとして実装される）３極／８投スイッチＦ１３４２と、様々なフィルタ及び帯域分割ダイプレクサとを含む。ここに記載されるように、高低ダイプレクサＦ１３４１と様々なフィルタ及び帯域分割ダイプレクサは協調設計することができる。ＤＲｘモジュールＦ１３４０は、出力マルチプレクサの一部として、２つの入力において受信した信号をフィルタリングかつ結合し、当該結合信号を出力する高低結合器Ｆ１３４３を含む。
【０４４４】
図３８は、いくつかの実施形態において、ＤＲｘモジュールＦ１３５０が多極／多投スイッチＦ１３５２を含み得ることを示す。ＤＲｘモジュールＦ１３４０は帯域分割器として、入力信号を低周波数帯域と中間及び高周波数帯域とに分割する高低ダイプレクサＦ１３５１と、３極／８投スイッチＦ１３５２と、様々なフィルタ及び帯域分割ダイプレクサとを含む。ここに記載されるように、高低ダイプレクサＦ１３４１と様々なフィルタ及び帯域分割ダイプレクサとは協調設計することができる。３極／８投スイッチＦ１３５２は、第１極において受信した信号を５投の一つへと引き回し及び第２極において受信した信号を当該投の３つの一つへと引き回す第１の単極／３投スイッチ及び第２の２極／５投スイッチとして実装される。
【０４４５】
図３９は、いくつかの実施形態において、ＤＲｘモジュールＦ１３６０が入力選択器Ｆ１３６１及び多極／多投スイッチＦ１３６２を含み得ることを示す。ＤＲｘモジュールＦ１３６０は帯域分割器として、（２極／４投スイッチとして動作可能かつ図３２及び図３３に示されるように実装可能な）入力選択器Ｆ１３６１と、４極／１０投スイッチＦ１３６２と、様々なフィルタ、整合部品及び帯域分割ダイプレクサとを含む。ここに記載されるように、入力選択器Ｆ１３６１、スイッチＦ１３６２並びに様々なフィルタ、整合部品及び帯域分割ダイプレクサを協調して設計することができる。入力選択器Ｆ１３６１及びスイッチＦ１３６２は、一緒になって２極／１０投スイッチとして動作する。ＤＲｘモジュールＦ１３６０は出力マルチプレクサとして、入力を出力の選択された一つへと引き回すことができる（これは信号を結合することを含み得る）出力選択器Ｆ１３６３を含む。出力選択器Ｆ１３６３は、図２９及び図３０に例示される態様を使用して実装することができる。
【０４４６】
図４０は、ＲＦ信号を処理する方法のフローチャート表現の一実施形態を示す。いくつかの実装において（及び一例として以下に詳述されるように）、方法Ｆ１４００は、図２８のＤＲｘ制御器Ｆ７０２又は図３の通信制御器１２０のような制御器によって行われる。いくつかの実装において、方法Ｆ１４００は、ハードウェア、ファームウェア、ソフトウェア又はこれらの組み合わせを含む処理ロジックによって行うことができる。いくつかの実装において、方法Ｆ１４００は、非一時的コンピュータ可読媒体（例えばメモリ）に記憶されたコードを実行するプロセッサによって行われる。簡潔には、方法Ｆ１４００は、帯域選択信号を受信することと、受信ＲＦ信号を一以上の経路に沿って、選択された出力へと引き回して当該受信ＲＦ信号を処理することとを含む。
【０４４７】
方法Ｆ１４００は、ブロックＦ１４１０において、制御器が帯域選択信号を受信することから始まる。制御器は、他の制御器から帯域選択信号を受信し、又はセルラー基地局若しくは他の外部ソースから帯域選択信号を受信することができる。帯域選択信号は、無線装置がＲＦ信号を送受信する一以上の周波数帯域を指示することができる。いくつかの実装において、帯域選択信号は、キャリアアグリゲーション通信のための一組の周波数帯域を指示する。
【０４４８】
ブロックＦ１４２０において、制御器は、帯域選択信号が指示した各周波数帯域のための出力端子を決定する。いくつかの実装において、帯域選択信号が単一周波数帯域を指示し、制御器は当該単一周波数帯域に対するデフォルト出力端子を決定する。いくつかの実装において、帯域選択信号が２つの周波数帯域を指示し、制御器は、当該２つの周波数帯域のそれぞれに対する異なる出力端子を決定する。いくつかの実装において、帯域選択信号が、存在する使用可能出力端子よりも多くの周波数帯域を指示し、制御器は、当該周波数帯域の２以上を結合（すなわち２以上の周波数帯域に対して同じ出力端子を決定）する。制御器は、最も近い周波数帯域又は最も離れた周波数帯域を結合することを決定することができる。
【０４４９】
ブロックＦ１４３０において、制御器は、決定された出力端子へ各周波数帯域のための信号を引き回すべく出力マルチプレクサを制御する。制御器は、一以上のＳＰＳＴスイッチの開閉により、一以上のＳＰＭＴスイッチの状態決定により、出力マルチプレクサ制御信号の送信により、又は他のメカニズムにより出力マルチプレクサを制御することができる。
【０４５０】
とりわけ、フレキシブルな帯域引き回しに関する前述の例Ｆは、以下のようにまとめることができる。
【０４５１】
いくつかの実装によれば、本開示は、複数の増幅器を含む受信システムに関する。複数の増幅器の各一つは、受信システムの入力と当該受信システムの出力との間にある複数の経路の対応する一つに沿って設けられ、当該増幅器において受信した無線周波数（ＲＦ）信号を増幅するように構成される。受信システムはさらに入力マルチプレクサを含む。これは、一以上の入力マルチプレクサにおいて一以上のＲＦ信号を受信し、当該一以上のＲＦ信号のそれぞれを、複数の入力マルチプレクサ出力の一以上へと出力して複数の経路の一以上それぞれに沿って伝播させるように構成される。受信システムはさらに出力マルチプレクサを含む。これは、複数の経路の一以上それぞれに沿って伝播する一以上の増幅済みＲＦ信号を一以上の対応出力マルチプレクサ入力において受信し、当該一以上の増幅済みＲＦ信号を複数の出力マルチプレクサ出力の選択された一つへと出力するように構成される。受信システムはさらに、帯域選択信号を受信し、当該帯域選択信号に基づいて入力マルチプレクサ及び出力マルチプレクサを制御するように構成された制御器を含む。
【０４５２】
いくつかの実施形態において、制御器は、一以上のＲＦ信号が単一周波数帯域を含むことを指示する帯域選択信号に応答して出力マルチプレクサを制御し、当該単一周波数帯域に対応する出力マルチプレクサ入力において受信した増幅済みＲＦ信号をデフォルト出力マルチプレクサ出力へと引き回すべく構成することができる。いくつかの実施形態において、デフォルト出力マルチプレクサ出力は、異なる単一周波数帯域に対して異なる。
【０４５３】
いくつかの実施形態において、制御器は、一以上のＲＦ信号が第１周波数帯域及び第２周波数帯域を含むことを指示する帯域選択信号に応答して出力マルチプレクサを制御し、当該第１周波数帯域に対応する出力マルチプレクサ入力において受信した増幅済みＲＦ信号を第１出力マルチプレクサ出力へと引き回し、当該第２周波数帯域に対応する出力マルチプレクサ入力において受信した増幅済みＲＦ信号を第２出力マルチプレクサ出力へと引き回すべく構成することができる。いくつかの実施形態において、第１周波数帯域及び第２周波数帯域の双方は、高周波帯域又は低周波帯域とすることができる。
【０４５４】
いくつかの実施形態において、制御器は、一以上のＲＦ信号が第１周波数帯域、第２周波数帯域及び第３周波数帯域を含むことを指示する帯域選択信号に応答して出力マルチプレクサを制御し、当該第１周波数帯域に対応する出力マルチプレクサ入力において受信した増幅済みＲＦ信号と、当該第２周波数帯域に対応する出力マルチプレクサ入力において受信した増幅済みＲＦ信号とを結合して結合信号を生成し、当該結合信号を第１出力マルチプレクサ出力へと引き回し、当該第３周波数帯域に対応する出力マルチプレクサ入力において受信した増幅済みＲＦ信号を第２出力マルチプレクサ出力へと引き回すべく構成することができる。いくつかの実施形態において、第１周波数帯域及び第２周波数帯域は、第１周波数帯域、第２周波数帯域及び第３周波数帯域の、互いに最も近い周波数帯域とすることができる。いくつかの実施形態において、第１周波数帯域及び第２周波数帯域は、第１周波数帯域、第２周波数帯域及び第３周波数帯域の、最も離れた周波数帯域とすることができる。
【０４５５】
いくつかの実施形態において、制御器は、一以上のＲＦ信号が多重周波数帯域を含むことを指示する帯域選択信号に応答しかつ送信ラインが使用不能であることを指示する制御器信号に応答して出力マルチプレクサを制御し、当該多重周波数帯域に対応する多重出力マルチプレクサ入力において受信した多重の増幅済みＲＦ信号を結合して結合信号を生成し、当該結合信号を出力マルチプレクサ出力へと引き回すべく構成することができる。
【０４５６】
いくつかの実施形態において、制御器は、第１帯域選択信号に応答して出力マルチプレクサを制御し、出力マルチプレクサ入力において受信した増幅済みＲＦ信号を第１出力マルチプレクサ出力へと引き回し、第２帯域選択信号に応答して当該出力マルチプレクサを制御し、当該出力マルチプレクサ入力において受信した増幅済みＲＦ信号を第２出力マルチプレクサ出力へと引き回すべく構成することができる。
【０４５７】
いくつかの実施形態において、出力マルチプレクサは、第１出力マルチプレクサ出力に結合された第１結合器と、第２出力マルチプレクサ出力に結合された第２結合器とを含み得る。いくつかの実施形態において、出力マルチプレクサ入力は、一以上のスイッチを介して第１結合器及び第２結合器に結合することができる。いくつかの実施形態において、制御器は、一以上のスイッチを制御することによって出力マルチプレクサを制御することができる。いくつかの実施形態において、一以上のスイッチは、２つの単極／単投（ＳＰＳＴ）スイッチを含み得る。いくつかの実施形態において、一以上のスイッチは、単一の単極／多投（ＳＰＭＴ）スイッチを含み得る。いくつかの実施形態において、受信システムはさらに、それぞれが複数の出力マルチプレクサ出力に結合された複数の送信ラインを含む。
【０４５８】
いくつかの実装において、本開示は、複数の部品を受容するように構成されたパッケージング基板を含む無線周波数（ＲＦ）モジュールに関する。ＲＦモジュールはさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した無線周波数（ＲＦ）信号を増幅するように構成される。受信システムは、一以上の入力マルチプレクサ入力において一以上のＲＦ信号を受信し、当該一以上のＲＦ信号のそれぞれを、複数の入力マルチプレクサ出力の選択された一以上へと出力して複数の経路の一以上それぞれに沿って伝播させるべく構成された入力マルチプレクサを含む。受信システムは、複数の経路の一以上それぞれに沿って伝播する一以上の増幅済みＲＦ信号を、一以上の対応出力マルチプレクサ入力において受信し、当該一以上の増幅済みＲＦ信号のそれぞれを、複数の出力マルチプレクサ出力の選択された一つへと出力するように構成された出力マルチプレクサを含む。受信システムは、帯域選択信号を受信し、当該帯域選択信号に基づいて入力マルチプレクサ及び出力マルチプレクサを制御するように構成された制御器を含む。
【０４５９】
いくつかの実施形態において、ＲＦモジュールは、ダイバーシティ受信器フロントエンドモジュール（ＦＥＭ）とすることができる。
【０４６０】
いくつかの教示によれば、本開示は、第１無線周波数（ＲＦ）信号を受信するように構成された第１アンテナを含む無線装置に関する。無線装置はさらに、第１アンテナと通信する第１フロントエンドモジュール（ＦＥＭ）を含む。第１ＦＥＭは、複数の部品を受容するように構成されたパッケージング基板を含む。第１ＦＥＭはさらに、パッケージング基板に実装された受信システムを含む。受信システムは複数の増幅器を含む。複数の増幅器の各一つは、受信システムの入力と当該受信システムの出力との間にある複数の経路の対応する一つに沿って設けられ、当該増幅器において受信した無線周波数（ＲＦ）信号を増幅するように構成される。受信システムは、一以上の入力マルチプレクサ入力において一以上のＲＦ信号を受信し、当該一以上のＲＦ信号のそれぞれを、複数の入力マルチプレクサ出力の選択された一以上へと出力して複数の経路の一以上それぞれに沿って伝播させるべく構成された入力マルチプレクサを含む。受信システムは、複数の経路の一以上それぞれに沿って伝播する一以上の増幅済みＲＦ信号を、一以上の対応出力マルチプレクサ入力において受信し、当該一以上の増幅済みＲＦ信号のそれぞれを、複数の出力マルチプレクサ出力の選択された一つへと出力するように構成された出力マルチプレクサを含む。受信システムは、帯域選択信号を受信し、当該帯域選択信号に基づいて入力マルチプレクサ及び出力マルチプレクサを制御するように構成された制御器を含む。無線装置はさらに、出力からの第１ＲＦ信号の処理済みバージョンを、それぞれが複数の出力マルチプレクサ出力に結合された複数の送信ラインを介して受信し、当該第１ＲＦ信号の処理済みバージョンに基づいてデータビットを生成するように構成された通信モジュールを含む。
【０４６１】
いくつかの実施形態において、無線装置はさらに、第２無線周波数（ＲＦ）信号を受信するように構成された第２アンテナと、当該第２アンテナと通信する第２ＦＥＭとを含む。通信モジュールは、第２ＦＥＭの出力から第２ＲＦ信号の処理済みバージョンを受信し、当該第２ＲＦ信号の処理済みバージョンに基づいてデータビットを生成するように構成することができる。
【０４６２】
特徴の組み合わせの例
【０４６３】
図４１Ａ及び４１Ｂは、いくつかの実施形態において、ダイバーシティ受信器構成が、ここに記載される例Ａの一以上の特徴と、ここに記載される例Ｂの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。
【０４６４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４６５】
図４２Ａ及び４２Ｂは、いくつかの実施形態において、ダイバーシティ受信器構成が、ここに記載される例Ａの一以上の特徴と、ここに記載される例Ｃの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。
【０４６６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４６７】
図４３Ａ及び４３Ｂは、いくつかの実施形態において、ダイバーシティ受信器構成が、ここに記載される例Ａの一以上の特徴と、ここに記載される例Ｄの一以上の特徴とを含み得ることを示す。例Ａに関する付加的な詳細が、図１〜５、６〜１０及び９８〜１００を含む様々な図を参照してここに記載される。例Ｄに関する付加的な詳細が、図１〜５、２０〜２３及び９８〜１００を含む様々な図を参照してここに記載される。
【０４６８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４６９】
図４４Ａ及び４４Ｂは、いくつかの実施形態において、ダイバーシティ受信器構成が、ここに記載される例Ｂの一以上の特徴と、ここに記載される例Ｃの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。
【０４７０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４７１】
図４５Ａ及び４５Ｂは、いくつかの実施形態において、ダイバーシティ受信器構成が、ここに記載される例Ｂの一以上の特徴と、ここに記載される例Ｄの一以上の特徴とを含み得ることを示す。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。
【０４７２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４７３】
図４６Ａ及び４６Ｂは、いくつかの実施形態において、ダイバーシティ受信器構成が、ここに記載される例Ｃの一以上の特徴と、ここに記載される例Ｄの一以上の特徴とを含み得ることを示す。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。
【０４７４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４７５】
図４７Ａ及び４７Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。
【０４７６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４７７】
図４８Ａ及び４８Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。
【０４７８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４７９】
図４９Ａ及び４９Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。
【０４８０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４８１】
図５０Ａ及び５０Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。
【０４８２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４８３】
図５１Ａ及び５１Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。
【０４８４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４８５】
図５２Ａ及び５２Ｂは、いくつかの実施形態において、ダイバーシティ受信器構成が、ここに記載される例Ａの一以上の特徴と、ここに記載される例Ｂの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｅに関する付加的な詳細が、図１〜５、２４〜２６及び９８〜１００を含む様々な図を参照してここに記載される。
【０４８６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４８７】
図５３Ａ及び５３Ｂは、いくつかの実施形態において、ダイバーシティ受信器構成が、ここに記載される例Ａの一以上の特徴と、ここに記載される例Ｃの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。
【０４８８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４８９】
図５４Ａ及び５４Ｂは、いくつかの実施形態において、ダイバーシティ受信器構成が、ここに記載される例Ａの一以上の特徴と、ここに記載される例Ｄの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０４９０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４９１】
図５５Ａ及び５５Ｂは、いくつかの実施形態において、ダイバーシティ受信器構成が、ここに記載される例Ｂの一以上の特徴と、ここに記載される例Ｃの一以上の特徴と、ここに記載される例Ｅの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。
【０４９２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４９３】
図５６Ａ及び５６Ｂは、いくつかの実施形態において、ダイバーシティ受信器構成が、ここに記載される例Ｂの一以上の特徴と、ここに記載される例Ｄの一以上の特徴と、ここに記載される例Ｅの一以上の特徴とを含み得ることを示す。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０４９４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４９５】
図５７Ａ及び５７Ｂは、いくつかの実施形態において、ダイバーシティ受信器構成が、ここに記載される例Ｃの一以上の特徴と、ここに記載される例Ｄの一以上の特徴と、ここに記載される例Ｅの一以上の特徴とを含み得ることを示す。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０４９６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４９７】
図５８Ａ及び５８Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。
【０４９８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０４９９】
図５９Ａ及び５９Ｂは、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０５００】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５０１】
図６０Ａ及び６０Ｂは、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０５０２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５０３】
図６１Ａ及び６１Ｂは、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０５０４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５０５】
図６２Ａ及び６２Ｂは、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０５０６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５０７】
図６３は、いくつかの実施形態において、ダイバーシティ受信器構成が、ここに記載される例Ａの一以上の特徴と、ここに記載される例Ｂの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｆに関する付加的な詳細が、図１〜５、２７〜４０及び９８〜１００を含む様々な図を参照してここに記載される。
【０５０８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５０９】
図６４は、いくつかの実施形態において、ダイバーシティ受信器構成が、ここに記載される例Ａの一以上の特徴と、ここに記載される例Ｃの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｆに関する付加的な詳細が、図１〜５、２７〜４０及び９８〜１００を含む様々な図を参照してここに記載される。
【０５１０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５１１】
図６５は、いくつかの実施形態において、ダイバーシティ受信器構成が、ここに記載される例Ａの一以上の特徴と、ここに記載される例Ｄの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５１２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５１３】
図６６は、いくつかの実施形態において、ダイバーシティ受信器構成が、ここに記載される例Ｂの一以上の特徴と、ここに記載される例Ｃの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｆに関する付加的な詳細が、図１〜５、２７〜４０及び９８〜１００を含む様々な図を参照してここに記載される。
【０５１４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５１５】
図６７は、いくつかの実施形態において、ダイバーシティ受信器構成が、ここに記載される例Ｂの一以上の特徴と、ここに記載される例Ｄの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５１６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５１７】
図６８は、いくつかの実施形態において、ダイバーシティ受信器構成が、ここに記載される例Ｃの一以上の特徴と、ここに記載される例Ｄの一以上の特徴と、ここに記載される例Ｆの一以上の特徴とを含み得ることを示す。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５１８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５１９】
図６９は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｆに関する付加的な詳細が、図１〜５、２７〜４０及び９８〜１００を含む様々な図を参照してここに記載される。
【０５２０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５２１】
図７０は、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５２２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５２３】
図７１は、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５２４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５２５】
図７２は、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５２６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５２７】
図７３は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５２８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５２９】
図７４は、いくつかの実施形態において、ダイバーシティ受信器構成が、ここに記載される例Ａの一以上の特徴と、ここに記載される例Ｂの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５３０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５３１】
図７５は、いくつかの実施形態において、ダイバーシティ受信器構成が、ここに記載される例Ａの一以上の特徴と、ここに記載される例Ｃの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５３２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５３３】
図７６は、いくつかの実施形態において、ダイバーシティ受信器構成が、ここに記載される例Ａの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５３４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５３５】
図７７は、いくつかの実施形態において、ダイバーシティ受信器構成が、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５３６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５３７】
図７８は、いくつかの実施形態において、ダイバーシティ受信器構成が、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５３８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５３９】
図７９は、いくつかの実施形態において、ダイバーシティ受信器構成が、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５４０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５４１】
図８０は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１−１４、１７−１９及び９８〜１００を含む様々な図を参照してここに記載される。例Ｃに関する付加的な詳細が、図１〜５、１５、１６、１７−１９及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５４２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５４３】
図８１は、いくつかの実施形態において、ダイバーシティ受信器構成が、ここに記載される例Ａの一以上の特徴と、ここに記載される例Ｂの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１−１４、１７−１９及び９８〜１００を含む様々な図を参照してここに記載される。例Ｄに関する付加的な詳細が、図１〜５、２０−２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５４４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５４５】
図８２は、いくつかの実施形態において、ダイバーシティ受信器構成が、ここに記載される例Ａの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５４６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５４７】
図８３は、いくつかの実施形態において、ダイバーシティ受信器構成が、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ｂに関する付加的な詳細が、図１〜５、１１−１４、１７−１９及び９８〜１００を含む様々な図を参照してここに記載される。例Ｃに関する付加的な詳細が、図１〜５、１５、１６、１７−１９及び９８〜１００を含む様々な図を参照してここに記載される。例Ｄに関する付加的な詳細が、図１〜５、２０−２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５４８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５４９】
図８４は、いくつかの実施形態において、ダイバーシティ受信器構成が、ここに記載される例Ａの一以上の特徴と、ここに記載される例Ｂの一以上の特徴と、ここに記載される例Ｃの一以上の特徴と、ここに記載される例Ｄの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｂに関する付加的な詳細が、図１〜５、１１〜１４、１７〜１９及び９８〜１００を含む様々な図を参照してここに記載される。例Ｃに関する付加的な詳細が、図１〜５、１５、１６、１７〜１９及び９８〜１００を含む様々な図を参照してここに記載される。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５５０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５５１】
図８５Ａ及び８５Ｂは、いくつかの実施形態において、ダイバーシティ受信器構成が、ここに記載される例Ａの一以上の特徴と、ここに記載される例Ｅの一以上の特徴とを含み得ることを示す。例Ａに関する付加的な詳細が、図１〜５、６〜１０及び９８〜１００を含む様々な図を参照してここに記載される。例Ｅに関する付加的な詳細が、図１〜５、２４〜２６及び９８〜１００を含む様々な図を参照してここに記載される。
【０５５２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５５３】
図８６Ａ及び８６Ｂは、いくつかの実施形態において、ダイバーシティ受信器構成が、ここに記載される例Ｂの一以上の特徴と、ここに記載される例Ｅの一以上の特徴とを含み得ることを示す。例Ｂに関する付加的な詳細が、図１〜５、１１〜１４、１７〜１９及び９８〜１００を含む様々な図を参照してここに記載される。例Ｅに関する付加的な詳細が、図１〜５、２４〜２６及び９８〜１００を含む様々な図を参照してここに記載される。
【０５５４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５５５】
図８７Ａ及び８７Ｂは、いくつかの実施形態において、ダイバーシティ受信器構成が、ここに記載される例Ｃの一以上の特徴と、ここに記載される例Ｅの一以上の特徴とを含み得ることを示す。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。
【０５５６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５５７】
図８８Ａ及び８８Ｂは、いくつかの実施形態において、ダイバーシティ受信器構成が、ここに記載される例Ｄの一以上の特徴と、ここに記載される例Ｅの一以上の特徴とを含み得ることを示す。例Ｄに関する付加的な詳細が、図１〜５、２０〜２３及び９８〜１００を含む様々な図を参照してここに記載される。例Ｅに関する付加的な詳細が、図１〜５、２４〜２６及び９８〜１００を含む様々な図を参照してここに記載される。
【０５５８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５５９】
図８９は、いくつかの実施形態において、ダイバーシティ受信器構成が、ここに記載される例Ａの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｆに関する付加的な詳細が、図１〜５、２７〜４０及び９８〜１００を含む様々な図を参照してここに記載される。
【０５６０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５６１】
図９０は、いくつかの実施形態において、ダイバーシティ受信器構成が、ここに記載される例Ｂの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｆに関する付加的な詳細が、図１〜５、２７〜４０及び９８〜１００を含む様々な図を参照してここに記載される。
【０５６２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５６３】
図９１は、いくつかの実施形態において、ダイバーシティ受信器構成が、ここに記載される例Ｃの一以上の特徴と、ここに記載される例Ｆの一以上の特徴とを含み得ることを示す。例Ｃに関する付加的な詳細が、図１〜５、１５、１６、１７〜１９及び９８〜１００を含む様々な図を参照してここに記載される。例Ｆに関する付加的な詳細が、図１〜５、２７〜４０及び９８〜１００を含む様々な図を参照してここに記載される。
【０５６４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５６５】
図９２は、いくつかの実施形態において、ダイバーシティ受信器構成が、ここに記載される例Ｄの一以上の特徴と、ここに記載される例Ｆの一以上の特徴とを含み得ることを示す。例Ｄに関する付加的な詳細が、図１〜５、２０〜２３及び９８〜１００を含む様々な図を参照してここに記載される。例Ｆに関する付加的な詳細が、図１〜５、２７〜４０及び９８〜１００を含む様々な図を参照してここに記載される。
【０５６６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５６７】
図９３は、いくつかの実施形態において、ダイバーシティ受信器構成が、ここに記載される例Ｅの一以上の特徴と、ここに記載される例Ｆの一以上の特徴とを含み得ることを示す。例Ｅに関する付加的な詳細が、図１〜５、２４〜２６、及び９８〜１００を含む様々な図を参照してここに記載される。例Ｆに関する付加的な詳細が、図１〜５、２７〜４０、及び９８〜１００を含む様々な図を参照してここに記載される。
【０５６８】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５６９】
図９４は、いくつかの実施形態において、ダイバーシティ受信器構成が、ここに記載される例Ａの一以上の特徴と、ここに記載される例Ｅの一以上の特徴と、ここに記載される例Ｆの一以上の特徴とを含み得ることを示す。例Ａに関する付加的な詳細が、図１〜５、６〜１０及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５７０】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５７１】
図９５は、いくつかの実施形態において、ダイバーシティ受信器構成が、ここに記載される例Ｂの一以上の特徴と、ここに記載される例Ｅの一以上の特徴と、ここに記載される例Ｆの一以上の特徴とを含み得ることを示す。例Ｂに関する付加的な詳細が、図１〜５、１１〜１４、１７〜１９及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５７２】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５７３】
図９６は、いくつかの実施形態において、ダイバーシティ受信器構成が、ここに記載される例Ｃの一以上の特徴と、ここに記載される例Ｅの一以上の特徴と、ここに記載される例Ｆの一以上の特徴とを含み得ることを示す。例Ｃに関する付加的な詳細が、図１〜５、１５、１６、１７〜１９及び９８〜１００を含む様々な図を参照してここに記載される。例Ｅに関する付加的な詳細が、図１〜５、２４〜２６及び９８〜１００を含む様々な図を参照してここに記載される。例Ｆに関する付加的な詳細が、図１〜５、２７〜４０及び９８〜１００を含む様々な図を参照してここに記載される。
【０５７４】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５７５】
図９７は、いくつかの実施形態において、ダイバーシティ受信器構成が、ここに記載される例Ｄの一以上の特徴と、ここに記載される例Ｅの一以上の特徴と、ここに記載される例Ｆの一以上の特徴とを含み得ることを示す。例Ｄに関する付加的な詳細が、図１〜５、２０〜２３、及び９８〜１００を含む様々な図を参照してここに記載される。例Ｅに関する付加的な詳細が、図１〜５、２４〜２６、及び９８〜１００を含む様々な図を参照してここに記載される。例Ｆに関する付加的な詳細が、図１〜５、２７〜４０、及び９８〜１００を含む様々な図を参照してここに記載される。
【０５７６】
いくつかの実施形態において、上述した特徴の組み合わせは、各例、当該組み合わせにおける例のすべて、又はこれらの任意の組み合わせに関連するいくつかの又はすべての利点及び／又は機能を与えることができる。
【０５７７】
製品及びアーキテクチャの例
【０５７８】
図９８は、いくつかの実施形態において、複数の特徴の組み合わせを有するダイバーシティ受信器構成（例えば図４１〜９７）のいくつか又はすべてを含むダイバーシティ受信器構成のいくつか又はすべてが、一モジュールに全体的に又は部分的に実装され得ることを示す。かかるモジュールは、例えばフロントエンドモジュール（ＦＥＭ）とすることができる。かかるモジュールは、例えばダイバーシティ受信器（ＤＲｘ）ＦＥＭとすることができる。
【０５７９】
図９８の例において、モジュール１０００はパッケージング基板１００２を含み得る。かかるパッケージング基板１００２には一定数の部品が装着され得る。例えば、（フロントエンド電力管理集積回路［ＦＥ−ＰＩＭＣ］を含み得る）制御器１００４、ここに記載される一以上の特徴を有する組み合わせアセンブリ１００６、マルチプレクサアセンブリ１０１０、（一以上の帯域通過フィルタを含み得る）フィルタバンク１００８を、パッケージング基板１００２上に及び／又はパッケージング基板１００２内に装着及び／又は実装可能である。一定数のＳＭＴ装置１０１２のような他の部品もまた、パッケージング基板１００２上に装着することができる。様々な部品のすべてがパッケージング基板１００２上にレイアウトされるように描かれるにもかかわらず、何らかの部品（複数可）が、他の部品（複数可）の上に実装できることが理解される。
【０５８０】
図９９は、いくつかの実施形態において、複数の特徴の組み合わせを有するダイバーシティ受信器構成（例えば図４１〜９７）のいくつか又はすべてを含むダイバーシティ受信器構成のいくつか又はすべてが、一アーキテクチャに全体的に又は部分的に実装され得ることを示す。かかるアーキテクチャは、一以上のモジュールを含み、ダイバーシティ受信器（ＤＲｘ）フロントエンド機能のようなフロントエンド機能を与えるように構成することができる。
【０５８１】
図９９の例において、アーキテクチャ１１００は、（フロントエンド電力管理集積回路［ＦＥ−ＰＩＭＣ］を含み得る）制御器１１０４、ここに記載される一以上の特徴を有する組み合わせアセンブリ１１０６、マルチプレクサアセンブリ１１１０、及び（一以上の帯域通過フィルタを含み得る）フィルタバンク１１０８を含み得る。一定数のＳＭＴ装置１１１２のような他の部品もまた、アーキテクチャ１１００に実装することができる。
【０５８２】
いくつかの実装において、ここに記載される一以上の特徴を有する装置及び／又は回路は、無線装置のようなＲＦ電子装置に含まれ得る。かかる装置及び／又は回路は、無線装置に直接、ここに記載されるモジュラー形態で、又はこれらの何らかの組み合わせで実装可能である。いくつかの実施形態において、かかる無線装置は、例えば、セルラー電話、スマートフォン、電話機能あり又はなしのハンドヘルド無線装置、無線タブレット等を含み得る。
【０５８３】
図１００は、ここに記載される一以上の有利な特徴を有する代表的な無線装置１４００を描く。ここに記載される一以上の特徴を有する一以上のモジュールの文脈において、かかるモジュールは一般に、破線枠１４０１（例えばフロントエンドモジュールとして実装可能）、ダイバーシティＲＦモジュール１４１１（例えば下流側モジュールとして実装可能）、及びダイバーシティ受信器（ＤＲｘ）モジュール１０００（例えばフロントエンドモジュールとして実装可能）によって描くことができる。
【０５８４】
図１００を参照すると、電力増幅器（ＰＡ）１４２０は、その各ＲＦ信号を、増幅及び送信対象のＲＦ信号を生成するように構成かつ動作可能な送受信器１４１０から受信し、受信した信号を処理することができる。送受信器１４１０は、ユーザに適したデータ及び／又は音声信号と送受信器１４１０に適したＲＦ信号との間の変換を与えるべく構成されたベース帯域サブシステム１４０８と相互作用をするように示される。送受信器１４１０はまた、無線装置１４００の動作のために電力を管理するように構成された電力管理部品１４０６と通信することもできる。かかる電力管理はまた、ベース帯域サブシステム１４０８並びにモジュール１４０１、１４１１及び１０００の動作を制御することもできる。
【０５８５】
ベース帯域サブシステム１４０８は、ユーザに与えられ及びユーザから受けた音声及び／又はデータの様々な入力及び出力を容易にするべく、ユーザインタフェイス１４０２に接続されるように示される。ベース帯域サブシステム１４０８はまた、無線装置の動作を容易にし及び／又はユーザのための情報記憶を与えるデータ及び／又は命令を記憶するように構成されたメモリ１４０４に接続することもできる。
【０５８６】
代表的な無線装置１４００において、ＰＡ１４２０の出力は、（それぞれの整合回路１４２２を介して）それぞれのデュプレクサ１４２４に整合され及び引き回されるように示される。かかる増幅されかつフィルタリングを受けた信号は、送信を目的としてアンテナスイッチ１４１４を介して一次アンテナ１４１６へと引き回すことができる。いくつかの実施形態において、デュプレクサ１４２４により、共通アンテナ（例えば一次アンテナ１４１６）を使用して送受信動作を同時に行うことができる。図１００において、受信した信号は、例えば低雑音増幅器（ＬＮＡ）を含み得る「Ｒｘ」経路へと引き回されるように示される。
【０５８７】
無線装置はまた、ダイバーシティアンテナ１４２６と、ダイバーシティアンテナ１４２６から信号を受信するダイバーシティ受信器モジュール１０００とを含む。ダイバーシティ受信器モジュール１０００は、受信した信号を処理し、処理された信号を、送信ライン１４３５を介してダイバーシティＲＦモジュール１４１１へと送信する。ダイバーシティＲＦモジュール１４１１は、当該信号をさらに処理した後に送受信器１４１０に供給する。
【０５８８】
いくつかの実施形態において、ここに記載される例Ａを、無線周波数（ＲＦ）受信システム並びに関連する装置及び方法の第１の特徴を含むものとみなすことができる。同様に、ここに記載される例Ｂは、無線周波数（ＲＦ）受信システム並びに関連する装置及び方法の第２の特徴を含むものとみなすことができる。同様に、ここに記載される例Ｃは、無線周波数（ＲＦ）受信システム並びに関連する装置及び方法の第３の特徴を含むものとみなすことができる。同様に、ここに記載される例Ｄは、無線周波数（ＲＦ）受信システム並びに関連する装置及び方法の第４の特徴を含むものとみなすことができる。同様に、ここに記載される例Ｅは、無線周波数（ＲＦ）受信システム並びに関連する装置及び方法の第５の特徴を含むものとみなすことができる。同様に、ここに記載される例Ｆは、無線周波数（ＲＦ）受信システム並びに関連する装置及び方法の第６の特徴を含むものとみなすことができる。
【０５８９】
本開示の一以上の特徴には、ここに記載される様々なセルラー周波数帯域を実装することができる。かかる帯域の例が表１に列挙される。理解されることだが、帯域の少なくともいくつかは、サブ帯域に分割することができる。またも理解されることだが、本開示の一以上の特徴は、表１の例のような指示を有しない周波数範囲も実装することができる。
【表１】
2020065282.tif 000003
【０５９０】
本明細書及び特許請求の範囲全体にわたり、文脈上そうでないことが明らかでない限り、「含む」等の用語は、排他的又は網羅的な意味とは反対の包括的意味に、すなわち「〜を含むがこれらに限られない」との意味に解釈すべきである。ここで一般に使用される用語「結合」は、直接接続されるか又は一以上の中間要素を介して接続されるかいずれかとなり得る２以上の要素を言及する。加えて、用語「ここ」、「上」、「下」及び同様の趣旨の用語は、本願において使用される場合、本願全体を言及し、本願の任意の特定部分を言及するわけではない。文脈が許容する場合、単数又は複数を使用する上述の詳細な説明における用語はそれぞれ、複数又は単数をも含み得る。２以上の項目のリストを参照する用語「又は」及び「若しくは」について、当該用語は以下の解釈のすべてをカバーする。すなわち、当該リストの任意の項目、当該リストのすべての項目、及び当該リストの項目の任意の組み合わせである。
【０５９１】
本発明の実施形態の上記詳細な説明は、排他的であることすなわち本発明を上記開示の正確な形態に制限することを意図しない。本発明の及びその例の特定の実施形態が例示を目的として上述されたが、当業者が認識するように、本発明の範囲において様々な均等の修正も可能である。例えば、プロセス又はブロックが所与の順序で提示されるが、代替実施形態は、異なる順序でステップを有するルーチンを行うこと又はブロックを有するシステムを用いることができ、いくつかのプロセス又はブロックは削除、移動、追加、細分化、結合、及び／又は修正することができる。これらのプロセス又はブロックはそれぞれが、様々な異なる態様で実装することができる。また、プロセス又はブロックが直列的に行われるように示されることがあるが、これらのプロセス又はブロックは、その代わりに、並列して行い又は異なる時に行うこともできる。
【０５９２】
ここに与えられた本発明の教示は、必ずしも上述のシステムに限られることがなく、他のシステムにも適用することができる。上述の様々な実施形態要素及び行為は、さらなる実施形態を与えるべく組み合わせることができる。
【０５９３】
本発明のいくつかの実施形態が記載されたが、これらの実施形態は、例のみとして提示されており、本開示の範囲を制限することを意図しない。実際、ここに記載される新規な方法及びシステムは、様々な他の形態で具体化することができる。さらに、ここに記載される方法及びシステムの形態における様々な省略、置換及び変更が、本開示の要旨から逸脱することなくなし得る。添付の特許請求の範囲及びその均等物が、本開示の範囲及び要旨に収まるかかる形態又は修正をカバーすることが意図される。
【図１】
2020065282.tif 000004
【図２】
2020065282.tif 000005
【図３】
2020065282.tif 000006
【図４】
2020065282.tif 000007
【図５】
2020065282.tif 000008
【図６】
2020065282.tif 000009
【図７】
2020065282.tif 000010
【図８】
2020065282.tif 000011
【図９】
2020065282.tif 000012
【図１０】
2020065282.tif 000013
【図１１】
2020065282.tif 000014
【図１２】
2020065282.tif 000015
【図１３】
2020065282.tif 000016
【図１４】
2020065282.tif 000017
【図１５】
2020065282.tif 000018
【図１６】
2020065282.tif 000019
【図１７】
2020065282.tif 000020
【図１８】
2020065282.tif 000021
【図１９】
2020065282.tif 000022
【図２０】
2020065282.tif 000023
【図２１】
2020065282.tif 000024
【図２２】
2020065282.tif 000025
【図２３】
2020065282.tif 000026
【図２４】
2020065282.tif 000027
【図２５】
2020065282.tif 000028
【図２６】
2020065282.tif 000029
【図２７】
2020065282.tif 000030
【図２８】
2020065282.tif 000031
【図２９】
2020065282.tif 000032
【図３０】
2020065282.tif 000033
【図３１】
2020065282.tif 000034
【図３２】
2020065282.tif 000035
【図３３】
2020065282.tif 000036
【図３４】
2020065282.tif 000037
【図３５】
2020065282.tif 000038
【図３６】
2020065282.tif 000039
【図３７】
2020065282.tif 000040
【図３８】
2020065282.tif 000041
【図３９】
2020065282.tif 000042
【図４０】
2020065282.tif 000043
【図４１】
2020065282.tif 000044
【図４２】
2020065282.tif 000045
【図４３】
2020065282.tif 000046
【図４４】
2020065282.tif 000047
【図４５】
2020065282.tif 000048
【図４６】
2020065282.tif 000049
【図４７】
2020065282.tif 000050
【図４８】
2020065282.tif 000051
【図４９】
2020065282.tif 000052
【図５０】
2020065282.tif 000053
【図５１】
2020065282.tif 000054
【図５２】
2020065282.tif 000055
【図５３】
2020065282.tif 000056
【図５４】
2020065282.tif 000057
【図５５】
2020065282.tif 000058
【図５６】
2020065282.tif 000059
【図５７】
2020065282.tif 000060
【図５８】
2020065282.tif 000061
【図５９】
2020065282.tif 000062
【図６０】
2020065282.tif 000063
【図６１】
2020065282.tif 000064
【図６２】
2020065282.tif 000065
【図６３】
2020065282.tif 000066
【図６４】
2020065282.tif 000067
【図６５】
2020065282.tif 000068
【図６６】
2020065282.tif 000069
【図６７】
2020065282.tif 000070
【図６８】
2020065282.tif 000071
【図６９】
2020065282.tif 000072
【図７０】
2020065282.tif 000073
【図７１】
2020065282.tif 000074
【図７２】
2020065282.tif 000075
【図７３】
2020065282.tif 000076
【図７４】
2020065282.tif 000077
【図７５】
2020065282.tif 000078
【図７６】
2020065282.tif 000079
【図７７】
2020065282.tif 000080
【図７８】
2020065282.tif 000081
【図７９】
2020065282.tif 000082
【図８０】
2020065282.tif 000083
【図８１】
2020065282.tif 000084
【図８２】
2020065282.tif 000085
【図８３】
2020065282.tif 000086
【図８４】
2020065282.tif 000087
【図８５】
2020065282.tif 000088
【図８６】
2020065282.tif 000089
【図８７】
2020065282.tif 000090
【図８８】
2020065282.tif 000091
【図８９】
2020065282.tif 000092
【図９０】
2020065282.tif 000093
【図９１】
2020065282.tif 000094
【図９２】
2020065282.tif 000095
【図９３】
2020065282.tif 000096
【図９４】
2020065282.tif 000097
【図９５】
2020065282.tif 000098
【図９６】
2020065282.tif 000099
【図９７】
2020065282.tif 000100
【図９８】
2020065282.tif 000101
【図９９】
2020065282.tif 000102
【図１００】
2020065282.tif 000103
【手続補正書】
【提出日】令和2年1月17日(2020.1.17)
【手続補正２】
【補正対象書類名】明細書
【補正対象項目名】０４０２
【補正方法】変更
【補正の内容】
【０４０２】
いくつかの実装において、受信した信号が単一周波数帯域を含むことを帯域選択信号が指示する場合、ＤＲｘ制御器Ｆ７０２は出力マルチプレクサＦ７１２を制御して、対応経路を伝播する信号をデフォルト送信ラインへと引き回すことができる。デフォルトの送信ラインは、送信ラインＦ７３５ａ〜Ｆ７３５ｂの一つが短く、雑音の導入が少なく、又はそうでない場合が好ましいときのように、すべての経路（及び対応する周波数帯域）に対して同じでよい。デフォルトの送信ラインは、異なる経路に対して異なってよい。例えば、低周波数帯域に対応する経路を第１送信ラインＦ７３５ａへと引き回し、高周波数帯域に対応する経路を第２送信ラインＦ７３５ｂへと引き回してよい。
【手続補正３】
【補正対象書類名】特許請求の範囲
【補正対象項目名】全文
【補正方法】変更
【補正の内容】
【特許請求の範囲】
【請求項１】
受信システムであって、
受信システムの入力と前記受信システムの出力との間にある複数の経路の一以上を選択的にアクティブにするように構成された制御器と、
複数の増幅器と、
前記受信システムのために実装された第１の特徴部、第２の特徴部、第３の特徴部、第４の特徴部、第５の特徴部及び第６の特徴部の２つ以上と
を含み、
前記複数の増幅器の各一つは、前記複数の経路の対応する一つに沿って設けられ、前記増幅器において受信した信号を増幅するように構成され、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器として実装され、前記複数の可変利得増幅器の各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記一以上の単極／単投スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上の信号を受信し、前記一以上の信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済み信号を受信し、前記一以上の増幅済み信号のそれぞれを、複数の出力マルチプレクサ出力の選択された一つへと出力するように構成された出力マルチプレクサと
を含む受信システム。
【請求項２】
前記受信システムは、前記第１の特徴部及び前記第２の特徴部を含む請求項１の受信システム。
【請求項３】
前記受信システムは、前記第１の特徴部及び前記第３の特徴部を含む請求項１の受信システム。
【請求項４】
前記受信システムは、前記第１の特徴部及び前記第４の特徴部を含む請求項１の受信システム。
【請求項５】
前記受信システムは、前記第２の特徴部及び前記第３の特徴部を含む請求項１の受信システム。
【請求項６】
前記受信システムは、前記第２の特徴部及び前記第４の特徴部を含む請求項１の受信システム。
【請求項７】
前記受信システムは、前記第３の特徴部及び前記第４の特徴部を含む請求項１の受信システム。
【請求項８】
前記受信システムは、前記第１の特徴部及び前記第５の特徴部を含む請求項１の受信システム。
【請求項９】
前記受信システムは、前記第２の特徴部及び第５の特徴部を含む請求項１の受信システム。
【請求項１０】
前記受信システムは、前記第３の特徴部及び第５の特徴部を含む請求項１の受信システム。
【請求項１１】
前記受信システムは、前記第４の特徴部及び前記第５の特徴部を含む請求項１の受信システム。
【請求項１２】
前記受信システムは、前記第１の特徴部及び第６の特徴部を含む請求項１の受信システム。
【請求項１３】
前記受信システムは、前記第２の特徴部及び前記第６の特徴部を含む請求項１の受信システム。
【請求項１４】
前記受信システムは、前記第３の特徴部及び第６の特徴部を含む請求項１の受信システム。
【請求項１５】
前記受信システムは、前記第４の特徴部及び前記第６の特徴部を含む請求項１の受信システム。
【請求項１６】
前記受信システムは、前記第５の特徴部及び前記第６の特徴部を含む請求項１の受信システム。
【請求項１７】
無線周波数モジュールであって、
複数の部品を受容するように構成されたパッケージング基板と、
前記パッケージング基板に実装された受信システムと
を含み、
前記受信システムは、前記受信システムの入力と前記受信システムの出力との間にある複数の経路の一以上を選択的にアクティブにするように構成された制御器を含み、
前記受信システムはさらに複数の増幅器を含み、
前記複数の増幅器の各一つは、前記複数の経路の対応する一つに沿って設けられ、前記増幅器において受信した信号を増幅するように構成され、
前記受信システムはさらに、前記受信システムのために実装された第１の特徴部、第２の特徴部、第３の特徴部、第４の特徴部、第５の特徴部及び第６の特徴部の２つ以上を含み、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器として実装され、前記複数の可変利得増幅器の各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記一以上の単極／単投スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上の信号を受信し、前記一以上の信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済み信号を受信し、前記一以上の増幅済み信号のそれぞれを、複数の出力マルチプレクサ出力の選択された一つへと出力するように構成された出力マルチプレクサと
を含む無線周波数モジュール。
【請求項１８】
前記無線周波数モジュールはダイバーシティ受信器フロントエンドモジュールである請求項１７の無線周波数モジュール。
【請求項１９】
無線装置であって、
アンテナと、
前記アンテナと通信するフロントエンドモジュールであってパッケージング基板に実装された受信システムを含むフロントエンドモジュールと、
一以上の信号の処理済みバージョンを前記受信システムから受信し、前記一以上の信号の前記処理済みバージョンに基づいてデータビットを生成するように構成された送受信器と
を含み、
前記受信システムは、前記受信システムの入力と前記受信システムの出力との間にある複数の経路の一以上を選択的にアクティブにするように構成された制御器を含み、
前記受信システムはさらに複数の増幅器を含み、
前記複数の増幅器の各一つは、前記複数の経路に対応する一つに沿って設けられ、前記増幅器において受信した信号を増幅するように構成され、
前記受信システムはさらに、前記受信システムのために実装された第１の特徴部、第２の特徴部、第３の特徴部、第４の特徴部、第５の特徴部及び第６の特徴部の２つ以上を含み、
前記第１の特徴部は複数の帯域通過フィルタを含み、前記複数の帯域通過フィルタの各一つは前記複数の経路の対応する一つに沿って設けられ、前記帯域通過フィルタにおいて受信した信号を各周波数帯域へとフィルタリングするように構成され、前記複数の増幅器の少なくともいくつかは複数の可変利得増幅器として実装され、前記複数の可変利得増幅器の各一つは、対応する信号を、前記制御器から受信した増幅器制御信号が制御する利得を用いて増幅するように構成され、
前記第２の特徴部は複数の位相シフト部品を含み、前記複数の位相シフト部品の各一つは、前記複数の経路の対応する一つに沿って設けられ、前記位相シフト部品を通過する信号を位相シフトするように構成され、
前記第３の特徴部は複数のインピーダンス整合部品を含み、前記複数のインピーダンス整合部品の各一つは、前記複数の経路の対応する一つに沿って設けられ、前記複数の経路の前記一つの帯域外雑音指数又は帯域外利得の少なくとも一つを低減するように構成され、
前記第４の特徴部は複数の増幅器後段帯域通過フィルタを含み、前記複数の増幅器後段帯域通過フィルタの各一つは、前記複数の増幅器の対応する一つの出力において前記複数の経路の対応する一つに沿って設けられ、信号を各周波数帯域へとフィルタリングするように構成され、
前記第５の特徴部は、一以上の単極／単投スイッチを有するスイッチングネットワークを含み、前記一以上の単極／単投スイッチの各一つは前記複数の経路の２つを結合し、前記スイッチングネットワークは、前記制御器が帯域選択信号に基づいて制御するように構成され、
前記第６の特徴部は、
一以上の入力マルチプレクサ入力において一以上の信号を受信し、前記一以上の信号のそれぞれを、前記複数の経路の一以上それぞれに沿って伝播させるべく複数の入力マルチプレクサ出力の一以上へと出力するように構成された入力マルチプレクサと、
一以上の対応出力マルチプレクサ入力において、前記複数の経路の一以上それぞれに沿って伝播する一以上の増幅済み信号を受信し、前記一以上の増幅済み信号のそれぞれを、複数の出力マルチプレクサ出力の選択された一つへと出力するように構成された出力マルチプレクサと
を含む無線装置。
【請求項２０】
前記無線装置はセルラー電話である請求項１９の無線装置。
【外国語明細書】
2020065282000001.pdf